(57)【要約】  本発明の実施形態は、データ伝送保護方法および装置を提供する。方法は、局によって、アクセスポイントによって送信されたリソース割り当て情報を受信するステップと、割り当てられた伝送チャネルと複数のサブチャネルとの間の相互重複の状態に従って、伝送保護メッセージを送信するために局によって使用される少なくとも1つの重複サブチャネルを取得するステップと、伝送保護メッセージを送信するために局によって使用される少なくとも1つの重複サブチャネルにおける各重複サブチャネルが、伝送保護メッセージを送信するためにその局によってのみ使用されるかどうかの状態に従って、現在の重複サブチャネル上で伝送保護メッセージを送信するステップとを含み、ここで、伝送保護メッセージは、アクセスポイントから局へのダウンリンクデータ伝送を保護するために使用され、伝送保護メッセージは持続時間を含み、持続時間は、局に割り当てられた伝送チャネルのための局の排他時間を示すために使用される。本発明は、アクセスポイントから局へのデータ伝送を保護することができる。
2018501730.tif 000002
【特許請求の範囲】
【請求項１】
データ伝送保護方法であって、前記方法は、
局によって、アクセスポイントによって送信されたトリガtriggerフレームを受信するステップと、
前記局によって、前記triggerフレームに従って、スクランブルされた伝送保護メッセージを送信するステップであって、前記伝送保護メッセージは、前記局と前記アクセスポイントとの間のデータ伝送を保護するために使用される、ステップとを含み、
前記伝送保護メッセージがスクランブルされているときに、前記triggerフレームのものと同じスクランブリングコードジェネレータ初期状態値が使用され、且つ、前記スクランブリングコードジェネレータ初期状態値は、スクランブリングコードシーケンスを生成して、前記伝送保護メッセージをスクランブルするために使用される、方法。
【請求項２】
前記triggerフレームはリソース割り当て情報を含み、前記リソース割り当て情報は、前記アクセスポイントによって、前記局を含む少なくとも2つの局に割り当てられたチャネルリソースを含み、前記伝送保護メッセージは持続時間を含み、前記持続時間は、前記局に割り当てられたチャネルリソースのための前記局の排他時間を示すために使用される、請求項1に記載の方法。
【請求項３】
前記少なくとも2つの局は、前記リソース割り当て情報を受信した後、伝送保護メッセージを同時に送信し、且つ、前記伝送保護メッセージは、前記アクセスポイントと前記伝送保護メッセージを送信する前記局との間のデータ伝送を保護するために使用される、請求項2に記載の方法。
【請求項４】
前記同時に送信された伝送保護メッセージは同じである、請求項3に記載の方法。
【請求項５】
前記同時に送信された伝送保護メッセージは同じであることは、
前記同時に送信された伝送保護メッセージをスクランブルするために同じスクランブリングコードシーケンスが使用されることと、
前記同時に送信された伝送保護メッセージのために同じ変調およびコーディング体系が使用されることと、
前記同時に送信された伝送保護メッセージは同じMAC層内容を有することとを含む、請求項4に記載の方法。
【請求項６】
前記同時に送信された伝送保護メッセージをスクランブルするために同じスクランブリングコードシーケンスが使用されることは、具体的には、前記同時に送信された伝送保護メッセージがスクランブルされているときに、前記triggerフレームのものと同じスクランブリングコードジェネレータ初期状態値が使用されることであり、前記スクランブリングコードジェネレータ初期状態値は、スクランブリングコードシーケンスを生成して、前記伝送保護メッセージをスクランブルするために使用される、請求項5に記載の方法。
【請求項７】
前記局によって、前記triggerフレームに従って、前記伝送保護メッセージを送信する前記ステップは、
前記局によって、伝送チャネルと複数のサブチャネルとの間の相互重複の状態に従って、前記伝送保護メッセージを送信するために前記局によって使用される少なくとも1つの重複サブチャネルを取得するステップであって、前記伝送チャネルは、前記局に割り当てられ、且つ、前記triggerフレームに含まれる前記リソース割り当て情報内にある前記チャネルリソースによって示され、前記アクセスポイントと前記局との間の動作帯は、複数のサブチャネルに分割され、前記重複サブチャネルは、前記複数のサブチャネル内にあり、且つ、前記局に割り当てられた前記伝送チャネルと重複するサブチャネルである、ステップと、
前記少なくとも1つの重複サブチャネル上で、前記伝送保護メッセージを送信するステップとを含む、請求項2乃至6のいずれか1項に記載の方法。
【請求項８】
前記STAが前記triggerフレームを受信した後、事前に設定された時間の長さが経過したとき、前記STAは前記伝送保護メッセージを送信する、請求項1乃至7のいずれか1項に記載の方法。
【請求項９】
前記伝送保護メッセージは、CTSフレームまたはACKフレームを送信可である、請求項1乃至8のいずれか1項に記載の方法。
【請求項１０】
局であって、前記局は、
アクセスポイントによって送信されたトリガtriggerフレームを受信するように構成された受信機と、
前記triggerフレームに従って、スクランブルされた伝送保護メッセージを送信するように構成された送信機であって、前記伝送保護メッセージは、前記局と前記アクセスポイントとの間のデータ伝送を保護するために使用される、送信機と、
前記スクランブルされた伝送保護メッセージを生成するように構成されたプロセッサとを含み、前記伝送保護メッセージがスクランブルされているときに、前記triggerフレームのものと同じスクランブリングコードジェネレータ初期状態値が使用され、且つ、前記スクランブリングコードジェネレータ初期状態値は、スクランブリングコードシーケンスを生成して、前記伝送保護メッセージをスクランブルするために使用される、局。
【請求項１１】
前記triggerフレームはリソース割り当て情報を含み、前記リソース割り当て情報は、前記アクセスポイントによって、前記局を含む少なくとも2つの局に割り当てられたチャネルリソースを含み、前記伝送保護メッセージは持続時間を含み、前記持続時間は、前記局に割り当てられたチャネルリソースのための前記局の排他時間を示すために使用される、請求項10に記載の方法。
【請求項１２】
前記少なくとも2つの局は、前記リソース割り当て情報を受信した後、伝送保護メッセージを同時に送信し、且つ、前記伝送保護メッセージは、前記アクセスポイントと前記伝送保護メッセージを送信する前記局との間のデータ伝送を保護するために使用される、請求項11に記載の方法。
【請求項１３】
前記同時に送信された伝送保護メッセージは同じである、請求項12に記載の方法。
【請求項１４】
前記同時に送信された伝送保護メッセージは同じであることは、
前記同時に送信された伝送保護メッセージをスクランブルするために同じスクランブリングコードシーケンスが使用されることと、
前記同時に送信された伝送保護メッセージのために同じ変調およびコーディング体系が使用されることと、
前記同時に送信された伝送保護メッセージは同じMAC層内容を有することとを含む、請求項13に記載の方法。
【請求項１５】
前記同時に送信された伝送保護メッセージをスクランブルするために同じスクランブリングコードシーケンスが使用されることは、具体的には、前記同時に送信された伝送保護メッセージがスクランブルされているときに、前記triggerフレームのものと同じスクランブリングコードジェネレータ初期状態値が使用されることであり、前記スクランブリングコードジェネレータ初期状態値は、スクランブリングコードシーケンスを生成して、前記伝送保護メッセージをスクランブルするために使用される、請求項14に記載の方法。
【請求項１６】
前記プロセッサは、
伝送チャネルと複数のサブチャネルとの間の相互重複の状態に従って、前記伝送保護メッセージを送信するために前記送信機によって使用される少なくとも1つの重複サブチャネルを取得するようにさらに構成され、前記伝送チャネルは、前記局に割り当てられ、且つ、前記triggerフレームに含まれる前記リソース割り当て情報内にある前記チャネルリソースによって示され、前記アクセスポイントと前記局との間の動作帯は、複数のサブチャネルに分割され、前記重複サブチャネルは、前記複数のサブチャネル内にあり、且つ、前記局に割り当てられた前記伝送チャネルと重複するサブチャネルであり、
前記送信機は、具体的には、前記少なくとも1つの重複サブチャネル上で、前記伝送保護メッセージを送信するように構成される、請求項11乃至15のいずれか1項に記載の方法。
【請求項１７】
前記送信機は、具体的には、前記triggerフレームが受信された後、事前に設定された時間の長さが経過したとき、前記伝送保護メッセージを送信するように構成される、請求項10乃至16のいずれか1項に記載の方法。
【請求項１８】
前記伝送保護メッセージは、CTSフレームまたはACKフレームを送信可である、請求項10乃至17のいずれか1項に記載の方法。
【発明の詳細な説明】
【技術分野】
【０００１】
本発明は通信分野に関し、詳細には、データ伝送保護方法および装置、局およびアクセスポイントに関する。
【背景技術】
【０００２】
通信技術の発展に伴い、WiFi技術はまた、より高いシステム容量が満たされる次世代WiFi HEW（High Efficiency WLAN, 高効率WLAN）技術に発展し、且つ、AP（Access Point, アクセスポイント）およびSTA(Station, 局)が密集して分布するシナリオが主に考慮される。次世代WiFi HEWシナリオでは、スケジューリングベースのOFDMA（Orthogonal Frequency Division Multiple Access, 直交周波数分割多重）データ伝送メカニズムまたはMU MIMO（Multi-User Multiple-Input Multiple-Output, マルチユーザ多重入力多重出力技術）が使用される。OFDMAシステムでは、APは、異なるサブチャネル上で、データ伝送のために複数のSTAを同時にスケジュールする。MU MIMOシステムでは、複数のSTAは、同じ周波数帯上でデータを受信する。前述の2つのシステムは両方とも、スペクトル効率およびシステムスループットを有効に改善することができる。
【０００３】
OFDMAデータ伝送メカニズムの基本プロセスは、APが、複数のSTAのリソーススケジューリング情報を含むトリガ（Trigger）フレームを送信し、スケジュールされたSTAが、対応する時間内且つ対応する周波数帯上で、triggerフレームにおけるリソーススケジューリング情報に従って、APとデータを交換することを含む。APおよびSTAが密集して分布するWiFi HEWシナリオでは、大量のOBSS（Overlapping Basic Service Set, 重複基本サービスセット）が存在するため、伝送信頼性を保証するために、データ伝送プロセスにおけるデータ伝送間で相互干渉が回避される必要がある。
【０００４】
従来のデータ伝送保護方法は、RTS/CTS（Request to Send/Clear to Send, 送信要求/送信可）メカニズムである。具体的なプロセスは、データ送信パーティは、データ受信パーティに、既知のデータ伝送量に基づくデータ送信パーティによる計算によって取得された持続時間を搬送するRTSフレームを送信することを含む。RTSフレームを正しく受信した後、データ受信パーティは、データ送信パーティに、持続時間を搬送するCTSフレームを返す。CTSフレーム内で搬送される持続時間は、CTSフレーム送信のために占有される時間の長さおよび2つのSIFS（Short Inte-frame Space, 短フレーム間間隔）が、RTSフレーム内で搬送される持続時間から差し引かれた後に取得される値である。無線チャネルブロードキャスト特性により、CTSフレームは、他のWiFiデバイスによって受信されてよい。これらのWiFiデバイスは、CTSフレーム内で搬送される持続時間に従って、WiFiデバイスのNAV（Network Allocation Vector, ネットワーク分配ベクトル）を設定し、すなわち、バックオフタイマを設定する。NAVが0に低減される前に、WiFiデバイスは、データ伝送を能動的に開始せず、それにより、進行中のデータ伝送への干渉の発生を回避する。明らかに、CTSフレーム内で搬送される持続時間は、データ伝送のための排他時間の期間の予約と同等であるとともに、後続のデータ伝送を保護するために使用される。従って、CTSフレーム内で搬送される持続時間は、データ伝送保護情報、すなわち、伝送保護メッセージと呼ばれてよい。
【０００５】
WiFi HEWでは、OFDMAメカニズムが導入されるため、STAの送信チャネルおよび受信チャネルは、APによって完全に決定され、且つ、データ伝送保護は、比較的複雑になる。
【０００６】
APからSTAへのダウンリンク伝送のために、STAは、その上でAPがデータをSTAに送信するチャネルを事前に知らず、従って、STAは、CTSフレーム送信方式と同様の方式で、APからSTAへのデータ伝送を事前に保護することはできない。
【０００７】
別の態様では、レガシーデバイス（Legacy Device）によってサポートされるプロトコルにおいて、伝送チャネルは、複数のサブチャネルに固定して分割され、且つ、各サブチャネルの帯域幅は20MHZである。レガシーデバイスによってサポートされるプロトコルでは、CTSフレームによって占有される帯域幅は20MHZである。すなわち、伝送チャネルがN個のサブチャネルに固定して分割された場合、最大N個のCTSフレームのみ、同時に伝送チャネル上で伝送されることができる。OFDMAシステムでは、リソースがより有効にスケジュールされるために、最小の分割された周波数帯の幅が従来のデバイスのサブチャネルの幅よりも小さいことがある。結果として、レガシーデバイスは、HEWフレームを正しく受信することはできない。
【０００８】
MU MIMOシステムでは、同様の課題がまた存在する。従来技術におけるデータ伝送保護方法では、レガシーデバイスによってサポートされるプロトコルとの互換性を維持しながら、APからSTAへのデータ伝送を保護することは困難であることがわかる。
【発明の概要】
【課題を解決するための手段】
【０００９】
アクセスポイントと局との間のデータ伝送に対する保護の欠如の課題を解決するために、本発明の実施形態は、データ伝送保護方法および装置を提供する。
【００１０】
第1の態様によると、本発明の実施形態は、データ伝送保護方法を提供し、且つ、方法は、
局によって、アクセスポイントによって送信されたリソース割り当て情報を受信するステップであって、ここで、リソース割り当て情報は、アクセスポイントによって、その局を含む少なくとも2つの局に割り当てられた伝送チャネルを含む、ステップと、
局によって、割り当てられた伝送チャネルと複数のサブチャネルとの間の相互重複の状態に従って、伝送保護メッセージを送信するために局によって使用される少なくとも1つの重複サブチャネルを取得するステップであって、ここで、アクセスポイントと局との間の動作帯は、複数のサブチャネルに分割され、且つ、重複サブチャネルは、局に割り当てられた伝送チャネルと重複するサブチャネルである、ステップと、
伝送保護メッセージを送信するために局によって使用される少なくとも1つの重複サブチャネルにおける各重複サブチャネルが、伝送保護メッセージを送信するためにその局によってのみ使用されるかどうかを判定するステップと、
現在の重複サブチャネルが伝送保護メッセージを送信するためにその局によってのみ使用される場合、局によって、現在の重複サブチャネル上で伝送保護メッセージを送信するステップか、または、
現在の重複サブチャネルが伝送保護メッセージを送信するために別の局によってさらに使用される場合、局によって、事前に設定された規則に従って、現在の重複サブチャネル上で伝送保護メッセージを送信するステップを含み、ここで、
現在の重複サブチャネルが、伝送保護メッセージを送信するために別の局によってさらに使用される場合、現在の重複サブチャネル上で伝送保護メッセージを送信する複数の局は、現在の重複サブチャネル上で伝送保護メッセージを順次送信し、ここで、複数の局はその局を含み、且つ、
伝送保護メッセージは、アクセスポイントから局へのダウンリンクデータ伝送を保護するために使用され、伝送保護メッセージは持続時間を含み、持続時間は、局に割り当てられた伝送チャネルのための局の排他時間を示すために使用される。
【００１１】
第1の態様の第1の可能な実施方式では、複数のサブチャネルの帯域幅は等しい。
【００１２】
第1の態様または第1の態様の第1の可能な実施方式を参照すると、第2の可能な実施方式では、伝送保護メッセージは、CTSフレームまたはACKフレームを送信可である。
【００１３】
第1の態様または第1の態様の第1乃至第2の可能な実施方式のうちのいずれか1つを参照すると、第3の可能な実施方式では、現在の重複サブチャネルが伝送保護メッセージを送信するためにその局によってのみ使用される場合、局によって、現在の重複サブチャネル上で伝送保護メッセージを送信するステップは、
局がリソース割り当て情報を受信した後、事前に設定された時間の長さが経過したとき、局によって、現在の重複サブチャネル上で伝送保護メッセージを送信するステップを含み、または、
現在の重複サブチャネルが伝送保護メッセージを送信するために別の局によってさらに使用される場合、局によって、事前に設定された規則に従って、現在の重複サブチャネル上で伝送保護メッセージを送信するステップは、
局がリソース割り当て情報を受信した後、事前に設定された時間の長さが経過したとき、局によって、事前に設定された規則に従って、現在の重複サブチャネル上で伝送保護メッセージを送信するステップを含む。
【００１４】
第1の態様または第1の態様の第1乃至第2の可能な実施方式のうちのいずれか1つを参照すると、第4の可能な実施方式では、現在の重複サブチャネルが伝送保護メッセージを送信するためにその局によってのみ使用される場合、局によって、現在の重複サブチャネル上で伝送保護メッセージを送信するステップは、
局がアクセスポイントへのアップリンクデータの送信を完了した後、事前に設定された時間の長さが経過したとき、局によって、現在の重複サブチャネル上で伝送保護メッセージを送信するステップを含み、または、
現在の重複サブチャネルが伝送保護メッセージを送信するために別の局によってさらに使用される場合、局によって、事前に設定された規則に従って、現在の重複サブチャネル上で伝送保護メッセージを送信するステップは、
局がアクセスポイントへのアップリンクデータの送信を完了した後、事前に設定された時間の長さが経過したとき、局によって、事前に設定された規則に従って、現在の重複サブチャネル上で伝送保護メッセージを送信するステップを含む。
【００１５】
第1の態様の第3の可能な実施方式と第4の可能な実施方式のうちのいずれかを参照すると、第5の可能な実施方式では、局によって、事前に設定された規則に従って、現在の重複サブチャネル上で伝送保護メッセージを送信するステップは、
局によって、リソース割り当て情報に従って、現在の重複サブチャネル上で伝送保護メッセージを送信する複数の局を取得するステップと、
局によって、ソート規則に従って複数の局をソートするステップであって、ここで、ソートは、複数の局によって、現在の重複サブチャネル上で伝送保護メッセージを送信する順序を決定するために使用され、且つ、複数の局はその局を含む、ステップと、
局によって、ソートに従って、局によって伝送保護メッセージを送信する順序を取得するステップと、
局によって、伝送保護メッセージを送信する順序に従って、対応する第1の送信時点を取得するステップと、
局によって、第1の送信時点で、現在の重複サブチャネル上で伝送保護メッセージを送信するステップとを含み、ここで、
ソート規則は事前に設定されたソート規則か、または、リソース割り当て情報において指示されたソート規則である。
【００１６】
第1の態様の第5の可能な実施方式を参照すると、第6の可能な実施方式では、事前に設定されたソート規則は、
局IDの降順でソートすること、
局IDの昇順でソートすること、または、
リソース割り当て情報における局の順序に従ってソートすることを含む。
【００１７】
第1の態様の第3の可能な実施方式と第4の可能な実施方式のうちのいずれかを参照すると、第7の可能な実施方式では、事前に設定された規則に従って、現在の重複サブチャネル上で伝送保護メッセージを送信するステップは、
リソース割り当て情報において指定された伝送保護メッセージ送信順序または第2の送信時点指示情報に従って、第2の送信時点を取得するステップと、
第2の送信時点で、現在の重複サブチャネル上で伝送保護メッセージを送信するステップとを含み、ここで、
第2の送信時点は、伝送保護メッセージを送信するために使用される時点であり、且つ、現在の重複サブチャネル上で伝送保護メッセージを送信する各局は、1つの第2の送信時点に対応している。
【００１８】
第1の態様または第1の態様の第1乃至第7の可能な実施方式のうちのいずれか1つを参照すると、第8の可能な実施方式では、局がアクセスポイントによって送信されたリソース割り当て情報を受信した後、且つ、伝送保護メッセージを送信するために局によって使用される少なくとも1つの重複サブチャネルが取得される前に、方法は、
局によって、リソース割り当て情報から伝送保護指示情報を取得するステップであって、ここで、伝送保護指示情報は、局が伝送保護メッセージを送信すべきかどうかを示し、または、局が伝送保護メッセージを送信することを許可されているかどうかを示す、ステップと、
伝送保護指示情報が、局が伝送保護メッセージを送信すべきであると示すとき、または、局が伝送保護メッセージを送信することを許可されていると示すとき、伝送保護メッセージを送信するために局によって使用される少なくとも1つの重複サブチャネルを取得するステップとをさらに含む。
【００１９】
第2の態様によると、本発明の実施形態は、データ伝送保護方法を提供し、且つ、方法は、
局によって、アクセスポイントによって送信されたリソース割り当て情報を受信するステップであって、ここで、リソース割り当て情報は、アクセスポイントによって、その局を含む少なくとも2つの局に割り当てられた伝送チャネルを含む、ステップと、
局によって、割り当てられた伝送チャネルと複数のサブチャネルとの間の相互重複の状態に従って、伝送保護メッセージを送信するために局によって使用される少なくとも1つの重複サブチャネルを取得するステップであって、ここで、アクセスポイントと局との間の動作帯は、複数のサブチャネルに分割され、且つ、重複サブチャネルは、局の伝送チャネルと重複するサブチャネルである、ステップと、
少なくとも1つの重複サブチャネル上で、伝送保護メッセージを送信するステップとを含み、ここで、
その上で局が伝送保護メッセージを送信する現在の重複サブチャネルが、伝送保護メッセージを送信するために別の局によってさらに使用される場合、現在の重複サブチャネル上で伝送保護メッセージを送信する複数の局は、現在の重複サブチャネル上で伝送保護メッセージを同時に送信し、ここで、複数の局はその局を含み、
同時に送信された伝送保護メッセージは同じであり、
伝送保護メッセージは、アクセスポイントから局へのダウンリンクデータ伝送を保護するために使用され、伝送保護メッセージは持続時間を含み、持続時間は、局に割り当てられた伝送チャネルのための局の排他時間を示すために使用される。
【００２０】
第2の態様の第1の可能な実施方式では、複数のサブチャネルの帯域幅は等しい。
【００２１】
第2の態様または第2の態様の第1の可能な実施方式を参照すると、第2の可能な実施方式では、伝送保護メッセージは、CTSフレームまたはACKフレームを送信可である。
【００２２】
第2の態様または第2の態様の第1乃至第2の可能な実施方式のうちのいずれか1つを参照すると、第3の可能な実施方式では、少なくとも1つの重複サブチャネル上で、伝送保護メッセージを送信するステップは、
リソース割り当て情報が受信された後、事前に設定された時間の長さが経過したとき、伝送保護メッセージを送信するステップか、または、
アクセスポイントへのアップリンクデータの送信が完了した後、事前に設定された時間の長さが経過したとき、伝送保護メッセージを送信するステップを含む。
【００２３】
第2の態様または第2の態様の第1乃至第2の可能な実施方式のうちのいずれか1つを参照すると、第4の可能な実施方式では、少なくとも1つの重複サブチャネル上で、伝送保護メッセージを送信するステップは、
リソース割り当て情報が受信された後、リソース割り当て情報において指定された第3の送信時点に従って、第3の送信時点で、伝送保護メッセージを送信するステップか、または、
アクセスポイントへのアップリンクデータの送信が完了した後、リソース割り当て情報において指定された第3の送信時点に従って、第3の送信時点で、伝送保護メッセージを送信するステップを含み、ここで、
第3の送信時点は、アクセスポイントによって局に割り当てられ、且つ、伝送保護メッセージを送信するために局によって使用される時点である。
【００２４】
第2の態様または第2の態様の第1乃至第4の可能な実施方式のうちのいずれか1つを参照すると、第5の可能な実施方式では、同時に送信された伝送保護メッセージは同じであることは、
同時に送信された伝送保護メッセージをスクランブルするために同じスクランブリングコードシーケンスが使用されることと、
同時に送信された伝送保護メッセージのために同じ変調およびコーディング体系が使用されることと、
同時に送信された伝送保護メッセージは同じMAC層内容を有することとを含む。
【００２５】
第2の態様または第2の態様の第1乃至第5の可能な実施方式のうちのいずれか1つを参照すると、第6の可能な実施方式では、局がアクセスポイントによって送信されたリソース割り当て情報を受信した後、且つ、伝送保護メッセージを送信するために局によって使用される少なくとも1つの重複サブチャネルが取得される前に、方法は、
局によって、リソース割り当て情報から伝送保護指示情報を取得するステップであって、ここで、伝送保護指示情報は、局が伝送保護メッセージを送信すべきかどうかを示し、または、局が伝送保護メッセージを送信することを許可されているかどうかを示す、ステップと、
伝送保護指示情報が、局が伝送保護メッセージを送信すべきであると示すとき、または、局が伝送保護メッセージを送信することを許可されていると示すとき、伝送保護メッセージを送信するために局によって使用される少なくとも1つの重複サブチャネルを取得するステップとをさらに含む。
【００２６】
第3の態様によると、本発明の実施形態は、データ伝送保護方法を提供し、且つ、方法は、
アクセスポイントによって、リソース割り当て情報を送信するステップであって、ここで、リソース割り当て情報は、アクセスポイントによって、その局を含む少なくとも2つの局に割り当てられた伝送チャネルを含み、その結果、リソース割り当て情報を受信した局は、リソース割り当て情報に従って、伝送保護メッセージを送信するために局によって使用される少なくとも1つの重複サブチャネルを取得し、少なくとも1つの重複サブチャネルにおける各重複サブチャネル上で、伝送保護メッセージを送信する、ステップと、
少なくとも2つの局が現在の重複サブチャネル上で伝送保護メッセージを送信する場合、少なくとも2つの局によって、伝送保護メッセージを順次送信するステップとを含み、ここで、
アクセスポイントと局との間の動作帯は、複数のサブチャネルに分割され、且つ、重複サブチャネルは、局に割り当てられた伝送チャネルと重複するサブチャネルであり、且つ、
伝送保護メッセージは、アクセスポイントから、伝送保護メッセージを送信する局へのダウンリンクデータを保護するために使用され、伝送保護メッセージは持続時間を含み、持続時間は、局に割り当てられた伝送チャネルのための、伝送保護メッセージを送信する局の排他時間を示すために使用される。
【００２７】
第3の態様の第1の可能な実施方式では、複数のサブチャネルの帯域幅は等しい。
【００２８】
第3の態様または第3の態様の第1の可能な実施方式を参照すると、第2の可能な実施方式では、伝送保護メッセージは、CTSフレームまたはACKフレームを送信可である。
【００２９】
第3の態様または第3の態様の第1乃至第2の可能な実施方式のうちのいずれか1つを参照すると、第3の可能な実施方式では、リソース割り当て情報の送信が完了した後、第1の時間の長さ以内に、アクセスポイントが、局によって送信された伝送保護メッセージを受信するか、または、動作帯がビジーであると検出した場合、アクセスポイントは、リソース割り当て情報の送信が終了した後、第2の時間の長さが経過したとき、ダウンリンクデータを局に送信し、または、
リソース割り当て情報の送信が完了した後、第1の時間の長さ以内に、動作帯がアイドルであると検出された場合、アクセスポイントは、リソース割り当て情報の送信が終了した後、第3の時間の長さが経過したとき、ダウンリンクデータを局に送信する。
【００３０】
第3の態様または第3の態様の第1乃至第2の可能な実施方式のうちのいずれか1つを参照すると、第4の可能な実施方式では、アクセスポイントがリソース割り当て情報の送信を完了した後、方法は、
アクセスポイントによって、局によって送信されたアップリンクデータを受信するステップと、
アクセスポイントがアップリンクデータの受信を完了した後、第1の時間の長さ以内に、局によって送信された伝送保護メッセージが受信されるか、または、動作帯がビジーであると検出された場合、アクセスポイントによって、アップリンクデータの受信が終了した後、第2の時間の長さが経過したとき、ダウンリンクデータを伝送するステップか、または、
アクセスポイントが局によって送信されたアップリンクデータの受信を完了した後、第1の時間の長さ以内に、動作帯がアイドルであると検出された場合、アクセスポイントによって、前述のデータ受信が終了した後、第3の時間の長さが経過したとき、ダウンリンクデータを伝送するステップをさらに含む。
【００３１】
第4の態様によると、本発明の実施形態は、データ伝送保護方法を提供し、且つ、方法は、
アクセスポイントによって、リソース割り当て情報を送信するステップであって、ここで、リソース割り当て情報は、アクセスポイントによって、その局を含む少なくとも2つの局に割り当てられた伝送チャネルを含み、その結果、リソース割り当て情報を受信した局は、リソース割り当て情報に従って、伝送保護メッセージを送信するために局によって使用される少なくとも1つの重複サブチャネルを取得し、少なくとも1つの重複サブチャネルにおける各重複サブチャネル上で、伝送保護メッセージを送信する、ステップと、
少なくとも2つの局が現在の重複サブチャネル上で伝送保護メッセージを送信する場合、少なくとも2つの局によって、伝送保護メッセージを同時に送信するステップであって、ここで、同時に送信された伝送保護メッセージは同じである、ステップとを含み、ここで、
アクセスポイントと局との間の動作帯は、複数のサブチャネルに分割され、且つ、重複サブチャネルは、局に割り当てられた伝送チャネルと重複するサブチャネルであり、且つ、
伝送保護メッセージは、アクセスポイントから、局へのダウンリンクデータを保護するために使用され、伝送保護メッセージは持続時間を含み、持続時間は、局に割り当てられた伝送チャネルのための局の排他時間を示すために使用される。
【００３２】
第4の態様の第1の可能な実施方式では、複数のサブチャネルの帯域幅は等しい。
【００３３】
第4の態様または第4の態様の第1の可能な実施方式を参照すると、第2の可能な実施方式では、伝送保護メッセージは、CTSフレームまたはACKフレームを送信可である。
【００３４】
第4の態様または第4の態様の第1乃至第2の可能な実施方式のうちのいずれか1つを参照すると、第3の可能な実施方式では、リソース割り当て情報の送信が完了した後、第1の時間の長さ以内に、アクセスポイントが、局によって送信された伝送保護メッセージを受信するか、または、動作帯がビジーであると検出した場合、アクセスポイントは、リソース割り当て情報の送信が終了した後、第2の時間の長さが経過したとき、ダウンリンクデータを局に送信し、または、
リソース割り当て情報の送信が完了した後、第1の時間の長さ以内に、動作帯がアイドルであると検出された場合、アクセスポイントは、リソース割り当て情報の送信が終了した後、第3の時間の長さが経過したとき、ダウンリンクデータを局に送信する。
【００３５】
第4の態様または第4の態様の第1乃至第2の可能な実施方式のうちのいずれか1つを参照すると、第4の可能な実施方式では、アクセスポイントがリソース割り当て情報の送信を完了した後、方法は、
アクセスポイントによって、局によって送信されたアップリンクデータを受信するステップと、
局がアップリンクデータの受信を完了した後、第1の時間の長さ以内に、局によって送信された伝送保護メッセージが受信されるか、または、動作帯がビジーであると検出された場合、局によって、アップリンクデータの受信が終了した後、第2の時間の長さが経過したとき、ダウンリンクデータを伝送するステップか、または、
アクセスポイントが局によって送信されたアップリンクデータの受信を完了した後、第1の時間の長さ以内に、動作帯がアイドルであると検出された場合、アクセスポイントによって、前述のデータ受信が終了した後、第3の時間の長さが経過したとき、ダウンリンクデータを伝送するステップをさらに含む。
【００３６】
第4の態様の第3の可能な実施方式と第4の可能な実施方式のうちのいずれかを参照すると、第5の可能な実施方式では、第1の時間の長さは、ポイント協調機能フレーム間間隔の時間の長さであり、第2の時間の長さは、2つの短フレーム間間隔と1つの伝送保護メッセージの伝送時間の長さとの時間の長さの合計であり、第3の時間の長さは、ポイント協調機能フレーム間間隔の時間の長さであり、ここで、
ポイント協調機能フレーム間間隔の時間の長さは、短フレーム間間隔の時間の長さよりも大きい。
【００３７】
第4の態様または第4の態様の第1の可能な実施方式乃至第5の可能な実施方式のうちのいずれか1つを参照すると、第6の可能な実施方式では、同時に送信された伝送保護メッセージは同じであることは、
同時に送信された伝送保護メッセージをスクランブルするために同じスクランブリングコードシーケンスが使用されることと、
同時に送信された伝送保護メッセージのために同じ変調およびコーディング体系が使用されることと、
同時に送信された伝送保護メッセージは同じMAC層内容を有することとを含む。
【００３８】
第5の態様によると、本発明の実施形態は、局に配置されるデータ伝送保護装置を提供し、且つ、装置は、
第1の受信ユニットであって、ここで、リソース割り当て情報は、アクセスポイントによって、その局を含む少なくとも2つの局に割り当てられた伝送チャネルを含む、第1の受信ユニット、および、割り当てられた伝送チャネルと複数のサブチャネルとの間の相互重複の状態に従って、伝送保護メッセージを送信するために局によって使用される少なくとも1つの重複サブチャネルを取得するように構成された第1の重複サブチャネル取得ユニットであって、ここで、アクセスポイントと局との間の動作帯は、複数のサブチャネルに分割され、且つ、重複サブチャネルは、局に割り当てられた伝送チャネルと重複するサブチャネルである、第1の重複サブチャネル取得ユニットと、
伝送保護メッセージを送信するために局によって使用される少なくとも1つの重複サブチャネルにおける各重複サブチャネルが、伝送保護メッセージを送信するためにその局によってのみ使用されるかどうかを判定するように構成された第1の判定ユニットと、
現在の重複サブチャネルが伝送保護メッセージを送信するためにその局によってのみ使用される場合、現在の重複サブチャネル上で伝送保護メッセージを送信するように構成された第1の送信ユニットと、
現在の重複サブチャネルが伝送保護メッセージを送信するために別の局によってさらに使用される場合、事前に設定された規則に従って、現在の重複サブチャネル上で伝送保護メッセージを送信するように構成された第2の送信ユニットとを含み、ここで、
現在の重複サブチャネルが、伝送保護メッセージを送信するために別の局によってさらに使用される場合、現在の重複サブチャネル上で伝送保護メッセージを送信する複数の局は、現在の重複サブチャネル上で伝送保護メッセージを順次送信し、ここで、複数の局はその局を含み、且つ、
伝送保護メッセージは、アクセスポイントから局へのダウンリンクデータ伝送を保護するために使用され、伝送保護メッセージは持続時間を含み、持続時間は、局に割り当てられた伝送チャネルのための局の排他時間を示すために使用される。
【００３９】
第5の態様の第1の可能な実施方式では、複数のサブチャネルの帯域幅は等しい。
【００４０】
第5の態様または第5の態様の第1の可能な実施方式を参照すると、第2の可能な実施方式では、伝送保護メッセージは、CTSフレームまたはACKフレームを送信可である。
【００４１】
第5の態様または第5の態様の第1乃至第2の可能な実施方式のうちのいずれか1つを参照すると、第3の可能な実施方式では、第1の送信ユニットは、具体的には、
現在の重複サブチャネルが伝送保護メッセージを送信するためにその局によってのみ使用される場合、リソース割り当て情報が受信された後、事前に設定された時間の長さが経過したとき、現在の重複サブチャネル上で伝送保護メッセージを送信するように構成され、または、
第2の送信ユニットは、具体的には、
現在の重複サブチャネルが伝送保護メッセージを送信するために別の局によってさらに使用される場合、リソース割り当て情報が受信された後、事前に設定された時間の長さが経過したとき、事前に設定された規則に従って、現在の重複サブチャネル上で伝送保護メッセージを送信するように構成される。
【００４２】
第5の態様または第5の態様の第1乃至第2の可能な実施方式のうちのいずれか1つを参照すると、第4の可能な実施方式では、第1の送信ユニットは、具体的には、
現在の重複サブチャネルが伝送保護メッセージを送信するためにその局によってのみ使用される場合、アクセスポイントへのアップリンクデータの送信が完了した後、事前に設定された時間の長さが経過したとき、現在の重複サブチャネル上で伝送保護メッセージを送信するように構成され、または、
第2の送信ユニットは、具体的には、
現在の重複サブチャネルが伝送保護メッセージを送信するために別の局によってさらに使用される場合、アクセスポイントへのアップリンクデータの送信が完了した後、事前に設定された時間の長さが経過したとき、事前に設定された規則に従って、現在の重複サブチャネル上で伝送保護メッセージを送信するように構成される。
【００４３】
第5の態様の第3の可能な実施方式と第4の可能な実施方式のうちのいずれかを参照すると、第5の可能な実施方式では、第2の送信ユニットは、
リソース割り当て情報に従って、現在の重複サブチャネル上で伝送保護メッセージを送信する複数の局を取得するように構成された局取得サブユニットと、
ソート規則に従って複数の局をソートするように構成されたソートサブユニットであって、ここで、ソートは、複数の局によって、現在の重複サブチャネル上で伝送保護メッセージを送信する順序を決定するために使用され、且つ、複数の局はその局を含む、ソートサブユニットと、
ソートに従って、局によって伝送保護メッセージを送信する順序を取得するように構成された順序取得サブユニットと、
伝送保護メッセージを送信する順序に従って、対応する第1の送信時点を取得するように構成された第1の送信時点取得サブユニットと、
第1の送信時点で、現在の重複サブチャネル上で伝送保護メッセージを送信するように構成された第1の送信サブユニットとを含み、ここで、
ソート規則は事前に設定されたソート規則か、または、リソース割り当て情報において指示されたソート規則である。
【００４４】
第5の態様の第5の可能な実施方式を参照すると、第6の可能な実施方式では、事前に設定されたソート規則は、
局IDの降順でソートすること、
局IDの昇順でソートすること、または、
リソース割り当て情報における局の順序に従ってソートすることを含む。
【００４５】
第5の態様の第3の可能な実施方式と第4の可能な実施方式のうちのいずれかを参照すると、第7の可能な実施方式では、第2の送信ユニットは、
リソース割り当て情報において指定された伝送保護メッセージ送信順序または第2の送信時点指示情報に従って、第2の送信時点を取得するように構成された第2の送信時点取得サブユニットと、
第2の送信時点で、現在の重複サブチャネル上で伝送保護メッセージを送信するように構成された第2の送信サブユニットとを含み、ここで、
第2の送信時点は、伝送保護メッセージを送信するために使用される時点であり、且つ、現在の重複サブチャネル上で伝送保護メッセージを送信する各局は、1つの第2の送信時点に対応している。
【００４６】
第5の態様または第5の態様の第1乃至第7の可能な実施方式のうちのいずれか1つを参照すると、第8の可能な実施方式では、装置は、リソース割り当て情報から伝送保護指示情報を取得するように構成された第1の伝送保護指示情報取得ユニットであって、ここで、伝送保護指示情報は、局が伝送保護メッセージを送信すべきかどうかを示し、または、局が伝送保護メッセージを送信することを許可されているかどうかを示す、第1の伝送保護指示情報取得ユニットをさらに含み、
第1の重複サブチャネル取得ユニットは、具体的には、伝送保護指示情報が、局が伝送保護メッセージを送信すべきであると示すとき、または、局が伝送保護メッセージを送信することを許可されていると示すとき、割り当てられた伝送チャネルと複数のサブチャネルとの間の相互重複の状態に従って、伝送保護メッセージを送信するために局によって使用される少なくとも1つの重複サブチャネルを取得するように構成される。
【００４７】
第6の態様によると、本発明の実施形態は、局に配置されるデータ伝送保護装置を提供し、且つ、装置は、
第2の受信ユニットであって、ここで、リソース割り当て情報は、アクセスポイントによって、その局を含む少なくとも2つの局に割り当てられた伝送チャネルを含む、第2の受信ユニットと、
割り当てられた伝送チャネルと複数のサブチャネルとの間の相互重複の状態に従って、伝送保護メッセージを送信するために局によって使用される少なくとも1つの重複サブチャネルを取得するように構成された第2の重複サブチャネル取得ユニットであって、ここで、アクセスポイントと局との間の動作帯は、複数のサブチャネルに分割され、且つ、重複サブチャネルは、局に割り当てられた伝送チャネルと重複するサブチャネルである、第2の重複サブチャネル取得ユニットと、
少なくとも1つの重複サブチャネル上で、伝送保護メッセージを送信するように構成された第3の送信ユニットとを含み、ここで、
その上で局が伝送保護メッセージを送信する現在の重複サブチャネルが、伝送保護メッセージを送信するために別の局によってさらに使用される場合、現在の重複サブチャネル上で伝送保護メッセージを送信する複数の局は、現在の重複サブチャネル上で伝送保護メッセージを同時に送信し、ここで、複数の局はその局を含み、
同時に送信された伝送保護メッセージは同じであり、
伝送保護メッセージは、アクセスポイントから局へのダウンリンクデータ伝送を保護するために使用され、伝送保護メッセージは持続時間を含み、持続時間は、局に割り当てられた伝送チャネルのための局の排他時間を示すために使用される。
【００４８】
第6の態様の第1の可能な実施方式では、複数のサブチャネルの帯域幅は等しい。
【００４９】
第6の態様または第6の態様の第1の可能な実施方式を参照すると、第2の可能な実施方式では、伝送保護メッセージは、CTSフレームまたはACKフレームを送信可である。
【００５０】
第6の態様または第6の態様の第1乃至第2の可能な実施方式のうちのいずれか1つを参照すると、第3の可能な実施方式では、第3の送信ユニットは、具体的には、リソース割り当て情報が受信された後、事前に設定された時間の長さが経過したとき、少なくとも1つの重複サブチャネル上で、伝送保護メッセージを送信するように構成され、または、
第3の送信ユニットは、具体的には、アクセスポイントへのアップリンクデータ伝送の送信が完了した後、事前に設定された時間の長さが経過したとき、少なくとも1つの重複サブチャネル上で、伝送保護メッセージを送信するように構成される。
【００５１】
第6の態様または第6の態様の第1乃至第2の可能な実施方式のうちのいずれか1つを参照すると、第4の可能な実施方式では、第3の送信ユニットは、具体的には、リソース割り当て情報が受信された後、リソース割り当て情報において指定された第3の送信時点に従って、第3の送信時点で、伝送保護メッセージを送信するように構成され、または、
第3の送信ユニットは、具体的には、アクセスポイントへのアップリンクデータの送信が完了した後、リソース割り当て情報において指定された第3の送信時点に従って、第3の送信時点で、伝送保護メッセージを送信するように構成され、ここで、
第3の送信時点は、アクセスポイントによって局に割り当てられ、且つ、伝送保護メッセージを送信するために局によって使用される時点である。
【００５２】
第6の態様または第6の態様の第1乃至第2の可能な実施方式のうちのいずれか1つを参照すると、第5の可能な実施方式では、同時に送信された伝送保護メッセージは同じであることは、
同時に送信された伝送保護メッセージをスクランブルするために同じスクランブリングコードシーケンスが使用されることと、
同時に送信された伝送保護メッセージのために同じ変調およびコーディング体系が使用されることと、
同時に送信された伝送保護メッセージは同じMAC層内容を有することとを含む。
【００５３】
第6の態様または第6の態様の第1乃至第5の可能な実施方式のうちのいずれか1つを参照すると、第6の可能な実施方式では、装置は、リソース割り当て情報から伝送保護指示情報を取得するように構成される第2の伝送保護指示情報取得ユニットであって、ここで、伝送保護指示情報は、局が伝送保護メッセージを送信すべきかどうかを示し、または、局が伝送保護メッセージを送信および伝送することを許可されているかどうかを示す、第2の伝送保護指示情報取得ユニットをさらに含み、
第2の重複サブチャネル取得ユニットは、具体的には、伝送保護指示情報が、局が伝送保護メッセージを送信すべきであると示すとき、または、局が伝送保護メッセージを送信することを許可されていると示すとき、割り当てられた伝送チャネルと複数のサブチャネルとの間の相互重複の状態に従って、伝送保護メッセージを送信するために局によって使用される少なくとも1つの重複サブチャネルを取得するように構成される。
【００５４】
第7の態様によると、本発明の実施形態は、アクセスポイントに配置されるデータ伝送保護装置を提供し、且つ、装置は、
第1のリソース割り当て情報送信ユニットであって、ここで、リソース割り当て情報は、アクセスポイントによって、その局を含む少なくとも2つの局に割り当てられた伝送チャネルを含み、その結果、リソース割り当て情報を受信した局は、リソース割り当て情報に従って、伝送保護メッセージを送信するために局によって使用される少なくとも1つの重複サブチャネルを取得し、少なくとも1つの重複サブチャネルにおける各重複サブチャネル上で、伝送保護メッセージを送信する、第1のリソース割り当て情報送信ユニットを含み、ここで、
少なくとも2つの局が現在の重複サブチャネル上で伝送保護メッセージを送信する場合、少なくとも2つの局は、伝送保護メッセージを順次送信し、
アクセスポイントと局との間の動作帯は、複数のサブチャネルに分割され、且つ、重複サブチャネルは、局に割り当てられた伝送チャネルと重複するサブチャネルであり、且つ、
伝送保護メッセージは、アクセスポイントから、伝送保護メッセージを送信する局へのダウンリンクデータを保護するために使用され、伝送保護メッセージは持続時間を含み、持続時間は、局に割り当てられた伝送チャネルのための、伝送保護メッセージを送信する局の排他時間を示すために使用される。
【００５５】
第7の態様の第1の可能な実施方式では、複数のサブチャネルの帯域幅は等しい。
【００５６】
第7の態様または第7の態様の第1の可能な実施方式を参照すると、第2の可能な実施方式では、伝送保護メッセージは、CTSフレームまたはACKフレームを送信可である。
【００５７】
第7の態様または第7の態様の第1乃至第2の可能な実施方式のうちのいずれか1つを参照すると、第3の可能な実施方式では、装置は、第1のリソース割り当て情報送信ユニットがリソース割り当て情報の送信を完了した後、第1の時間の長さ以内に、アクセスポイントが、局によって送信された伝送保護メッセージを受信するか、または、動作帯がビジーであると検出した場合、リソース割り当て情報の送信が終了した後、第2の時間の長さが経過したとき、ダウンリンクデータを局に送信するように構成された第1のダウンリンクデータ送信ユニットをさらに含み、または、
第1のダウンリンクデータ送信ユニットは、第1のリソース割り当て情報送信ユニットがリソース割り当て情報の送信を完了した後、第1の時間の長さ以内に、動作帯がアイドルであると検出された場合、リソース割り当て情報の送信が終了した後、第3の時間の長さが経過したとき、ダウンリンクデータを局に送信するようにさらに構成される。
【００５８】
第7の態様または第7の態様の第1乃至第2の可能な実施方式のうちのいずれか1つを参照すると、第4の可能な実施方式では、装置は、アクセスポイントがリソース割り当て情報の送信を完了した後、局によって送信されたアップリンクデータを受信し、アップリンクデータの受信が完了した後、第1の時間の長さ以内に、局によって送信された伝送保護メッセージが受信されるか、または、動作帯がビジーであると検出された場合、アップリンクデータの受信が終了した後、第2の時間の長さが経過したとき、ダウンリンクデータを伝送するように構成された第2のダウンリンクデータ送信ユニットをさらに含み、または、
第2のダウンリンクデータ送信ユニットは、局によって送信されたアップリンクデータの受信が完了した後、第1の時間の長さ以内に、動作帯がアイドルであると検出された場合、前述のデータ受信が終了した後、第3の時間の長さが経過したとき、ダウンリンクデータを伝送するようにさらに構成される。
【００５９】
第8の態様によると、本発明の実施形態は、アクセスポイントに配置されるデータ伝送保護装置を提供し、且つ、装置は、
リソース割り当て情報を送信するように構成された第2のリソース割り当て情報送信ユニットであって、ここで、リソース割り当て情報は、アクセスポイントによって、その局を含む少なくとも2つの局に割り当てられた伝送チャネルを含み、その結果、リソース割り当て情報を受信した局は、リソース割り当て情報に従って、伝送保護メッセージを送信するために局によって使用される少なくとも1つの重複サブチャネルを取得し、少なくとも1つの重複サブチャネルにおける各重複サブチャネル上で、伝送保護メッセージを送信する、第2のリソース割り当て情報送信ユニットを含み、ここで、
少なくとも2つの局が現在の重複サブチャネル上で伝送保護メッセージを送信する場合、少なくとも2つの局は、伝送保護メッセージを同時に送信し、ここで、同時に送信された伝送保護メッセージは同じであり、
アクセスポイントと局との間の動作帯は、複数のサブチャネルに分割され、且つ、重複サブチャネルは、局に割り当てられた伝送チャネルと重複するサブチャネルであり、
伝送保護メッセージは、アクセスポイントから、局へのダウンリンクデータを保護するために使用され、伝送保護メッセージは持続時間を含み、持続時間は、局に割り当てられた伝送チャネルのための局の排他時間を示すために使用される。
【００６０】
第8の態様の第1の可能な実施方式では、複数のサブチャネルの帯域幅は等しい。
【００６１】
第8の態様または第8の態様の第1の可能な実施方式を参照すると、第2の可能な実施方式では、伝送保護メッセージは、CTSフレームまたはACKフレームを送信可である。
【００６２】
第8の態様または第8の態様の第1乃至第2の可能な実施方式のうちのいずれか1つを参照すると、第3の可能な実施方式では、装置は、第2のリソース割り当て情報送信ユニットがリソース割り当て情報の送信を完了した後、第1の時間の長さ以内に、アクセスポイントが、局によって送信された伝送保護メッセージを受信するか、または、動作帯がビジーであると検出した場合、アクセスポイントによって、リソース割り当て情報の送信が終了した後、第2の時間の長さが経過したとき、ダウンリンクデータを局に送信するように構成された第3のダウンリンクデータ送信ユニットをさらに含み、または、
第3のダウンリンクデータ送信ユニットは、リソース割り当て情報の送信が完了した後、第1の時間の長さ以内に、動作帯がアイドルであると検出された場合、アクセスポイントによって、リソース割り当て情報の送信が終了した後、第3の時間の長さが経過したとき、ダウンリンクデータを局に送信するようにさらに構成される。
【００６３】
第8の態様または第8の態様の第1乃至第2の可能な実施方式のうちのいずれか1つを参照すると、第4の可能な実施方式では、装置は、第2のリソース割り当て情報送信ユニットがリソース割り当て情報の送信を完了した後、局によって送信されたアップリンクデータを受信するように構成された第4のダウンリンクデータ送信ユニットをさらに含み、
第4のダウンリンクデータ送信ユニットは、アップリンクデータの受信が完了した後、第1の時間の長さ以内に、局によって送信された伝送保護メッセージが受信されるか、または、動作帯がビジーであると検出された場合、アップリンクデータの受信が終了した後、第2の時間の長さが経過したとき、ダウンリンクデータを伝送するようにさらに構成され、または、
第4のダウンリンクデータ送信ユニットは、局によって送信されたアップリンクデータの受信が完了した後、第1の時間の長さ以内に、動作帯がアイドルであると検出された場合、前述のデータ受信が終了した後、第3の時間の長さが経過したとき、ダウンリンクデータを伝送するようにさらに構成される。
【００６４】
第9の態様によると、本発明の実施形態は、局を提供し、局は、
アクセスポイントによって送信されたリソース割り当て情報を受信するように構成された受信機であって、ここで、リソース割り当て情報は、アクセスポイントによって、その局を含む少なくとも2つの局に割り当てられた伝送チャネルを含む、受信機と、
割り当てられた伝送チャネルと複数のサブチャネルとの間の相互重複の状態に従って、伝送保護メッセージを送信するために局によって使用される少なくとも1つの重複サブチャネルを取得するように構成されたプロセッサであって、ここで、アクセスポイントと局との間の動作帯は、複数のサブチャネルに分割され、且つ、重複サブチャネルは、局に割り当てられた伝送チャネルと重複するサブチャネルである、プロセッサと、
現在の重複サブチャネルが伝送保護メッセージを送信するためにその局によってのみ使用される場合、現在の重複サブチャネル上で伝送保護メッセージを送信するように構成された送信機とを含み、ここで、
プロセッサは、伝送保護メッセージを送信するために局によって使用される少なくとも1つの重複サブチャネルにおける各重複サブチャネルが、伝送保護メッセージを送信するためにその局によってのみ使用されるかどうかを判定するようにさらに構成され、
送信機は、現在の重複サブチャネルが伝送保護メッセージを送信するために別の局によってさらに使用される場合、事前に設定された規則に従って、現在の重複サブチャネル上で伝送保護メッセージを送信するようにさらに構成され、ここで、
現在の重複サブチャネルが、伝送保護メッセージを送信するために別の局によってさらに使用される場合、現在の重複サブチャネル上で伝送保護メッセージを送信する複数の局は、現在の重複サブチャネル上で伝送保護メッセージを順次送信し、ここで、複数の局はその局を含み、且つ、
伝送保護メッセージは、アクセスポイントから局へのダウンリンクデータ伝送を保護するために使用され、伝送保護メッセージは持続時間を含み、持続時間は、局に割り当てられた伝送チャネルのための局の排他時間を示すために使用される。
【００６５】
第9の態様の第1の可能な実施方式では、送信機は、具体的には、
現在の重複サブチャネルが伝送保護メッセージを送信するためにその局によってのみ使用される場合、リソース割り当て情報が受信された後、事前に設定された時間の長さが経過したとき、現在の重複サブチャネル上で伝送保護メッセージを送信するように構成され、または、
送信機は、具体的には、現在の重複サブチャネルが伝送保護メッセージを送信するために別の局によってさらに使用される場合、リソース割り当て情報が受信された後、事前に設定された時間の長さが経過したとき、事前に設定された規則に従って、現在の重複サブチャネル上で伝送保護メッセージを送信するように構成される。
【００６６】
第9の態様を参照すると、第2の可能な実施方式では、送信機は、具体的には、現在の重複サブチャネルが伝送保護メッセージを送信するためにその局によってのみ使用される場合、アクセスポイントへのアップリンクデータの送信が完了した後、事前に設定された時間の長さが経過したとき、現在の重複サブチャネル上で伝送保護メッセージを送信するように構成され、または、
送信機は、具体的には、現在の重複サブチャネルが伝送保護メッセージを送信するために別の局によってさらに使用される場合、アクセスポイントへのアップリンクデータの送信が完了した後、事前に設定された時間の長さが経過したとき、事前に設定された規則に従って、現在の重複サブチャネル上で伝送保護メッセージを送信するように構成される。
【００６７】
第10の態様によると、本発明の実施形態は、局を提供し、且つ、局は、
アクセスポイントによって送信されたリソース割り当て情報を受信するように構成された受信機であって、ここで、リソース割り当て情報は、アクセスポイントによって、その局を含む少なくとも2つの局に割り当てられた伝送チャネルを含む、受信機と、
割り当てられた伝送チャネルと複数のサブチャネルとの間の相互重複の状態に従って、伝送保護メッセージを送信するために局によって使用される少なくとも1つの重複サブチャネルを取得するように構成されたプロセッサであって、ここで、アクセスポイントと局との間の動作帯は、複数のサブチャネルに分割され、且つ、重複サブチャネルは、局に割り当てられた伝送チャネルと重複するサブチャネルである、プロセッサと、
少なくとも1つの重複サブチャネル上で、伝送保護メッセージを送信するように構成された送信機とを含み、ここで、
その上で局が伝送保護メッセージを送信する現在の重複サブチャネルが、伝送保護メッセージを送信するために別の局によってさらに使用される場合、現在の重複サブチャネル上で伝送保護メッセージを送信する複数の局は、現在の重複サブチャネル上で伝送保護メッセージを同時に送信し、ここで、複数の局はその局を含み、
同時に送信された伝送保護メッセージは同じであり、
伝送保護メッセージは、アクセスポイントから局へのダウンリンクデータ伝送を保護するために使用され、伝送保護メッセージは持続時間を含み、持続時間は、局に割り当てられた伝送チャネルのための局の排他時間を示すために使用される。
【００６８】
第11の態様によると、本発明の実施形態は、アクセスポイントを提供し、且つ、アクセスポイントは、
リソース割り当て情報を生成するように構成されたプロセッサと、
リソース割り当て情報を送信するように構成された送信機であって、ここで、リソース割り当て情報は、アクセスポイントによって、その局を含む少なくとも2つの局に割り当てられた伝送チャネルを含み、その結果、リソース割り当て情報を受信した局は、リソース割り当て情報に従って、伝送保護メッセージを送信するために局によって使用される少なくとも1つの重複サブチャネルを取得し、少なくとも1つの重複サブチャネルにおける各重複サブチャネル上で、伝送保護メッセージを送信する、送信機と、
少なくとも2つの局が現在の重複サブチャネル上で伝送保護メッセージを送信する場合、少なくとも2つの局によって順次送信された伝送保護メッセージを受信するように構成された受信機とを含み、ここで、
アクセスポイントと局との間の動作帯は、複数のサブチャネルに分割され、且つ、重複サブチャネルは、局に割り当てられた伝送チャネルと重複するサブチャネルであり、且つ、
伝送保護メッセージは、アクセスポイントから、伝送保護メッセージを送信する局へのダウンリンクデータを保護するために使用され、伝送保護メッセージは持続時間を含み、持続時間は、局に割り当てられた伝送チャネルのための、伝送保護メッセージを送信する局の排他時間を示すために使用される。
【００６９】
第11の態様の第1の可能な実施方式では、送信機は、リソース割り当て情報の送信が完了した後、第1の時間の長さ以内に、アクセスポイントが、局によって送信された伝送保護メッセージを受信するか、または、動作帯がビジーであると検出した場合、リソース割り当て情報の送信が終了した後、第2の時間の長さが経過したとき、ダウンリンクデータを局に送信するようにさらに構成され、または、
送信機は、リソース割り当て情報の送信が完了した後、第1の時間の長さ以内に、動作帯がアイドルであると検出された場合、リソース割り当て情報の送信が終了した後、第3の時間の長さが経過したとき、ダウンリンクデータを局に送信するようにさらに構成される。
【００７０】
第11の態様を参照すると、第11の態様の第2の可能な実施方式では、受信機は、リソース割り当て情報の送信が完了した後、局によって送信されたアップリンクデータを受信するようにさらに構成され、
送信機は、アップリンクデータの受信が完了した後、第1の時間の長さ以内に、局によって送信された伝送保護メッセージが受信されるか、または、動作帯がビジーであると検出された場合、アップリンクデータの受信が終了した後、第2の時間の長さが経過したとき、ダウンリンクデータを伝送するようにさらに構成され、または、
送信機は、局によって送信されたアップリンクデータの受信が完了した後、第1の時間の長さ以内に、動作帯がアイドルであると検出された場合、前述のデータ受信が終了した後、第3の時間の長さが経過したとき、ダウンリンクデータを伝送するようにさらに構成される。
【００７１】
第12の態様によると、本発明の実施形態は、アクセスポイントを提供し、且つ、アクセスポイントは、
リソース割り当て情報を生成するように構成されたプロセッサと、
リソース割り当て情報を送信するように構成された送信機であって、ここで、リソース割り当て情報は、アクセスポイントによって、その局を含む少なくとも2つの局に割り当てられた伝送チャネルを含み、その結果、リソース割り当て情報を受信した局は、リソース割り当て情報に従って、伝送保護メッセージを送信するために局によって使用される少なくとも1つの重複サブチャネルを取得し、少なくとも1つの重複サブチャネルにおける各重複サブチャネル上で、伝送保護メッセージを送信する、送信機と、
少なくとも2つの局が現在の重複サブチャネル上で伝送保護メッセージを送信する場合、少なくとも2つの局によって同時に送信された伝送保護メッセージを受信するように構成された受信機であって、ここで、同時に送信された伝送保護メッセージは同じである、受信機とを含み、ここで、
アクセスポイントと局との間の動作帯は、複数のサブチャネルに分割され、且つ、重複サブチャネルは、局に割り当てられた伝送チャネルと重複するサブチャネルであり、且つ、
伝送保護メッセージは、アクセスポイントから、局へのダウンリンクデータを保護するために使用され、伝送保護メッセージは持続時間を含み、持続時間は、局に割り当てられた伝送チャネルのための局の排他時間を示すために使用される。
【００７２】
第12の態様の第1の可能な実施方式では、送信機は、リソース割り当て情報の送信が完了した後、第1の時間の長さ以内に、アクセスポイントが、局によって送信された伝送保護メッセージを受信するか、または、動作帯がビジーであると検出した場合、リソース割り当て情報の送信が終了した後、第2の時間の長さが経過したとき、ダウンリンクデータを局に送信するようにさらに構成され、または、
送信機は、リソース割り当て情報の送信が完了した後、第1の時間の長さ以内に、動作帯がアイドルであると検出された場合、リソース割り当て情報の送信が終了した後、第3の時間の長さが経過したとき、ダウンリンクデータを局に送信するようにさらに構成される。
【００７３】
第12の態様を参照すると、第12の態様の第2の可能な実施方式では、受信機は、リソース割り当て情報の送信が完了した後、局によって送信されたアップリンクデータを受信するようにさらに構成され、且つ、
送信機は、アップリンクデータの受信が完了した後、第1の時間の長さ以内に、局によって送信された伝送保護メッセージが受信されるか、または、動作帯がビジーであると検出された場合、アップリンクデータの受信が終了した後、第2の時間の長さが経過したとき、ダウンリンクデータを伝送するようにさらに構成され、または、
送信機は、局によって送信されたアップリンクデータの受信が完了した後、第1の時間の長さ以内に、動作帯がアイドルであると検出された場合、前述のデータ受信が終了した後、第3の時間の長さが経過したとき、ダウンリンクデータを伝送するようにさらに構成される。
【００７４】
本発明の実施形態は、データ伝送保護方法および装置を提供する。局は、アクセスポイントによって送信されたリソース割り当て情報を受信し、ここで、リソース割り当て情報は、アクセスポイントによって局に割り当てられた伝送チャネルを含み、局は、割り当てられた伝送チャネルと複数のサブチャネルとの間の相互重複の状態に従って、伝送保護メッセージを送信するために局によって使用される少なくとも1つの重複サブチャネルを取得し、少なくとも1つの重複サブチャネル上で、伝送保護メッセージを送信し、ここで、伝送保護メッセージは持続時間を含み、持続時間は、局に割り当てられた伝送チャネルのための局の排他時間を示し、その結果、アクセスポイントから局へのデータ伝送は保護され、別のサードパーティ局は、伝送保護メッセージにおける持続時間に従って、別のサードパーティ局の持続時間を設定する。従って、APからSTAに実行される必要があるデータ伝送のための時間および周波数帯は避けられ、さらに、APからSTAに送信されるデータ伝送は保護され、データ伝送の信頼性は改善される。
【図面の簡単な説明】
【００７５】
本発明の実施形態における、または、従来技術における技術的解決手段をより明確に説明するために、以下では、実施形態または従来技術を説明するために必要とされる添付図面を簡潔に説明する。明らかに、以下の説明における添付図面は、単に、本発明のいくつかの実施形態を示し、且つ、当業者は、創造的努力無しに、これらの添付図面から他の図面をさらに導出することができる。
【００７６】
【図１】図1は、本発明の実施形態に係る、データ伝送保護方法のフローチャートである。
【図２】図2は、本発明の実施形態に係る、伝送チャネル上のデータ伝送の概略図である。
【図３】図3は、本発明の実施形態に係る、伝送チャネルとサブチャネルとの間の重複の概略図である。
【図４ａ】図4(a)は、本発明の実施形態に係る、STAによってCTSフレームを送信することの概略図である。
【図４ｂ】図4(b)は、本発明の実施形態に係る、STAによってCTSフレームを送信することの概略図である。
【図５】図5は、本発明の実施形態に係る、STAによって伝送保護メッセージを送信することの概略図である。
【図６】図6は、本発明の実施形態に係る、STAによって伝送保護メッセージを送信することの概略図である。
【図７】図7は、本発明の実施形態に係る、STAによって伝送保護メッセージを送信することの概略図である。
【図８】図8は、本発明の実施形態に係る、STAによって伝送保護メッセージを送信することの概略図である。
【図９】図9は、本発明の実施形態に係る、STAによって伝送保護メッセージを送信することの概略図である。
【図１０】図10は、本発明の実施形態に係る、STAによって伝送保護メッセージを送信することの概略図である。
【図１１】図11は、本発明の実施形態に係る、STAによって伝送保護メッセージを送信することの概略図である。
【図１２】図12は、本発明の実施形態に係る、STAによって伝送保護メッセージを送信することの概略図である。
【図１３】図13は、本発明の実施形態に係る、STAによって伝送保護メッセージを送信することの概略図である。
【図１４】図14は、本発明の実施形態に係る、STAの概略図である。
【図１５】図15は、本発明の実施形態に係る、APの概略図である。
【図１６】図16は、本発明の実施形態に係る、データ伝送保護方法のフローチャートである。
【発明を実施するための形態】
【００７７】
以下では、本発明の実施形態における添付図面を参照して、本発明の実施形態における技術的解決手段を明確且つ完全に説明する。明らかに、説明される実施形態は、本発明の実施形態の単に一部であるが全てではない。創造的努力無しに、本発明の実施形態に基づいて当業者によって得られる全ての他の実施形態は、本発明の保護範囲に包含されるべきである。
【００７８】
本発明を包括的に理解するために、以下の詳細な説明では、多くの具体的な詳細が言及されるが、当業者は、本発明はこれらの具体的な詳細無しに実施され得ることを理解すべきである。他の実施形態では、周知の方法、プロセス、構成要素および回路の詳細な説明は詳細に説明されず、その結果、実施形態は、不必要に不鮮明にされること無く説明される。
【００７９】
本発明の実施形態は、データ伝送保護方法および装置を提供するとともに、APからSTAへのダウンリンクデータ伝送を保護することができる。
【００８０】
実施形態1
【００８１】
図1は、本発明の実施形態に係る、データ伝送保護方法のフローチャートである。図1に示されるように、方法は、STAによって使用され、且つ、方法は以下を含む：
【００８２】
ステップ101：局は、アクセスポイントによって送信されたリソース割り当て情報を受信し、ここで、リソース割り当て情報は、アクセスポイントによって、その局を含む少なくとも2つの局に割り当てられた伝送チャネルを含む。
【００８３】
ステップ102：局は、割り当てられた伝送チャネルと複数のサブチャネルとの間の相互重複の状態に従って、伝送保護メッセージを送信するために局によって使用される少なくとも1つの重複サブチャネルを取得し、ここで、アクセスポイントと局との間の動作帯は、複数のサブチャネルに分割され、且つ、重複サブチャネルは、局に割り当てられた伝送チャネルと重複するサブチャネルである。
【００８４】
ステップ103：伝送保護メッセージを送信するために局によって使用される少なくとも1つの重複サブチャネルにおける各重複サブチャネルが、伝送保護メッセージを送信するためにその局によってのみ使用されるかどうかを判定する。
【００８５】
ステップ104：現在の重複サブチャネルが伝送保護メッセージを送信するためにその局によってのみ使用される場合、局は、現在の重複サブチャネル上で伝送保護メッセージを送信する。
【００８６】
ステップ105：現在の重複サブチャネルが伝送保護メッセージを送信するために別の局によってさらに使用される場合、局は、事前に設定された規則に従って、現在の重複サブチャネル上で伝送保護メッセージを送信する。
【００８７】
現在の重複サブチャネルが、伝送保護メッセージを送信するために別の局によってさらに使用される場合、現在の重複サブチャネル上で伝送保護メッセージを送信する複数の局は、現在の重複サブチャネル上で伝送保護メッセージを順次送信し、ここで、複数の局はその局を含む。
【００８８】
伝送保護メッセージは、アクセスポイントから局へのダウンリンクデータ伝送を保護するために使用され、伝送保護メッセージは持続時間を含み、持続時間は、局に割り当てられた伝送チャネルのための局の排他時間を示すために使用される。
【００８９】
本発明の実施形態は、データ伝送保護方法および装置を提供する。局は、アクセスポイントによって送信されたリソース割り当て情報を受信し、ここで、リソース割り当て情報は、アクセスポイントによって局に割り当てられた伝送チャネルを含み、局は、割り当てられた伝送チャネルと複数のサブチャネルとの間の相互重複の状態に従って、伝送保護メッセージを送信するために局によって使用される少なくとも1つの重複サブチャネルを取得し、少なくとも1つの重複サブチャネル上で、伝送保護メッセージを送信し、ここで、伝送保護メッセージは持続時間を含み、持続時間は、局に割り当てられた伝送チャネルのための局の排他時間を示し、その結果、アクセスポイントから局へのデータ伝送は保護され、別のサードパーティ局は、伝送保護メッセージにおける持続時間に従って、別のサードパーティ局の持続時間を設定する。従って、APからSTAに実行される必要があるデータ伝送のための時間および周波数帯は避けられ、さらに、APからSTAに送信されるデータ伝送は保護され、データ伝送の信頼性は改善される。
【００９０】
例えば、伝送されるデータ量、チャネル条件等、各局によって占有される帯域幅のサイズを決定するための多くの要因が存在する。帯域幅を各局に割り当てる方法は、本発明の焦点ではなく、ここでは詳細に説明されない。
【００９１】
“リソース割り当て情報は、アクセスポイントによって、その局を含む少なくとも2つの局に割り当てられた伝送チャネルを含む”ことは、2つの基本シナリオを含み、OFDMAのみが使用されるシナリオでは、リソース割り当て情報は複数の伝送チャネルを含み、且つ、各伝送チャネルは1つの局に対応しており、MU-MIMOのみが使用されるシナリオでは、リソース割り当て情報はただ一つの伝送チャネルを含み、且つ、伝送チャネルは複数の局に対応しており、すなわち、複数の局は、同じ伝送チャネルを使用することによって伝送を実行する。加えて、伝送チャネルが周波数領域で複数のブロックに分割され、且つ、OFDMAまたはMU-MIMOのいずれかがブロックにおいて使用され、すなわち、OFDMAとMU-MIMOの両方が通信システム内で使用されてよい、ハイブリッドシナリオもまた生じ得る。この場合、リソース割り当て情報は、各ブロックに対する伝送チャネル割り当てを含み、且つ、各ブロックに対する伝送チャネル割り当てでは、OFDMAが使用されるかMU-MIMOが使用されるかについては、基本シナリオのための規則に従う。任意のスケジュールされた局は、確かに、ブロック内に配置され、且つ、任意のブロックに対するリソース割り当ては、確かに、1つの局に対応している。
【００９２】
本発明の本実施形態におけるプロトコルは802.11プロトコルである。本発明の本実施形態では、複数のサブチャネルの帯域幅は等しくてよい。例えば、各サブチャネルの帯域幅は20 MHZであってよい。20-MHZのサブチャネルは、既存のデバイス（ここで、既存のデバイスは、本発明の本実施形態における解決手段をサポートする次の新しいデバイスと比較したレガシーデバイスである）によってサポートされる周波数帯である。従って、本発明の本実施形態は、レガシーデバイスによってサポートされるプロトコルと互換性があることができ、その結果、システムアップグレードコストは低減されることができる。
【００９３】
複数のスケジュールされた局とアクセスポイントとの間の周波数帯は同じである。例えば、802.11acプロトコルでは、アクセスポイントと局との間の動作帯は5 GHzであり、周波数帯は、複数の20-MHZのサブチャネルに分割され、各サブチャネルは、決定された中心周波数を有する。動作帯およびサブチャネル分割は、アクセスポイントと局の両方が従う必要があるプロトコルで指定される。ネットワークが従うプロトコルは、局がネットワークにアクセスするときに、アクセスポイントから習得されることができる。
【００９４】
本発明の別の実施形態では、複数のサブチャネルの帯域幅は等しくなくてよい。例えば、アクセスポイントと局との間の動作帯は40 MHZであるとともに、その帯域幅がそれぞれ10 MHZ、20 MHZおよび10 MHZである3つのサブチャネルに分割されてよい。
【００９５】
本発明の本実施形態では、伝送保護メッセージは、CTSフレームまたはACKフレームを送信可である。2つのタイプのフレームは、既存のデバイス（ここで、既存のデバイスは、本発明の本実施形態における解決手段をサポートする次の新しいデバイスと比較したレガシーデバイスである）によってサポートされることができるフレームである。従って、本発明の本実施形態は、レガシーデバイスによってサポートされるプロトコルと互換性があることができ、その結果、システムアップグレードコストは低減されることができる。
【００９６】
本発明の本実施形態では、全てのサブチャネルは同じ帯域幅を有してよく、例えば、全て20-MHZのサブチャネルである。この場合、既存のデバイスは、互換性があることができ、且つ、本発明の本実施形態の適応性は改善されることができる。加えて、レガシーデバイスは、既存の伝送システムがアップグレードされているとき、置き換えられる必要がなく、従って、システムアップグレードコストは比較的低い。さらに、伝送保護メッセージがCTSフレームまたはACKフレームであるとき、本発明の本実施形態の適応性はさらに改善されることができ、その結果、既存のデバイスによってサポートされるプロトコルはより良く互換性がある。
【００９７】
本発明の各実施形態では、重複は、全カバレッジまたは部分カバレッジを指し、または、全カバレッジと部分カバレッジの組合せであってよい。図3は、本発明の実施形態に係る、複数のサブチャネルとSTAの伝送チャネルとの間の重複の概略図である。図3に示されるように、動作帯はサブチャネル320、サブチャネル321およびサブチャネル322に分割される。STA 1の伝送チャネルは伝送チャネル310であり、STA 2の伝送チャネルは伝送チャネル311であり、STA 3の伝送チャネルは伝送チャネル312であり、STA 4の伝送チャネルは伝送チャネル313である。
【００９８】
図3に示されるように、サブチャネル320は、STA 1の伝送チャネル310全体をカバーし、サブチャネル321は、STA 2の伝送チャネル311全体とSTA 3の伝送チャネル312の一部をカバーし、これは、略して、サブチャネル321は伝送チャネル311と伝送チャネル312をカバーすることであってよく、サブチャネル322は、STA 3の伝送チャネル312の一部とSTA 4の伝送チャネル313全体をカバーし、これは、略して、サブチャネル322は伝送チャネル312と伝送チャネル312をカバーすることであってよい。
【００９９】
STA 1の伝送チャネル310は、サブチャネル320の一部をカバーし、STA 2の伝送チャネル311は、サブチャネル321の一部をカバーし、STA 3の伝送チャネル312は、サブチャネル321の一部とサブチャネル322の一部をカバーし、STA 4の伝送チャネル313はサブチャネル322の一部をカバーする。
【０１００】
重複は相互的であり、すなわち、任意のSTA、例えば、STA 3について、STA 3の伝送チャネル312は、サブチャネル321とサブチャネル322をカバーし、且つ、STA 3の伝送チャネル312はまた、伝送チャネルのサブチャネル321とサブチャネル322によってカバーされる。
【０１０１】
本発明の本実施形態では、STAからAPに送信されるデータは、アップリンクデータまたはアップリンクデータ伝送と呼ばれてよく、APからSTAに送信されるデータは、ダウンリンクデータまたはダウンリンクデータ伝送と呼ばれてよい。
【０１０２】
以下では、持続時間を使用することによって、データ伝送を保護する原理を簡潔に説明する。図2は、本発明の実施形態に係る、伝送チャネル上のデータ伝送の概略図である。APおよびSTAは図2に示されていない。図2に示されるように、APは、リソース割り当て情報201をSTAに送信し、且つ、STAは、ブロードキャスト方式で、伝送保護メッセージを送信する。本実施形態では、伝送保護メッセージは、CTSフレーム202であり、且つ、CTSフレーム202は持続時間203を搬送する。持続時間203以内には、データ伝送204を保護するために、APからSTAへのデータ204のみが伝送チャネル上で送信される。
【０１０３】
本発明の本実施形態では、リソース割り当て情報は、後続のデータ伝送をトリガするために使用されるトリガ（Trigger）フレームであってよい。
【０１０４】
確かに、伝送チャネル上では、APからSTAへのダウンリンクデータ204のみが送信されてよく、または、STAからAPへのアップリンクデータ205のみが送信されてよい。
【０１０５】
図2における持続時間203は、開始時点、終了時点および持続時間の時間の長さを示す。実際、持続時間は数値のみであり、且つ、持続時間の終了時点を測定するためにNAV（Network Allocation Vector, ネットワーク分配ベクトル）が使用される。NAVはバックオフタイマと同等であり、且つ、NAVの初期値は持続時間である。NAVの値が0になるとき、STAの排他時間が終了したと示す。従って、図2における持続時間203はまた、持続時間に対応しているNAVとみなされてよい。
【０１０６】
本発明の本実施形態では、STAによって送信されるCTSフレームの機能は、APからSTAへのダウンリンクデータ伝送を保護することである。従って、リソース割り当て情報が伝送された後、STAからAPへのアップリンクデータのみが伝送される必要がある場合、データ伝送は保護される必要はない。APからSTAに伝送されるダウンリンクデータとSTAからAPに伝送されるアップリンクデータの両方があり、且つ、STAからAPへのデータ伝送が終了した後、APがインスタント確認メッセージをSTAにフィードバックする必要がない場合、伝送保護が必要とされ、且つ、伝送保護は、APからSTAへのデータ伝送が終了するまでのみ続く必要があり、例えば、図2に示される持続時間203の間続き、且つ、過度の保護を回避するために、STAからAPへのデータ伝送は保護される必要はない。APからSTAに伝送されるデータとSTAからAPに伝送されるデータの両方があり、且つ、STAからAPへのデータ伝送が終了した後、APがインスタント確認メッセージをSTAにフィードバックする必要がある場合、この場合、伝送保護は、インスタント確認メッセージBA 210の送信が完了するまで終了する必要があり、例えば、図2に示される持続時間211の間続き、その結果、APからSTAへのインスタント確認メッセージBA 210 もまた保護される。
【０１０７】
結論として、各STAによって送信された伝送保護メッセージにおける持続時間は、STAの具体的なスケジューリング状態に従って決定されてよい。異なるSTAによって送信されるCTSフレームにおける持続時間は同じであっても異なってもよく、その結果、伝送は柔軟に保護される。
【０１０８】
本発明の本実施形態では、CTSフレームは、ACKフレームと置き換えられてよい。本発明の本実施形態では、あるいは、伝送保護メッセージは、既存のデバイスによって理解および復号されることができる別のフレームであってよい。後続の実施形態においては、説明のための例としてCTSフレームが使用される。
【０１０９】
本発明の本実施形態では、少なくとも1つの重複サブチャネル上で伝送保護メッセージを送信するための好ましい解決手段は、全ての重複サブチャネル上で伝送保護メッセージを送信することである。
【０１１０】
本発明の本実施形態における伝送保護方法では、STAは、ブロードキャスト方式で、複数の重複サブチャネル上で、伝送保護メッセージを順次送信し、その結果、別のサードパーティSTAは、伝送保護メッセージにおける持続時間に従って、別のサードパーティSTAの持続時間を設定する。従って、APからSTAに実行される必要があるデータ伝送のための時間および周波数帯は避けられ、さらに、APからSTAに送信されるデータ伝送は保護され、データ伝送の信頼性は改善される。
【０１１１】
実施形態2
【０１１２】
現在の重複サブチャネルが伝送保護メッセージを送信するためにその局によってのみ使用される場合、局は、現在の重複サブチャネル上で伝送保護メッセージを送信するステップ104は、
局がリソース割り当て情報を受信した後、事前に設定された時間の長さが経過したとき、局は、現在の重複サブチャネル上で伝送保護メッセージを送信することを含む。
【０１１３】
現在の重複サブチャネルが伝送保護メッセージを送信するために別の局によってさらに使用される場合、局は、事前に設定された規則に従って、現在の重複サブチャネル上で伝送保護メッセージを送信するステップ105は、
局がリソース割り当て情報を受信した後、事前に設定された時間の長さが経過したとき、局は、事前に設定された規則に従って、現在の重複サブチャネル上で伝送保護メッセージを送信することを含む。
【０１１４】
図4(a)および図4(b)は、本発明の実施形態に係る、STAによってCTSフレームを送信することの概略図である。図4(a)および図4(b)に示されるシナリオでは、STAの伝送チャネルは、2つのサブチャネルと1つのサブチャネルの一部とをカバーし、且つ、ただ一つのSTAが、各サブチャネル上でCTSフレームを送信する。
【０１１５】
図4(a)においては、STAの伝送チャネル410は、サブチャネル420の一部をカバーするとともに、2つのサブチャネル全体をさらにカバーする。2つの完全にカバーされたサブチャネルは、それぞれ、サブチャネル421とサブチャネル423である。サブチャネル420、421および422上で、STAのみがCTSフレームを送信する。図4(a)は、APからSTAへのダウンリンクデータ伝送のみを示す。リソース割り当て情報の後、STAは、CTSフレーム430、CTSフレーム431およびCTSフレーム432をそれぞれサブチャネル420、サブチャネル421およびサブチャネル422上で送信する。異なるサブチャネル上で送信されたCTSフレーム430、CTSフレーム431およびCTSフレーム432は同じであり、且つ、同じ持続時間440を含む。APからSTAへのデータ伝送は、持続時間に従って保護されることができる。
【０１１６】
図4(b)に示されるように、STAの伝送チャネル411は、サブチャネル420の一部をカバーするとともに、2つのサブチャネル全体をさらにカバーする。2つの完全にカバーされたサブチャネルは、それぞれ、サブチャネル421とサブチャネル423である。サブチャネル420、421および422上で、STAのみがCTSフレームを送信する。STAとAPとの間には、STAからAPにのみ伝送されるデータがあり、しかし、APからSTAへのインスタント確認メッセージの状態がある。
【０１１７】
この場合、リソース割り当て情報の後、STAは、CTSフレーム430、CTSフレーム431およびCTSフレーム432をそれぞれサブチャネル420、サブチャネル421およびサブチャネル422上で送信する。異なるサブチャネル上で送信されたCTSフレーム430、CTSフレーム431およびCTSフレーム432は同じであり、且つ、同じ持続時間441を含む。
【０１１８】
STAの伝送チャネルが複数のサブチャネルまたは複数のサブチャネルの一部をカバーするとき、STAは、各サブチャネル上でCTSフレームを送信する。CTSフレームは、持続時間を含むとともに、各サブチャネル上で、APからSTAに伝送されるデータを保護するために使用されることができる。
【０１１９】
図4(a)および図4(b)に示されるシナリオは、単に、CTSフレームが送信される位置を説明するために使用され、複数のSTAがサブチャネル上でCTSフレームを送信する場合を含まない。
【０１２０】
実施形態3
【０１２１】
現在の重複サブチャネルが伝送保護メッセージを送信するためにその局によってのみ使用される場合、局は、現在の重複サブチャネル上で伝送保護メッセージを送信するステップ104は、
局がアクセスポイントへのアップリンクデータの送信を完了した後、事前に設定された時間の長さが経過したとき、局は、現在の重複サブチャネル上で伝送保護メッセージを送信することを含む。
【０１２２】
現在の重複サブチャネルが伝送保護メッセージを送信するために別の局によってさらに使用される場合、局は、事前に設定された規則に従って、現在の重複サブチャネル上で伝送保護メッセージを送信するステップ105は、
局がアクセスポイントへのアップリンクデータの送信を完了した後、事前に設定された時間の長さが経過したとき、局は、事前に設定された規則に従って、現在の重複サブチャネル上で伝送保護メッセージを送信することを含む。
【０１２３】
STAとAPとの間に、STAからAPにのみ伝送されるデータがあり、しかし、APからSTAへのインスタント確認メッセージの状態がある場合、この場合、APからSTAへのインスタント確認メッセージは保護される必要がある。APからSTAへのインスタント確認メッセージの伝送を保護するために、STAによって送信される伝送保護メッセージは、STAからAPへのアップリンクデータ伝送に時間順で続いてよい。
【０１２４】
実施形態2では、STAによって送信される伝送保護メッセージは、リソース割り当て情報に続き、且つ、実施形態3では、STAとAPとの間に、STAからAPにのみ伝送されるデータがあり、しかし、APからSTAへのインスタント確認メッセージの状態がある。この場合、STAによって送信される伝送保護メッセージは、APからSTAへのインスタント確認メッセージの伝送を保護するために、図4(b)に示されるように、リソース割り当て情報に時間順で続いてよく、または、図5に示されるように、STAからAPへのアップリンクデータ伝送に時間順で続いてよい。
【０１２５】
図5は、本発明の実施形態に係る、STAによってCTSフレームを送信することの概略図である。図5に示される適用シナリオでは、サブチャネルとSTAの伝送チャネルとの間の重複の状態は、図4(a)と図4(b)に示される。STAとAPとの間には、STAからAPにのみ伝送されるデータがあり、しかし、APからSTAへのインスタント確認メッセージの状態がある。
【０１２６】
この場合、STAによって送信されるCTSフレーム530、531および532は、STAからAPへのアップリンクデータ伝送に続き、且つ、CTSフレーム530、531および532は同じ持続時間540を含む。
【０１２７】
実施形態4
【０１２８】
局は、事前に設定された規則に従って、現在の重複サブチャネル上で伝送保護メッセージを送信するステップ105は、
局は、リソース割り当て情報に従って、現在の重複サブチャネル上で伝送保護メッセージを送信する複数の局を取得することと、
局は、ソート規則に従って複数の局をソートし、ここで、ソートは、複数の局によって、現在の重複サブチャネル上で伝送保護メッセージを送信する順序を決定するために使用され、且つ、複数の局はその局を含むことと、
局は、ソートに従って、局によって伝送保護メッセージを送信する順序を取得することと、
局は、伝送保護メッセージを送信する順序に従って、対応する第1の送信時点を取得することと、
局は、第1の送信時点で、現在の重複サブチャネル上で伝送保護メッセージを送信することとを含む。
【０１２９】
ソート規則は事前に設定されたソート規則か、または、リソース割り当て情報において指示されたソート規則である。
【０１３０】
事前に設定されたソート規則は、
局IDの降順でソートすること、
局IDの昇順でソートすること、または、
リソース割り当て情報における局の順序に従ってソートすることを含んでよい。
【０１３１】
図6は、本発明の実施形態に係る、STAによって伝送保護メッセージを送信することの概略図である。図6に示されるシナリオでは、伝送保護メッセージはCTSフレームであり、且つ、CTSフレームは、リソース割り当て情報が受信された後に送信される。図6に示されるシナリオでは、サブチャネル610は複数のSTAの伝送チャネルをカバーし、ここで、サブチャネル610は、STA 1の伝送チャネル620の一部をカバーするとともに、STA 2の伝送チャネル621全体とSTA 3の伝送チャネル622全体をカバーする。3つのSTAのIDは、それぞれ1、2および3であり、且つ、3つのSTAの対応する伝送チャネルは、それぞれ、伝送チャネル620、伝送チャネル621および伝送チャネル622である。STA 1の伝送チャネル620はまた、サブチャネル611の一部をカバーする。
【０１３２】
シナリオでは、送信規則は、局IDの昇順でソートすることである。STA 1は、リソース割り当て情報から、それぞれ1、2および3である、サブチャネル610によってカバーされた複数のSTAのIDを取得するとともに、昇順でソートした後、STAがCTSフレームを初めに送信すると習得する。
【０１３３】
サブチャネル610上で、チャネル上のフレーム間のフレーム間間隔が事前に設定されてよい。例えば、第1のCTSフレームは、リソース割り当て情報の受信よりも事前に設定された時間の長さ遅い時点T1で送信され、第2のCTSフレームは、時点T1よりも時間の長さa遅い時点T2で送信され、第3のCTSフレームは、時点T2よりも時間の長さa遅い時点T3で送信される。従って、CTSフレーム送信時点は、CTSフレームを送信するためのSTAのランク付けを習得することによって習得されてよい。
【０１３４】
本発明の本実施形態では、事前に設定された時間の長さは、短フレーム間間隔であってよく、且つ、時間の長さaは、短フレーム間間隔とCTS伝送の時間の長さとの合計であってよい。短フレーム間間隔の時間の長さは、プロトコルで指定される。伝送保護メッセージを搬送するフレームは一般に固定長を有するとともに、特定の変調およびコーディング体系で送信され、従って、フレームの伝送の時間の長さは固定である。例えば、CTSフレームは、44マイクロ秒の伝送の時間の長さが必要とされる最低次の変調およびコーディング体系で、20-MHZのサブチャネル上で送信される。
【０１３５】
図6に示されるように、STA 1は、時点T1でCTSフレーム630を送信する。同様に、STA 2は、時点T2でCTSフレーム631を送信し、且つ、STA 3は、時点T3でCTSフレーム632を送信する。CTSフレーム630は持続時間640を含み、CTSフレーム631は持続時間641を含み、CTSフレーム640は持続時間641を含む。
【０１３６】
本発明の本実施形態における伝送保護方法では、サブチャネルが複数のSTAの伝送チャネルをカバーするとき、すなわち、複数のSTAが同じサブチャネル上でCTSフレームを送信するとき、STAは、特定の順序に従って、CTSフレームを順次送信して、伝送保護を実施し、このことは、同じAPが複数のSTAをスケジュールするとき、伝送保護のために、複数のSTAによってCTSフレームをどのように送信するかという課題を解決し、それによって、APから複数のSTAへの後続のダウンリンクデータ伝送を保護し、伝送の信頼性を改善する。
【０１３７】
実施形態5
【０１３８】
事前に設定された規則に従って、現在の重複サブチャネル上で伝送保護メッセージを送信するステップ105は、
リソース割り当て情報において指定された伝送保護メッセージ送信順序または第2の送信時点指示情報に従って、第2の送信時点を取得することと、
第2の送信時点で、現在の重複サブチャネル上で伝送保護メッセージを送信することとを含んでよい。
【０１３９】
第2の送信時点は、伝送保護メッセージを送信するために使用される時点であり、且つ、現在の重複サブチャネル上で伝送保護メッセージを送信する各局は、1つの第2の送信時点に対応している。
【０１４０】
図7は、本発明の実施形態に係る、STAによって伝送保護メッセージを送信することの概略図である。図7に示されるシナリオでは、伝送保護メッセージはCTSフレームである。サブチャネル710は、複数のSTAの伝送チャネルをカバーし、ここで、複数のSTAは、それぞれ、STA 1、STA 2およびSTA 3であり、且つ、カバーされた複数の伝送チャネルは、それぞれ、伝送チャネル720、伝送チャネル721および伝送チャネル722である。
【０１４１】
各STAがいくつかのSTAのみのスケジューリング情報を受信することができるとき、例えば、STAがそのSTAのみのスケジューリング情報を受信するように設定されているとき、APによって各STAに送信されるリソース割り当て情報は、CTSフレームを送信するための、STAの送信ランク付けを含んでよい。
【０１４２】
図7に示されるように、APによって指定された送信順序は、STA 1、STA 2、STA 3である。CTSフレーム送信間隔は事前に設定され、例えば、第1のCTSフレームは、リソース割り当て情報の受信よりも事前に設定された時間の長さ遅い時点T1で送信され、第2のCTSフレームは、時点T1で送信されたCTSフレームの送信の終了よりも時間の長さb遅い時点T2で送信され、第3のCTSフレームは、時点T2で送信されたCTSフレームの送信の終了よりも時間の長さb遅い時点T3で送信される。従って、CTSフレーム送信時点は、CTSフレームを送信するためのSTAのランク付けを習得することによって習得されてよい。事前に設定された時間の長さと時間の長さbの両方は、短フレーム間間隔であってよい。
【０１４３】
本実施形態では、STA 1は、時点T1でCTSフレーム730を送信し、STA 2は、時点T2でCTSフレーム731を送信し、STA 3は、時点T3でCTSフレーム732を送信する。CTSフレーム730は持続時間740を含み、CTSフレーム731は持続時間731を含み、CTSフレーム740は持続時間741を含む。異なるSTAによって送信されるダウンリンクデータは、異なる持続時間を使用することによって保護される。
【０１４４】
本実施形態では、あるいは、APは、各STAによってCTSフレームを送信するための時点を直接指定してよく、例えば、時点T1でCTSフレームを送信するようにSTA 1を指定してよく、時点T2でCTSフレームを送信するようにSTA 2を指定してよく、時点T3でCTSフレームを送信するようにSTA 3を指定してよい。
【０１４５】
本発明の本実施形態では、APは、STAによってCTSフレームを送信する順序を指定し、または、各STAによって伝送保護メッセージを送信するための第2の送信時点を指定し、このことは、STAが過度な冗長情報、例えば、別のSTAの送信時点を受信することを防ぐとともに、STAが全てのSTAのスケジューリング情報を受信することができないときに、CTSフレームをどのように送信するかという課題もまた解決することができる。従って、APによって複数のSTAに順次送信されたデータは保護されることができ、且つ、データ伝送の信頼性は改善されることができる。
【０１４６】
図8は、本発明の実施形態に係る、STAによって伝送保護メッセージを送信することの概略図である。図8に示される適用シナリオでは、STAからAPに送信されるアップリンクデータ伝送と、APによってSTAに送信されるインスタント確認メッセージとがあり、且つ、APからSTAへのインスタント確認メッセージのみが保護される必要がある。この場合、STAは、STAからAPに送信されたアップリンクデータ伝送の後、CTSフレームを送信してよい。
【０１４７】
各STAによってCTSフレームを送信するための時点は、局のアップリンク伝送ウィンドウの時間の長さと伝送保護メッセージの指定された送信順序とに従って、決定されてよい。例えば、第1のSTAは、第1のSTAによるAPへのアップリンクデータの送信の完了よりも事前に設定された時間の長さ遅い時点T1'でCTSフレームを送信し、且つ、第2のSTAは、時点T1'で送信されたCTSフレームの送信の完了よりも時間の長さc遅い、時点T2'でCTSフレームを送信する。
【０１４８】
事前に設定された時間の長さと時間の長さcの両方は、短フレーム間間隔であってよい。
【０１４９】
実施形態6
【０１５０】
本発明の本実施形態は、データ伝送保護方法をさらに提供する。図16に示されるように、方法は以下を含む：
【０１５１】
ステップ1601：局は、アクセスポイントによって送信されたリソース割り当て情報を受信し、ここで、リソース割り当て情報は、アクセスポイントによって局に割り当てられた伝送チャネルを含み、且つ、伝送チャネルは、アクセスポイントによって局に割り当てられた周波数帯である。
【０１５２】
ステップ1602：局は、割り当てられた伝送チャネルと複数のサブチャネルとの間の相互重複の状態に従って、伝送保護メッセージを送信するために局によって使用される少なくとも1つの重複サブチャネルを取得し、ここで、アクセスポイントと局との間の動作帯は、複数のサブチャネルに分割され、且つ、重複サブチャネルは、局の伝送チャネルと重複するサブチャネルである。
【０１５３】
ステップ1603：少なくとも1つの重複サブチャネル上で、伝送保護メッセージを送信する。
【０１５４】
その上で局が伝送保護メッセージを送信する現在の重複サブチャネルが、伝送保護メッセージを送信するために別の局によってさらに使用される場合、現在の重複サブチャネル上で伝送保護メッセージを送信する複数の局は、現在の重複サブチャネル上で伝送保護メッセージを同時に送信し、ここで、複数の局はその局を含む。
【０１５５】
同時に送信された伝送保護メッセージは同じである。
【０１５６】
伝送保護メッセージは、アクセスポイントから局へのダウンリンクデータ伝送を保護するために使用され、伝送保護メッセージは持続時間を含み、持続時間は、局に割り当てられた伝送チャネルのための局の排他時間を示すために使用される。
【０１５７】
さらに、複数のサブチャネルの帯域幅は等しくてよい。
【０１５８】
さらに、伝送保護メッセージは、CTSフレームまたはACKフレームを送信可であってよい。
【０１５９】
任意で、少なくとも1つの重複サブチャネル上で、伝送保護メッセージを送信するステップ1603は、
リソース割り当て情報が受信された後、事前に設定された時間の長さが経過したとき、伝送保護メッセージを送信することか、または、
アクセスポイントへのアップリンクデータ伝送の送信が完了した後、事前に設定された時間の長さが経過したとき、伝送保護メッセージを送信することを含む。
【０１６０】
任意で、本発明の本実施形態では、少なくとも1つの重複サブチャネル上で、伝送保護メッセージを送信するステップ1603は、
リソース割り当て情報が受信された後、リソース割り当て情報において指定された第3の送信時点に従って、第3の送信時点で、伝送保護メッセージを送信することか、または、
アクセスポイントへのアップリンクデータの送信が完了した後、リソース割り当て情報において指定された第3の送信時点に従って、第3の送信時点で、伝送保護メッセージを送信することを含む。
【０１６１】
第3の送信時点は、アクセスポイントによって局に割り当てられ、且つ、伝送保護メッセージを送信するために局によって使用される時点である。
【０１６２】
本実施形態では、複数のSTAが1つのサブチャネル上でCTSフレームを送信する必要がある場合、複数のSTAは、伝送保護メッセージを同時に送信し、且つ、同時に送信された伝送保護メッセージは同じである。
【０１６３】
さらに、同時に送信された伝送保護メッセージは同じであることは、
同時に送信された伝送保護メッセージをスクランブルするために同じスクランブリングコードシーケンスが使用されることと、
同時に送信された伝送保護メッセージのために同じ変調およびコーディング体系が使用されることと、
同時に送信された伝送保護メッセージは同じMAC層内容を有することとを含んでよい。
【０１６４】
複数の局のスクランブリングコードシーケンスが同じであるために、簡単な実施方法は、複数の局が、同じスクランブリングコードジェネレータ初期状態値を使用することである。例えば、複数の局は、同じ事前に定義されたスクランブリングコードジェネレータ初期状態値を使用し、リソース割り当て情報を搬送するフレームのものと同じスクランブリングコードシーケンスを使用し、同じ規則に基づいて、AP識別子からマッピングすることによって取得されるシーケンスを使用し、同じ規則に基づいて、現在の持続時間からマッピングすることによって取得されるシーケンスを使用し、または、同じ規則に基づいて、AP識別子または現在の持続時間からマッピングすることによって取得されるシーケンスを使用する。現在の持続時間は、リソース割り当て情報を搬送するフレームで搬送される持続時間か、または、CTSフレームで搬送されるべき持続時間である。
【０１６５】
CTSフレームが同じMAC層内容を有することは、伝送保護メッセージが同じ値を有するRAフィールドを含み、且つ、同じ持続時間を含むことであってよい。例えば、RAフィールドは、APのアドレスである。
【０１６６】
事前に設定された時間の長さは、短フレーム間間隔であってよい。
【０１６７】
比較的大量のSTAがスケジュールされるとき、大量の伝送保護メッセージが送信される。異なる時間で伝送保護メッセージを送信することは、極度に高いオーバヘッドをもたらす。加えて、1つのサブチャネルが複数のSTAの伝送チャネルをカバーし、且つ、STAが伝送保護メッセージを送信するための比較的低いランク付けを有する場合、STAによるリソース割り当て情報の受信とSTAによる伝送保護メッセージの送信との間に比較的長い間隔があり、且つ、その間隔の間、STAは、別の局から情報を受信してよく、例えば、別のOBSS STAからCTSフレームを受信してよい。この場合、STAによる伝送保護メッセージのさらなる送信が、OBSS STAによる伝送への干渉を引き起こし得る。同じサブチャネルが、複数のSTAの伝送チャネルをカバーするとき、複数のSTAは、伝送保護メッセージを同時に送信し、このことは、前述の課題を解決することができ、その結果、システムのオーバヘッドは低減され、且つ、潜在的な干渉は低減される。
【０１６８】
MAC層内容が同じであり、且つ、スクランブリングコードシーケンスが同じである一方で、同時に送信された伝送保護メッセージの重畳された物理波形が復号されることができることを保証するために、変調およびコーディング体系が同じである必要がさらにある。変調およびコーディング体系は、変調体系とチャネルコーディング体系の2つの態様を含む。好ましい変調およびコーディング体系は、BPSK（Binary Phase Shift Keying, バイナリ位相シフトキーイング）が変調体系として使用され、且つ、そのビットレートが1/2であるBCC（Binary Convolutional Code, バイナリ畳み込み符号）がチャネルコーディング体系で使用されることである。
【０１６９】
図9は、本発明の実施形態に係る、STAによって伝送保護メッセージを送信することの概略図である。図9に示されるシナリオでは、伝送保護メッセージはCTSフレームである。サブチャネル910は複数のSTAの伝送チャネルをカバーし、ここで、複数のSTAは、それぞれ、STA 1、STA 2およびSTA 3であり、且つ、カバーされた複数の伝送チャネルは、それぞれ、伝送チャネル920、伝送チャネル921および伝送チャネル922である。サブチャネル911は、STA 4とSTA 5の伝送チャネルをカバーする。
【０１７０】
STA 1、STA 2およびSTA 3がリソース割り当て情報を受信した後、事前に設定された時間の長さが経過したとき、STA 1、STA 2およびSTA 3はCTSフレーム830を送信する。
【０１７１】
全てのSTAが同じ時点でリソース割り当て情報を受信し、且つ、事前に設定されたフレーム間間隔の時間もまた同じであるため、複数のSTAは同じ時点でCTSフレームを送信し、すなわち、複数のSTAは、CTSフレームを同時に送信する。
【０１７２】
実際、CTSフレーム830は、複数の同じCTSフレームの重畳によって取得される。
【０１７３】
第3の送信時点もまた、リソース割り当て情報において指定されてよく、その結果、STAは、リソース割り当て情報を受信した後、第3の送信時点でCTSフレームを送信する。
【０１７４】
複数のCTSフレームの重畳によって取得される信号が正しく復号されることができることを保証するために、本実施形態では、重複サブチャネル上で複数の局によって送信される伝送保護メッセージは、同じフレームMAC層内容を有するとともに、同じスクランブリングコードシーケンスを使用することによってスクランブルされる。
【０１７５】
現在の規則によると、伝送フレームのdata部分を送信するとき、各STAは、スクランブリングコードジェネレータ初期状態（7-bitシーケンス）値をランダムに選択して、スクランブリングコードシーケンスを生成し、次いで、スクランブリングコードシーケンスを使用することによってデータをスクランブルする。結果として、2つのCTSフレームは、例え2つのCTSフレームが完全に同じ内容を含んでいても、物理波形において完全に異なり得る。STAによってランダムに選択されたスクランブリングコードジェネレータ初期状態値は異なるため、スクランブリングコードシーケンスは異なるとともに、同じデータをスクランブルすることによって取得される結果もまた異なる。従って、異なるSTAによって送信されるCTSが、物理波形において重畳されることができることを保証するために、その伝送チャネルが同じサブチャネルによってカバーされる複数のSTAは一般に、同じスクランブリングコードジェネレータ初期状態値を使用する。例えば、全てのSTAは、リソース割り当て情報のものと同じスクランブリングコードジェネレータ初期状態値を使用する。しかしながら、リソース割り当て情報はNDPフレームであり得るため、すなわち、data部分とスクランブリングコードジェネレータ初期状態値のどちらも含まないため、STAは、STAによってCTSを生成するためのスクランブリングコードジェネレータ初期状態値として別の値を選択してよい。例は以下のようになる。
【０１７６】
事前に定義された7-bitスクランブリングコードジェネレータ初期状態値が使用される。
【０１７７】
APは、トリガフレーム内で7-bitスクランブリングコードジェネレータ初期状態値を明示的に示す。
【０１７８】
APのMACアドレス内で、7個のbit、例えば、7個の最下位bitが使用される。
【０１７９】
トリガフレームHEW-SIG-AまたはHEW-SIG-BのCRC内の7個のbitが使用される。
【０１８０】
同じスクランブリングコードシーケンスが、同じサブチャネル上でのみ、複数のCTSのために使用される必要があり、且つ、異なるサブチャネル上では、CTSのために、異なるスクランブリングコードシーケンスが使用されてよいことは特に留意されるべきである。例えば、異なるスクランブリングコードシーケンスは、図9における2つのサブチャネル910と911上で、CTSのために使用されることができる。しかしながら、全てのサブチャネル上で同じスクランブリングコードシーケンスが使用されることは簡単であり、好ましい実施でもある。
【０１８１】
加えて、現在の標準における実施方法によると、局が、複数のサブチャネルを使用することによって送信を実行するとき、時間領域信号のピーク対平均電力比を低減するとともに、別のデバイスによる受信を容易にするために、各サブチャネル上のサブキャリアの位相は、異なるエクステントの位相回転を有してよい。本発明では、この規則はまた、CTS送信中従われる必要があり、すなわち、STAは、APによってスケジュールされた帯域幅全体に含まれる全てのサブチャネルに対して事前に決定された規則に従って、全てのサブチャネルの位相回転を決定し、且つ、CTS送信中、その位相回転を使用する。複数のSTAは同じ位相回転規則に従うため、同じサブチャネル上の複数のCTSの位相回転は同じであり、且つ、複数のCTSの重畳によって取得される信号は依然として復号されることができる。
【０１８２】
本発明の本実施形態における方法では、複数のSTAはCTSフレームを同時に送信し、このことは、システムのオーバヘッドを低減するとともに干渉を低減することができる。
【０１８３】
本発明の本実施形態は、複数の具体的な実施方式を提供する。実際の適用では、初期化中に具体的な実施方式が設定され、従って、動作中、方式をさらに示す必要はない。
【０１８４】
図9に示される実施形態では、STAは、リソース割り当て情報を受信した後、CTSフレームを送信する。実際、STAとAPとの間で、STAからAPにのみ伝送されるデータがあり、しかし、APからSTAへのインスタント確認メッセージの状態がある。あるいは、STAは、APへのアップリンクデータ伝送の送信を完了した後、CTSフレームを送信してよい。詳細については、図5および図8に示される実施形態に対して参照が行われることができる。
【０１８５】
実施形態7
【０１８６】
ステップ101の後、ステップ102の前に、すなわち、アクセスポイントによって送信されたリソース割り当て情報が受信された後、局が、アクセスポイントによって送信されたリソース割り当て情報を受信した後、且つ、伝送保護メッセージを送信するために局によって使用される少なくとも1つの重複サブチャネルが取得される前に、方法は、
局によって、リソース割り当て情報から伝送保護指示情報を取得するステップであって、ここで、伝送保護指示情報は、局が伝送保護メッセージを送信すべきかどうかを示し、または、局が伝送保護メッセージを送信することを許可されているかどうかを示す、ステップと、
伝送保護指示情報が、局が伝送保護メッセージを送信すべきであると示すとき、または、局が伝送保護メッセージを送信することを許可されていると示すとき、伝送保護メッセージを送信するために局によって使用される少なくとも1つの重複サブチャネルを取得するステップとをさらに含んでよい。
【０１８７】
APによってスケジュールされる全てのSTAがダウンリンク伝送保護を必要とするわけではない。例えば、APに極度に近いSTAは、伝送保護を必要としない。従って、リソース割り当て情報は、伝送保護を実行するかどうかを指示する指示情報を搬送してよい。本実施形態は、本発明の全ての実施形態に適用されることができる。
【０１８８】
リソース割り当て情報で搬送され、且つ、伝送保護メッセージが使用される必要があるかどうかを指示する指示情報について、以下の解決手段があってよい：
【０１８９】
解決手段1：APは、リソース割り当て情報における1-bit指示を使用し、且つ、指示は、全てのスケジュールされたSTAに対して伝送保護が実行されるか、または、スケジュールされたSTAのいずれに対しても伝送保護が実行されないことを意味する。
【０１９０】
解決手段2：APは、リソース割り当て情報において、各STAに対して伝送保護を実行するかどうかを指示し、例えば、ビットマップ（bitmap）を使用することによって指示を実行してよい。
【０１９１】
解決手段2は、より多くのオーバヘッドを必要とするがより柔軟性があり、CTSの量を有効に低減することができ、遅延広がりの影響をさらに低減することができる。
【０１９２】
解決手段3：APによって送信されるリソース割り当て情報は、伝送保護が必要とされるかどうかを明白に指示せず、各STAは、STAの状態に従って、伝送保護が実行されるべきであるかどうかを判定する。この解決手段は、CTSが同時に送信される場合にのみ適用可能である。
【０１９３】
具体的な実施方法は、APがリソース割り当て情報を送信した後、PIFS（Point Coordination Function Interframe Space, ポイント協調機能フレーム間間隔）時間内に、APは、STAによって送信されたCTSフレームを受信するか、チャネルがビジーであると検出した場合、APは、少なくとも1つのSTAは伝送保護を必要とすると考え、且つ、APは、triggerフレームの送信の終了よりも2つのSIFSおよび1つのCTSの伝送時間の長さ遅い時点でデータの伝送を開始し、そうでなければ（APが、PIFS時間内に、チャネルが常にアイドルであると検出した場合）、APは、triggerフレームの送信の終了よりもPIFS時間遅い時点でデータの伝送を開始することである。STAの観点から、STAが伝送保護を必要とする場合、STAは、リソース割り当て情報の受信よりもSIFS遅い時点でCTSを送信する。PIFSはSIFSよりも大きい。確かに、triggerフレームの終了に加えて、アップリンクデータの終了は、時間の開始時点として使用されてよい。
【０１９４】
解決手段4： APは、リソース割り当て情報における1-bit指示を使用し、且つ、指示は、伝送保護は許可されるが、各STAは、STAの状態に従って、伝送保護が実行されるべきかどうかを判定し、または、伝送保護は許可されないことを意味する。
【０１９５】
具体的な実施方法は、指示ビットが0に設定されたとき、伝送保護は、スケジュールされたSTAのために許可されず、指示ビットが1に設定されたとき、APがリソース割り当て情報を送信した後、PIFS（Point Coordination Function Interframe Space, ポイント協調機能フレーム間間隔）時間内に、APは、STAによって送信されたCTSフレームを受信するか、チャネルがビジーであると検出した場合、APは、少なくとも1つのSTAは伝送保護を必要とすると考え、且つ、APは、triggerフレームの送信の終了よりも2つのSIFSおよび1つのCTSの伝送時間の長さ遅い時点でデータの伝送を開始し、そうでなければ（APが、PIFS時間内に、チャネルが常にアイドルであると検出した場合）、APは、triggerフレームの送信の終了よりもPIFS時間遅い時点でデータの伝送を開始することである。STAの観点から、受信された指示ビットが1に設定され、且つ、伝送保護がSTAに対して実行される必要がある場合、STAは、リソース割り当て情報の受信よりもSIFS遅い時点でCTSを送信する。PIFSはSIFSよりも大きい。確かに、triggerフレームの終了に加えて、アップリンクデータの終了は、時間の開始時点として使用されてよい。
【０１９６】
解決手段5：APは、triggerフレームを使用することによって、伝送保護を実行するかどうかを暗に指示する。この方法では、triggerフレームのいくつかの既存のフィールドは一般に、再利用される必要があり、且つ、この方法の最終的な効果は、解決手段1または解決手段4の最終的な効果と同様である。
【０１９７】
例では、解決手段4は、暗示的な指示によって実施される。具体的な実施方法は、triggerフレームのL-SIG（Legacy SIGNAL, レガシーシグナリング）フィールドにおけるlengthフィールドが0に設定されたとき、APは、スケジュールされたSTAに対して伝送保護が実行されることを許可したと示し、triggerフレームのL-SIGフィールドにおけるlengthフィールドの値が0よりも大きいとき、APは、スケジュールされたSTAに対して伝送保護が実行されることを許可しないと示すことである。
【０１９８】
伝送保護を実行するかどうかを指示する指示情報に従って、伝送保護を実行するかどうかが判定され、このことは、過度な保護を回避することができ、システムリソースを低減することもまたできる。
【０１９９】
実施形態8
【０２００】
本発明の本実施形態はデータ伝送保護方法をさらに提供する。方法は、
アクセスポイントによって、リソース割り当て情報を送信するステップであって、ここで、リソース割り当て情報は、少なくとも2つの局に割り当てられた伝送チャネルに関する情報を含み、その結果、リソース割り当て情報を受信した局は、リソース割り当て情報に従って、伝送保護メッセージを送信するために局によって使用される少なくとも1つの重複サブチャネルを取得し、少なくとも1つの重複サブチャネルにおける各重複サブチャネル上で、伝送保護メッセージを送信する、ステップと、
少なくとも2つの局が現在の重複サブチャネル上で伝送保護メッセージを送信する場合、少なくとも2つの局によって、伝送保護メッセージを順次送信するステップとを含む。
【０２０１】
アクセスポイントと局との間の動作帯は、複数のサブチャネルに分割され、且つ、重複サブチャネルは、局の伝送チャネルと重複するサブチャネルである。
【０２０２】
伝送保護メッセージは、アクセスポイントから、伝送保護メッセージを送信する局へのダウンリンクデータを保護するために使用され、伝送保護メッセージは持続時間を含み、持続時間は、局に割り当てられた伝送チャネルのための、伝送保護メッセージを送信する局の排他時間を示すために使用される。
【０２０３】
任意で、本発明の本実施形態では、リソース割り当て情報の送信が完了した後、第1の時間の長さ以内に、局によって送信された伝送保護メッセージが受信されるか、または、動作帯がビジーであると検出された場合、アクセスポイントは、リソース割り当て情報の送信が終了した後、第2の時間の長さが経過したとき、ダウンリンクデータを伝送し、または、
リソース割り当て情報の送信が完了した後、第1の時間の長さ以内に、動作帯がアイドルであると検出された場合、アクセスポイントは、リソース割り当て情報の送信が終了した後、第3の時間の長さが経過したとき、ダウンリンクデータを伝送する。
【０２０４】
任意で、本発明の本実施形態では、局によって送信されたアップリンクデータの受信が完了した後、第1の時間の長さ以内に、局によって送信された伝送保護メッセージが受信されるか、または、動作帯がビジーであると検出された場合、前述のデータ受信が終了した後、第2の時間の長さが経過したとき、ダウンリンクデータが伝送されるか、または、
局によって送信されたアップリンクデータの受信が完了した後、第1の時間の長さ以内に、動作帯がアイドルであると検出された場合、前述のデータ受信が終了した後、第3の時間の長さが経過したとき、ダウンリンクデータが伝送される。
【０２０５】
任意で、本実施形態では、第1の時間の長さは、分散フレーム間間隔の時間の長さであってよく、第2の時間の長さは、2つの短フレーム間間隔と1つの伝送保護メッセージの伝送時間の長さとの時間の長さの合計であってよく、第3の時間の長さは、分散フレーム間間隔の時間の長さであってよい。
【０２０６】
分散フレーム間間隔の時間の長さは、短フレーム間間隔の時間の長さよりも大きい。
【０２０７】
任意で、本実施形態では、第1の時間の長さは、ポイント協調機能フレーム間間隔の時間の長さであってよく、第2の時間の長さは、2つの短フレーム間間隔と1つの伝送保護メッセージの伝送時間の長さとの時間の合計であってよく、第3の時間の長さは、ポイント協調機能フレーム間間隔の時間の長さであってよい。
【０２０８】
ポイント協調機能フレーム間間隔の時間の長さは、短フレーム間間隔の時間の長さよりも大きい。
【０２０９】
本発明の実施形態はデータ伝送保護方法をさらに提供する。方法は、
アクセスポイントによって、リソース割り当て情報を送信するステップであって、ここで、リソース割り当て情報は、少なくとも2つの局に割り当てられた伝送チャネルに関する情報を含み、その結果、リソース割り当て情報を受信した局は、リソース割り当て情報に従って、伝送保護メッセージを送信するために局によって使用される少なくとも1つの重複サブチャネルを取得し、少なくとも1つの重複サブチャネルにおける各重複サブチャネル上で、伝送保護メッセージを送信する、ステップと、
少なくとも2つの局が現在の重複サブチャネル上で伝送保護メッセージを送信する場合、少なくとも2つの局によって、伝送保護メッセージを同時に送信するステップであって、ここで、同時に送信された伝送保護メッセージは同じである、ステップとを含む。
【０２１０】
アクセスポイントと局との間の動作帯は、複数のサブチャネルに分割され、且つ、重複サブチャネルは、局の伝送チャネルと重複するサブチャネルである。
【０２１１】
伝送保護メッセージは、アクセスポイントから、局へのダウンリンクデータを保護するために使用され、伝送保護メッセージは持続時間を含み、持続時間は、局に割り当てられた伝送チャネルのための局の排他時間を示すために使用される。
【０２１２】
実施形態9
【０２１３】
図10は、本発明の実施形態に係る、適用シナリオの概略図である。図10に示されるように、チャネルは、複数の固有のサブチャネルに分割され、且つ、各サブチャネルの帯域幅は20 MHZである。図10は、一部のサブチャネルのみを示す。チャネル上には、APからSTAに伝送されるダウンリンクデータ、STAからAPに伝送されるアップリンクデータおよびAPからSTAへのインスタント確認メッセージがあり、且つ、各サブチャネル上のCTSフレームは順次送信される。
【０２１４】
サブチャネル1010上では、アップリンクデータは、STA 1およびSTA 2によってAPに別々に伝送されるデータを含み、且つ、ダウンリンクデータは、APによって、STA 1およびSTA 3に別々に伝送されるデータを含む。APは、STAにインスタント確認メッセージをフィードバックする必要があるため、STA 1、STA 2およびSTA 3の全ては、CTSフレームを送信する必要がある。
【０２１５】
STA 1、STA 2およびSTA 3によってそれぞれ送信されるCTS 1、CTS 2およびCTS 3は、STA IDの昇順で、サブチャネル1010上で順次送信される必要がある。
【０２１６】
同様に、STA 3、STA 4、STA 5およびSTA 6によってそれぞれ送信されるCTS 3、CTS 4、CTS 5およびCTS 6は、サブチャネル1020上で順次送信される必要がある。
【０２１７】
実施形態10
【０２１８】
図11は、本発明の実施形態に係る、適用シナリオの概略図である。図11に示されるように、チャネルは、複数のサブチャネルに分割され、且つ、各サブチャネルの帯域幅は20 MHZである。図11は、一部のサブチャネルのみを示す。チャネル上には、APからSTAに伝送されるダウンリンクデータ、STAからAPに伝送されるアップリンクデータおよびAPからSTAへのインスタント確認メッセージがあり、且つ、各サブチャネル上のCTSフレームは同時に送信される。
【０２１９】
サブチャネル1110上では、アップリンクデータは、STA 1およびSTA 2によってAPに別々に伝送されるデータを含み、且つ、ダウンリンクデータは、APによって、STA 1およびSTA 3に別々に伝送されるデータを含む。インスタント確認メッセージはフィードバックされる必要があるため、STA 1、STA 2およびSTA 3の全ては、CTSフレームを送信する必要があり、且つ、全てのSTAはCTSフレームを同時に送信する。CTS 123は、STA 1、STA 2およびSTA 3によって送信されるCTSフレームの重畳によって取得される。
【０２２０】
同様に、サブチャネル1120上で、CTS 3456は、STA 3、STA 4、STA 5およびSTA 6によって送信されるCTSフレームの重畳によって取得される。
【０２２１】
実施形態11
【０２２２】
本発明における伝送保護方法は、OFDMAに適用可能であるだけでなく、MU MIMOシステムにもまた適用可能である。本実施形態では、伝送保護メッセージはCTSフレームである。
【０２２３】
図12は、本発明の実施形態に係る、STAによって伝送保護メッセージを送信することの概略図である。図11に示される適用シナリオは、MU MIMOシステムである。
【０２２４】
図12に示されるように、リソース割り当て情報は、複数のSTAのMIMO伝送のためのスケジューリングのために使用される。MU MIMOシステムでは、全てのSTAは同じ周波数帯上でデータを受信し、従って、帯域幅全体はまた、データ保護フレームの伝送のために占有される。図12に示されるように、スケジュールされたSTA 1、STA 2、STA 3およびSTA 4は、伝送チャネル全体の全てのサブチャネル上で、伝送保護メッセージを送信する。複数のSTAは、送信規則に従ってソートされてよく、または、APは、送信順序を指定してよい。図12に示される適用シナリオでは、STA 1、STA 2、STA 3およびSTA 4は、各サブチャネル上でCTS 1、CTS 2、CTS 3およびCTS 4を順次送信する。
【０２２５】
同様に、本発明における伝送保護方法は、MU MIMOシステムに適用され、且つ、複数のSTAはまた、伝送保護メッセージを同時に送信してよい。図13は、本発明の実施形態に係る、STAによって伝送保護メッセージを送信することの概略図である。図13に示されるように、STA 1、STA 2、STA 3およびSTA 4は、各サブチャネル上で、CTS 1234を同時に送信する。
【０２２６】
本発明の本実施形態における伝送保護方法はまた、MU MIMOシステムで伝送保護を実施することができることがわかる。
【０２２７】
実施形態12
【０２２８】
本発明の本実施形態はSTAを提供し、且つ、STAは、STAが伝送保護メッセージを順次送信する前述の実施形態における任意の実施形態で提供されるデータ伝送保護方法におけるSTAによって実行される機能を実行するように構成される。図14を参照すると、STAは、受信機1401、プロセッサ1402および送信機1403を含む（1つまたは複数のプロセッサがあってよく、1つのプロセッサが本実施形態における例として使用され、プロセッサを含む別の実施形態は、ここでの説明を参照して理解されることができる）。
【０２２９】
受信機1401は、アクセスポイントによって送信されたリソース割り当て情報を受信するように構成され、ここで、リソース割り当て情報は、アクセスポイントによって局に割り当てられた伝送チャネルを含み、且つ、伝送チャネルは、アクセスポイントによって局に割り当てられた周波数帯である。
【０２３０】
プロセッサ1402は、割り当てられた伝送チャネルと複数のサブチャネルとの間の相互重複の状態に従って、伝送保護メッセージを送信するために局によって使用される少なくとも1つの重複サブチャネルを取得するように構成され、ここで、アクセスポイントと局との間の動作帯は、複数のサブチャネルに分割され、且つ、重複サブチャネルは、局の伝送チャネルと重複するサブチャネルである。
【０２３１】
プロセッサ1402は、伝送保護メッセージを送信するために局によって使用される少なくとも1つの重複サブチャネルにおける各重複サブチャネルが、伝送保護メッセージを送信するためにその局によってのみ使用されるかどうかを判定するようにさらに構成される。
【０２３２】
送信機1403は、現在の重複サブチャネルが伝送保護メッセージを送信するためにその局によってのみ使用される場合、現在の重複サブチャネル上で伝送保護メッセージを送信するように構成される。
【０２３３】
送信機1403は、現在の重複サブチャネルが伝送保護メッセージを送信するために別の局によってさらに使用される場合、事前に設定された規則に従って、現在の重複サブチャネル上で伝送保護メッセージを送信するようにさらに構成される。
【０２３４】
現在の重複サブチャネルが、伝送保護メッセージを送信するために別の局によってさらに使用される場合、現在の重複サブチャネル上で伝送保護メッセージを送信する複数の局は、現在の重複サブチャネル上で伝送保護メッセージを順次送信し、ここで、複数の局はその局を含む。
【０２３５】
伝送保護メッセージは、アクセスポイントから局へのダウンリンクデータ伝送を保護するために使用され、伝送保護メッセージは持続時間を含み、持続時間は、局に割り当てられた伝送チャネルのための局の排他時間を示すために使用される。
【０２３６】
任意で、送信機1403は、リソース割り当て情報が受信された後、事前に設定された時間の長さが経過したとき、現在の重複サブチャネル上で伝送保護メッセージを送信するようにさらに構成される。
【０２３７】
送信機1403は、リソース割り当て情報が受信された後、事前に設定された時間の長さが経過したとき、事前に設定された規則に従って、現在の重複サブチャネル上で伝送保護メッセージを送信するようにさらに構成される。
【０２３８】
任意で、送信機1403は、アクセスポイントへのアップリンクデータの送信が完了した後、事前に設定された時間の長さが経過したとき、現在の重複サブチャネル上で伝送保護メッセージを送信するようにさらに構成される。
【０２３９】
送信機1403は、アクセスポイントへのアップリンクデータの送信が完了した後、事前に設定された時間の長さが経過したとき、事前に設定された規則に従って、現在の重複サブチャネル上で伝送保護メッセージを送信するようにさらに構成される。
【０２４０】
本発明の各実施形態は局を提供し、本発明の各実施形態は局を提供し、その結果、アクセスポイントから局へのデータ伝送は保護されることができ、別のサードパーティ局は、伝送保護メッセージにおける持続時間に従って、別のサードパーティ局の持続時間を設定することができる。従って、APからSTAに実行される必要があるデータ伝送のための時間および周波数帯は避けられ、さらに、APからSTAに送信されるデータ伝送は保護され、データ伝送の信頼性は改善される。
【０２４１】
実施形態13
【０２４２】
本発明の本実施形態はSTAをさらに提供し、且つ、STAは、STAが伝送保護メッセージを同時に送信する前述の実施形態における任意の実施形態で提供されるデータ伝送保護方法におけるSTAによって実行される機能を実行するように構成される。
【０２４３】
STAは、
アクセスポイントによって送信されたリソース割り当て情報を受信するように構成された受信機であって、ここで、リソース割り当て情報は、アクセスポイントによって局に割り当てられた伝送チャネルを含み、且つ、伝送チャネルは、アクセスポイントによって局に割り当てられた周波数帯である、受信機と、
割り当てられた伝送チャネルと複数のサブチャネルとの間の相互重複の状態に従って、伝送保護メッセージを送信するために局によって使用される少なくとも1つの重複サブチャネルを取得するように構成されたプロセッサであって、ここで、アクセスポイントと局との間の動作帯は、複数のサブチャネルに分割され、且つ、重複サブチャネルは、局の伝送チャネルと重複するサブチャネルである、プロセッサと、
少なくとも1つの重複サブチャネル上で、伝送保護メッセージを送信するように構成された送信機とを含む。
【０２４４】
その上で局が伝送保護メッセージを送信する現在の重複サブチャネルが、伝送保護メッセージを送信するために別の局によってさらに使用される場合、現在の重複サブチャネル上で伝送保護メッセージを送信する複数の局は、現在の重複サブチャネル上で伝送保護メッセージを同時に送信し、ここで、複数の局はその局を含む。
【０２４５】
同時に送信された伝送保護メッセージは同じである。
【０２４６】
伝送保護メッセージは、アクセスポイントから局へのダウンリンクデータ伝送を保護するために使用され、伝送保護メッセージは持続時間を含み、持続時間は、局に割り当てられた伝送チャネルのための局の排他時間を示すために使用される。
【０２４７】
本発明の各実施形態は局を提供し、その結果、アクセスポイントから局へのデータ伝送は保護されることができ、別のサードパーティ局は、伝送保護メッセージにおける持続時間に従って、別のサードパーティ局の持続時間を設定することができる。従って、APからSTAに実行される必要があるデータ伝送のための時間および周波数帯は避けられ、さらに、APからSTAに送信されるデータ伝送は保護され、データ伝送の信頼性は改善される。
【０２４８】
実施形態14
【０２４９】
本発明の本実施形態はAPを提供し、且つ、APは、前述の対応する実施形態における任意の実施形態で提供されるデータ伝送保護方法におけるAPによって実行される機能を実行するように構成される。図15を参照すると、APは、受信機1501、プロセッサ1502および送信機1503を含む。
【０２５０】
プロセッサ1502は、リソース割り当て情報を生成するように構成される。
【０２５１】
送信機1503は、リソース割り当て情報を送信するように構成され、ここで、リソース割り当て情報は、少なくとも2つの局に割り当てられた伝送チャネルに関する情報を含み、その結果、リソース割り当て情報を受信した局は、リソース割り当て情報に従って、伝送保護メッセージを送信するために局によって使用される少なくとも1つの重複サブチャネルを取得し、少なくとも1つの重複サブチャネルにおける各重複サブチャネル上で、伝送保護メッセージを送信する。
【０２５２】
受信機1501は、少なくとも2つの局が現在の重複サブチャネル上で伝送保護メッセージを送信する場合、少なくとも2つの局によって順次送信された伝送保護メッセージを受信するように構成される。
【０２５３】
アクセスポイントと局との間の動作帯は、複数のサブチャネルに分割され、且つ、重複サブチャネルは、局の伝送チャネルと重複するサブチャネルである。
【０２５４】
伝送保護メッセージは、アクセスポイントから、伝送保護メッセージを送信する局へのダウンリンクデータを保護するために使用され、伝送保護メッセージは持続時間を含み、持続時間は、局に割り当てられた伝送チャネルのための、伝送保護メッセージを送信する局の排他時間を示すために使用される。
【０２５５】
任意で、送信機1503は、リソース割り当て情報の送信が完了した後、第1の時間の長さ以内に、アクセスポイントが、局によって送信された伝送保護メッセージを受信するか、または、動作帯がビジーであると検出した場合、リソース割り当て情報の送信が終了した後、第2の時間の長さが経過したとき、ダウンリンクデータを局に送信するようにさらに構成される。
【０２５６】
送信機1503は、リソース割り当て情報の送信が完了した後、第1の時間の長さ以内に、動作帯がアイドルであると検出された場合、リソース割り当て情報の送信が終了した後、第3の時間の長さが経過したとき、ダウンリンクデータを局に送信するようにさらに構成される。
【０２５７】
任意で、受信機1501は、リソース割り当て情報の送信が完了した後、局によって送信されたアップリンクデータを受信するようにさらに構成される。
【０２５８】
送信機1503は、アップリンクデータの受信が完了した後、第1の時間の長さ以内に、局によって送信された伝送保護メッセージが受信されるか、または、動作帯がビジーであると検出された場合、アップリンクデータの受信が終了した後、第2の時間の長さが経過したとき、ダウンリンクデータを伝送するようにさらに構成される。
【０２５９】
送信機1503は、局によって送信されたアップリンクデータの受信が完了した後、第1の時間の長さ以内に、動作帯がアイドルであると検出された場合、前述のデータ受信が終了した後、第3の時間の長さが経過したとき、ダウンリンクデータを伝送するようにさらに構成される。
【０２６０】
本発明の各実施形態はアクセスポイントを提供し、その結果、アクセスポイントから局へのデータ伝送は保護されることができ、別のサードパーティ局は、伝送保護メッセージにおける持続時間に従って、別のサードパーティ局の持続時間を設定することができる。従って、APからSTAに実行される必要があるデータ伝送のための時間および周波数帯は避けられ、さらに、APからSTAに送信されるデータ伝送は保護され、データ伝送の信頼性は改善される。
【０２６１】
実施形態15
【０２６２】
本発明の本実施形態はAPを提供し、且つ、APは、前述の対応する実施形態における任意の実施形態で提供されるデータ伝送保護方法におけるAPによって実行される機能を実行するように構成される。APは、
リソース割り当て情報を生成するように構成されたプロセッサと、
リソース割り当て情報を送信するように構成された送信機であって、ここで、リソース割り当て情報は、少なくとも2つの局に割り当てられた伝送チャネルに関する情報を含み、その結果、リソース割り当て情報を受信した局は、リソース割り当て情報に従って、伝送保護メッセージを送信するために局によって使用される少なくとも1つの重複サブチャネルを取得し、少なくとも1つの重複サブチャネルにおける各重複サブチャネル上で、伝送保護メッセージを送信する、送信機と、
少なくとも2つの局が現在の重複サブチャネル上で伝送保護メッセージを送信する場合、少なくとも2つの局によって同時に送信された伝送保護メッセージを受信するように構成された受信機であって、ここで、同時に送信された伝送保護メッセージは同じである、受信機とを含む。
【０２６３】
アクセスポイントと局との間の動作帯は、複数のサブチャネルに分割され、且つ、重複サブチャネルは、局の伝送チャネルと重複するサブチャネルである。
【０２６４】
伝送保護メッセージは、アクセスポイントから局へのダウンリンクデータを保護するために使用され、伝送保護メッセージは持続時間を含み、持続時間は、局に割り当てられた伝送チャネルのための局の排他時間を示すために使用される。
【０２６５】
任意で、送信機は、リソース割り当て情報の送信が完了した後、第1の時間の長さ以内に、アクセスポイントが、局によって送信された伝送保護メッセージを受信するか、または、動作帯がビジーであると検出した場合、リソース割り当て情報の送信が終了した後、第2の時間の長さが経過したとき、ダウンリンクデータを局に送信するようにさらに構成される。
【０２６６】
送信機は、リソース割り当て情報の送信が完了した後、第1の時間の長さ以内に、動作帯がアイドルであると検出された場合、リソース割り当て情報の送信が終了した後、第3の時間の長さが経過したとき、ダウンリンクデータを局に送信するようにさらに構成される。
【０２６７】
任意で、受信機は、リソース割り当て情報の送信が完了した後、局によって送信されたアップリンクデータを受信するようにさらに構成される。
【０２６８】
送信機は、アップリンクデータの受信が完了した後、第1の時間の長さ以内に、局によって送信された伝送保護メッセージが受信されるか、または、動作帯がビジーであると検出された場合、アップリンクデータの受信が終了した後、第2の時間の長さが経過したとき、ダウンリンクデータを伝送するようにさらに構成される。
【０２６９】
送信機は、局によって送信されたアップリンクデータの受信が完了した後、第1の時間の長さ以内に、動作帯がアイドルであると検出された場合、前述のデータ受信が終了した後、第3の時間の長さが経過したとき、ダウンリンクデータを伝送するようにさらに構成される。
【０２７０】
前述の実施形態では、各実施形態における説明において焦点がある。実施形態で詳細に説明されない部分については、他の実施形態における関連する説明に対して参照が行われてよい。
【０２７１】
本発明の各実施形態はアクセスポイントを提供し、その結果、アクセスポイントから局へのデータ伝送は保護されることができ、別のサードパーティ局は、伝送保護メッセージにおける持続時間に従って、別のサードパーティ局の持続時間を設定することができる。従って、APからSTAに実行される必要があるデータ伝送のための時間および周波数帯は避けられ、さらに、APからSTAに送信されるデータ伝送は保護され、データ伝送の信頼性は改善される。
【０２７２】
本発明の実施形態は、データ伝送保護方法および装置、局およびアクセスポイントを提供する。局は、アクセスポイントによって送信されたリソース割り当て情報を受信し、ここで、リソース割り当て情報は、アクセスポイントによって局に割り当てられた伝送チャネルを含み、局は、割り当てられた伝送チャネルと複数のサブチャネルとの間の相互重複の状態に従って、伝送保護メッセージを送信するために局によって使用される少なくとも1つの重複サブチャネルを取得し、少なくとも1つの重複サブチャネル上で、伝送保護メッセージを送信し、ここで、伝送保護メッセージは持続時間を含み、持続時間は、局に割り当てられた伝送チャネルのための局の排他時間を示し、その結果、アクセスポイントから局へのデータ伝送は保護され、別のサードパーティ局は、伝送保護メッセージにおける持続時間に従って、別のサードパーティ局の持続時間を設定する。従って、APからSTAに実行される必要があるデータ伝送のための時間および周波数帯は避けられ、さらに、APからSTAに送信されるデータ伝送は保護され、データ伝送の信頼性は改善される。
【０２７３】
本発明で提供される全ての実施形態では、各実施形態における説明において焦点がある。実施形態で詳細に説明されない部分については、他の実施形態における関連する説明に対して参照が行われてよい。
【０２７４】
本発明の全ての実施形態では、リソース割り当て情報に含まれるとともに、アクセスポイントによって局に割り当てられるチャネルリソースによって指示される伝送チャネルは、データ伝送のために局によって順次使用されるデータ伝送チャネルであってよく、例えば、2 MHZの最小単位で割り当てられるデータ伝送チャネルであってよい。この場合、局はデータ伝送チャネルに従って、伝送保護メッセージを送信するために使用される1つまたは複数の重複サブチャネル（CTSフレーム等）を逆に推測する必要がある。重複サブチャネルは、例えば、その上にデータ伝送チャネルが配置される1つまたは複数の20-MHZチャネルである。あるいは、リソース割り当て情報に含まれるとともに、アクセスポイントによって局に割り当てられるチャネルリソースによって指示される伝送チャネルは、APによって指定されるとともに、伝送保護メッセージを送信するために特に使用されるサブチャネルであってよく、すなわち、伝送チャネルは、サブチャネル帯域幅の最小単位で指示される。例えば、APが局に40-MHZチャネル上で伝送保護メッセージを送信するように命令する場合、局は、40-MHZチャネルに含まれる2つの20-MHZサブチャネル上で伝送保護メッセージを同時に送信する。
【０２７５】
装置の実施形態は方法の実施形態に基本的に対応しているため、関連する部分については、方法の実施形態に対して参照が行われてよい。前述の説明された装置の実施形態は、単に例示的なものである。別々の部分として説明されたユニットは、物理的に分離していてもしていなくてもよく、且つ、ユニットとして表示される部分は、物理的なユニットであってもなくてもよく、すなわち、1つの位置に配置されてよく、または、複数のネットワークユニット上で分配されてよい。いくつかのまたは全てのモジュールは、実施形態の解決手段の目的を達成するための実際のニーズに従って選択されてよい。当業者は、創造的努力無しに、本発明の実施形態を理解および実施することができる。
【０２７６】
本発明は、例えばプログラムモジュール等の、コンピュータによって実行される実行可能なコンピュータ命令の一般的な文脈で説明されることができる。一般に、プログラムモジュールは、特定のタスクを実行するためのまたは特定の抽象データ型を実施するためのルーチン、プログラム、オブジェクト、コンポーネント、データ構造等を含む。本発明はまた、タスクが、通信ネットワークを使用することによって接続されている遠隔処理デバイスによって実行される分散コンピューティング環境で実施されてもよい。分散コンピューティング環境では、プログラムモジュールは、記憶デバイスを含むローカルおよび遠隔両方のコンピュータ記憶メディア内に配置されてよい。
【０２７７】
当業者は、前述の方法の実施形態のステップの全てまたは一部は、関連ハードウェアに命令するプログラムによって実施されてよいことを理解することができる。プログラムは、コンピュータ可読記憶媒体内に記憶されてよい。ここでの記憶媒体は、ROM、RAM、磁気ディスク、光ディスク等を含む。
【０２７８】
当業者は、本発明の全ての実施形態で説明される方法は、特定の順序に従って現れる複数の操作またはステップを含むが、方法は、より多くのまたはより少ない操作またはステップを含んでよく、ここで、これらの操作またはステップは、順序に従って実行されるか、または、並行に実行されてよく、且つ、順序は必ずしも厳密な順序ではないことを理解することができる。
【０２７９】
本明細書では、第1および第2等の関連用語は、あるエンティティまたは操作を別のエンティティまたは操作と区別するためのみに使用され、且つ、これらのエンティティまたは操作間に任意の実際の関係または順序が存在することを必ずしも必要とする、または暗示するものではないことはさらに留意されるべきである。さらに、「含む（include）」、「含む（comprise）」またはそれらの任意の他の変形の用語は、非排他的な包含をカバーするように意図され、その結果、要素のリストを含むプロセス、方法、物品またはデバイスはそれらの要素を含むだけでなく、明示的に列挙されていない他の要素も含み、または、このようなプロセス、方法、物品またはデバイスに固有の要素も含む。「…を含む」に続く要素は、さらなる制約無しに、その要素を含むプロセス、方法、物品またはデバイスにおける追加の同一要素の存在を排除しない。
【０２８０】
前述の説明は、本発明の単に例示的な実施形態であるが、本発明の保護範囲を限定するように意図されない。本発明の原理および実施方式を説明するために具体的な例が本明細書内で使用される。前述の実施形態の説明は、本発明の方法およびコアなアイデアの理解を助けるように単に意図される。加えて、当業者は、本発明のアイデアに従って、具体的な実施方式および適用範囲に関して修正を行うことができる。従って、本明細書の内容は、本発明への限定として解釈されるべきでない。本発明の精神および原理を逸脱すること無しに行われる任意の修正、同等置換または改良は、本発明の保護範囲に包含されるべきである。
【符号の説明】
【０２８１】
201  リソース割り当てフレーム
203  持続時間
204  APからSTAへのデータ
205  STAからAPへのデータ
210  APからSTAへのBA
211  持続時間
540  持続時間
640  持続時間
641  持続時間
642  持続時間
740  持続時間
741  持続時間
742  持続時間
940  持続時間
1401  受信機
1402  プロセッサ
1403  送信機
1501  受信機
1502  プロセッサ
1503  送信機
【図１】
2018501730.tif 000003
【図２】
2018501730.tif 000004
【図３】
2018501730.tif 000005
【図４ａ】
2018501730.tif 000006
【図４ｂ】
2018501730.tif 000007
【図５】
2018501730.tif 000008
【図６】
2018501730.tif 000009
【図７】
2018501730.tif 000010
【図８】
2018501730.tif 000011
【図９】
2018501730.tif 000012
【図１０】
2018501730.tif 000013
【図１１】
2018501730.tif 000014
【図１２】
2018501730.tif 000015
【図１３】
2018501730.tif 000016
【図１４】
2018501730.tif 000017
【図１５】
2018501730.tif 000018
【図１６】
2018501730.tif 000019
【手続補正書】
【提出日】平成29年8月18日(2017.8.18)
【手続補正１】
【補正対象書類名】特許請求の範囲
【補正対象項目名】全文
【補正方法】変更
【補正の内容】
【特許請求の範囲】
【請求項１】
データ伝送保護方法であって、前記方法は、
局によって、アクセスポイントによって送信された、スクランブルされたtriggerフレームを受信するステップであって、前記スクランブルされたtriggerフレームは、第1のスクランブリングコードシーケンスを使用してスクランブルされた、ステップと、
前記局によって、前記スクランブルされたtriggerフレームに従って、第2のスクランブリングコードシーケンスを使用して、伝送保護メッセージをスクランブルして、スクランブルされた伝送保護メッセージを生成するステップであって、前記第2のスクランブリングコードシーケンスは、前記第1のスクランブリングコードシーケンスと同一である、ステップと、
前記局によって、前記triggerフレームに従って、前記スクランブルされた伝送保護メッセージを送信するステップであって、前記伝送保護メッセージは、前記局と前記アクセスポイントとの間のデータ伝送を保護するために使用される、ステップとを含む、方法。
【請求項２】
前記第1のスクランブリングコードシーケンスを生成するために使用される第1のスクランブリングコードジェネレータ初期状態値は、前記第2のスクランブリングコードシーケンスを生成するために使用される第2のスクランブリングコードジェネレータ初期状態値と同一である、請求項1に記載の方法。
【請求項３】
前記スクランブルされたtriggerフレームは、前記アクセスポイントによって、前記局を含む少なくとも2つの局に割り当てられたチャネルリソースを含むリソース割り当て情報を含む、請求項1または2に記載の方法。
【請求項４】
前記スクランブルされた伝送保護メッセージは、前記局が、前記局に割り当てられたチャネルリソースを使用するために排他的である期間を示す持続時間を含む、請求項1乃至3のいずれか1項に記載の方法。
【請求項５】
前記少なくとも2つの局は、前記リソース割り当て情報を受信した後、スクランブルされた伝送保護メッセージを同時に送信し、且つ、前記スクランブルされた伝送保護メッセージは、前記アクセスポイントと前記スクランブルされた伝送保護メッセージを送信する前記局との間のデータ伝送を保護するために使用される、請求項3に記載の方法。
【請求項６】
前記同時に送信されたスクランブルされた伝送保護メッセージは同じである、請求項5に記載の方法。
【請求項７】
前記同時に送信されたスクランブルされた伝送保護メッセージと共に、
前記スクランブルされた伝送保護メッセージをスクランブルするために使用される共通のスクランブリングコードシーケンスと、
前記スクランブルされた伝送保護メッセージのために使用される共通の変調およびコーディング体系と、
前記スクランブルされた伝送保護メッセージの共通のMAC層内容とを含む、請求項5または6に記載の方法。
【請求項８】
前記共通のスクランブリングコードシーケンスは、共通のスクランブリングコードジェネレータ初期状態値を含む、請求項7に記載の方法。
【請求項９】
前記スクランブルされたtriggerフレームを受信した事前に設定された時間後、前記STAは前記伝送保護メッセージを送信する、請求項1乃至8のいずれか1項に記載の方法。
【請求項１０】
前記スクランブルされた伝送保護メッセージは、送信可（CTS）フレームまたはACKフレームを含む、請求項1乃至9のいずれか1項に記載の方法。
【請求項１１】
局であって、前記局は、
アクセスポイントによって送信された、スクランブルされたtriggerフレームを受信するように構成された受信機であって、前記スクランブルされたtriggerフレームは、第1のスクランブリングコードシーケンスを使用してスクランブルされた、受信機と、
前記スクランブルされたtriggerフレームに従って、スクランブルされた伝送保護メッセージを送信するように構成された送信機であって、前記スクランブルされた伝送保護メッセージは、前記局と前記アクセスポイントとの間のデータ伝送を保護するために使用される、送信機と、
前記スクランブルされたtriggerフレームに従って、第2のスクランブリングコードシーケンスを使用して、伝送保護メッセージをスクランブルして、前記スクランブルされた伝送保護メッセージを生成し、
前記スクランブルされた伝送保護メッセージを送信のために前記送信機に提供するように構成されたプロセッサであって、前記第2のスクランブリングコードシーケンスは、前記第1のスクランブリングコードシーケンスと同一である、プロセッサとを含む、局。
【請求項１２】
前記第1のスクランブリングコードシーケンスを生成するために使用される第1のスクランブリングコードジェネレータ初期状態値は、前記第2のスクランブリングコードシーケンスを生成するために使用される第2のスクランブリングコードジェネレータ初期状態値と同一である、請求項11に記載の局。
【請求項１３】
前記スクランブルされたtriggerフレームは、前記アクセスポイントによって、前記局を含む少なくとも2つの局に割り当てられたチャネルリソースを含む、リソース割り当て情報を含む、請求項11または12に記載の局。
【請求項１４】
前記スクランブルされた伝送保護メッセージは、前記局が、前記局に割り当てられたチャネルリソースを使用するために排他的である期間を示す持続時間を含む、請求項11乃至13のいずれか1項に記載の局。
【請求項１５】
前記少なくとも2つの局は、前記リソース割り当て情報を受信した後、スクランブルされた伝送保護メッセージを同時に送信し、且つ、前記スクランブルされた伝送保護メッセージは、前記アクセスポイントと前記スクランブルされた伝送保護メッセージを送信する前記局との間のデータ伝送を保護するために使用される、請求項13に記載の局。
【請求項１６】
前記同時に送信されたスクランブルされた伝送保護メッセージは同じである、請求項15に記載の局。
【請求項１７】
前記同時に送信されたスクランブルされた伝送保護メッセージと共に、
前記同時に送信されたスクランブルされた伝送保護メッセージをスクランブルするために使用される共通のスクランブリングコードシーケンスと、
前記同時に送信されたスクランブルされた伝送保護メッセージのために使用される共通の変調およびコーディング体系と、
前記スクランブルされた伝送保護メッセージの共通のMAC層内容とを含む、請求項15または16に記載の局。
【請求項１８】
前記共通のスクランブリングコードシーケンスは、共通のスクランブリングコードジェネレータ初期状態値を含む、請求項17に記載の局。
【請求項１９】
前記送信機は、具体的には、前記スクランブルされたtriggerフレームが受信された後、事前に設定された時間の長さが経過したとき、前記伝送保護メッセージを送信するように構成される、請求項11乃至18のいずれか1項に記載の局。
【請求項２０】
前記スクランブルされた伝送保護メッセージは、送信可（CTS）フレームまたはACKフレームを含む、請求項11乃至19のいずれか1項に記載の局。
【手続補正２】
【補正対象書類名】明細書
【補正対象項目名】全文
【補正方法】変更
【補正の内容】
【発明の詳細な説明】
【技術分野】
【０００１】
本発明は通信分野に関し、詳細には、データ伝送保護方法および装置、局およびアクセスポイントに関する。
【背景技術】
【０００２】
通信技術の発展に伴い、WiFi技術はまた、より高いシステム容量が満たされる次世代WiFi HEW（High Efficiency WLAN, 高効率WLAN）技術に発展し、且つ、AP（Access Point, アクセスポイント）およびSTA(Station, 局)が密集して分布するシナリオが主に考慮される。次世代WiFi HEWシナリオでは、スケジューリングベースのOFDMA（Orthogonal Frequency Division Multiple Access, 直交周波数分割多重接続）データ伝送メカニズムまたはMU MIMO（Multi-User Multiple-Input Multiple-Output, マルチユーザ多重入力多重出力）技術が使用される。OFDMAシステムでは、APは、異なるサブチャネル上で、データ伝送のために複数のSTAを同時にスケジュールする。MU MIMOシステムでは、複数のSTAは、同じ周波数帯上でデータを受信する。前述の2つのシステムは両方とも、スペクトル効率およびシステムスループットを有効に改善することができる。
【０００３】
OFDMAデータ伝送メカニズムの基本プロセスは、APが、複数のSTAのリソーススケジューリング情報を含むトリガ（Trigger）フレームを送信し、スケジュールされたSTAが、対応する時間内且つ対応する周波数帯上で、triggerフレームにおけるリソーススケジューリング情報に従って、APとデータを交換することを含む。APおよびSTAが密集して分布するWiFi HEWシナリオでは、大量のOBSS（Overlapping Basic Service Set, 重複基本サービスセット）が存在するため、伝送信頼性を保証するために、データ伝送プロセスにおけるデータ伝送間で相互干渉が回避される必要がある。
【０００４】
従来のデータ伝送保護方法は、RTS/CTS（Request to Send/Clear to Send, 送信要求/送信可）メカニズムである。具体的なプロセスは、データ送信パーティは、データ受信パーティに、既知のデータ伝送量に基づくデータ送信パーティによる計算によって取得された持続時間を搬送するRTSフレームを送信することを含む。RTSフレームを正しく受信した後、データ受信パーティは、データ送信パーティに、持続時間を搬送するCTSフレームを返す。CTSフレーム内で搬送される持続時間は、CTSフレーム送信のために占有される時間の長さおよび2つのSIFS（Short Interframe Space, 短フレーム間間隔）が、RTSフレーム内で搬送される持続時間から差し引かれた後に取得される値である。無線チャネルブロードキャスト特性により、CTSフレームは、他のWiFiデバイスによって受信されてよい。これらのWiFiデバイスは、CTSフレーム内で搬送される持続時間に従って、WiFiデバイスのNAV（Network Allocation Vector, ネットワーク分配ベクトル）を設定し、すなわち、バックオフタイマを設定する。NAVが0に低減される前に、WiFiデバイスは、データ伝送を能動的に開始せず、それにより、進行中のデータ伝送への干渉の発生を回避する。明らかに、CTSフレーム内で搬送される持続時間は、データ伝送のための排他時間の期間の予約と同等であるとともに、後続のデータ伝送を保護するために使用される。従って、CTSフレーム内で搬送される持続時間は、データ伝送保護情報、すなわち、伝送保護メッセージと呼ばれてよい。
【０００５】
WiFi HEWでは、OFDMAメカニズムが導入されるため、STAの送信チャネルおよび受信チャネルは、APによって完全に決定され、且つ、データ伝送保護は、比較的複雑になる。
【０００６】
APからSTAへのダウンリンク伝送のために、STAは、その上でAPがデータをSTAに送信するチャネルを事前に知らず、従って、STAは、CTSフレーム送信方式と同様の方式で、APからSTAへのデータ伝送を事前に保護することはできない。
【０００７】
別の態様では、レガシーデバイス（Legacy Device）によってサポートされるプロトコルにおいて、伝送チャネルは、複数のサブチャネルに固定して分割され、且つ、各サブチャネルの帯域幅は20MHZである。レガシーデバイスによってサポートされるプロトコルでは、CTSフレームによって占有される帯域幅は20MHZである。すなわち、伝送チャネルがN個のサブチャネルに固定して分割された場合、最大N個のCTSフレームのみ、同時に伝送チャネル上で伝送されることができる。OFDMAシステムでは、リソースがより有効にスケジュールされるために、最小の分割された周波数帯の幅がレガシーデバイスのサブチャネルの幅よりも小さいことがある。結果として、レガシーデバイスは、HEWフレームを正しく受信することはできない。
【０００８】
MU MIMOシステムでは、同様の課題がまた存在する。従来技術におけるデータ伝送保護方法では、レガシーデバイスによってサポートされるプロトコルとの互換性を維持しながら、APからSTAへのデータ伝送を保護することは困難であることがわかる。
【発明の概要】
【課題を解決するための手段】
【０００９】
アクセスポイントと局との間のデータ伝送に対する保護の欠如の課題を解決するために、本発明の実施形態は、データ伝送保護方法および装置を提供する。
【００１０】
第1の態様によると、本発明の実施形態は、データ伝送保護方法を提供し、且つ、方法は、
局によって、アクセスポイントによって送信されたリソース割り当て情報を受信するステップであって、ここで、リソース割り当て情報は、アクセスポイントによって、その局を含む少なくとも2つの局に割り当てられた伝送チャネルを含む、ステップと、
局によって、割り当てられた伝送チャネルと複数のサブチャネルとの間の相互重複の状態に従って、伝送保護メッセージを送信するために局によって使用される少なくとも1つの重複サブチャネルを取得するステップであって、ここで、アクセスポイントと局との間の動作帯は、複数のサブチャネルに分割され、且つ、重複サブチャネルは、局に割り当てられた伝送チャネルと重複するサブチャネルである、ステップと、
伝送保護メッセージを送信するために局によって使用される少なくとも1つの重複サブチャネルにおける各重複サブチャネルが、伝送保護メッセージを送信するためにその局によってのみ使用されるかどうかを判定するステップと、
現在の重複サブチャネルが伝送保護メッセージを送信するためにその局によってのみ使用される場合、局によって、現在の重複サブチャネル上で伝送保護メッセージを送信するステップか、または、
現在の重複サブチャネルが伝送保護メッセージを送信するために別の局によってさらに使用される場合、局によって、事前に設定された規則に従って、現在の重複サブチャネル上で伝送保護メッセージを送信するステップを含み、ここで、
現在の重複サブチャネルが、伝送保護メッセージを送信するために別の局によってさらに使用される場合、現在の重複サブチャネル上で伝送保護メッセージを送信する複数の局は、現在の重複サブチャネル上で伝送保護メッセージを順次送信し、ここで、複数の局はその局を含み、且つ、
伝送保護メッセージは、アクセスポイントから局へのダウンリンクデータ伝送を保護するために使用され、伝送保護メッセージは持続時間を含み、持続時間は、局に割り当てられた伝送チャネルのための局の排他時間を示すために使用される。
【００１１】
第1の態様の第1の可能な実施方式では、複数のサブチャネルの帯域幅は等しい。
【００１２】
第1の態様または第1の態様の第1の可能な実施方式を参照すると、第2の可能な実施方式では、伝送保護メッセージは、CTSフレームまたはACKフレームを送信可である。
【００１３】
第1の態様または第1の態様の第1乃至第2の可能な実施方式のうちのいずれか1つを参照すると、第3の可能な実施方式では、現在の重複サブチャネルが伝送保護メッセージを送信するためにその局によってのみ使用される場合、局によって、現在の重複サブチャネル上で伝送保護メッセージを送信するステップは、
局がリソース割り当て情報を受信した後、事前に設定された時間の長さが経過したとき、局によって、現在の重複サブチャネル上で伝送保護メッセージを送信するステップを含み、または、
現在の重複サブチャネルが伝送保護メッセージを送信するために別の局によってさらに使用される場合、局によって、事前に設定された規則に従って、現在の重複サブチャネル上で伝送保護メッセージを送信するステップは、
局がリソース割り当て情報を受信した後、事前に設定された時間の長さが経過したとき、局によって、事前に設定された規則に従って、現在の重複サブチャネル上で伝送保護メッセージを送信するステップを含む。
【００１４】
第1の態様または第1の態様の第1乃至第2の可能な実施方式のうちのいずれか1つを参照すると、第4の可能な実施方式では、現在の重複サブチャネルが伝送保護メッセージを送信するためにその局によってのみ使用される場合、局によって、現在の重複サブチャネル上で伝送保護メッセージを送信するステップは、
局がアクセスポイントへのアップリンクデータの送信を完了した後、事前に設定された時間の長さが経過したとき、局によって、現在の重複サブチャネル上で伝送保護メッセージを送信するステップを含み、または、
現在の重複サブチャネルが伝送保護メッセージを送信するために別の局によってさらに使用される場合、局によって、事前に設定された規則に従って、現在の重複サブチャネル上で伝送保護メッセージを送信するステップは、
局がアクセスポイントへのアップリンクデータの送信を完了した後、事前に設定された時間の長さが経過したとき、局によって、事前に設定された規則に従って、現在の重複サブチャネル上で伝送保護メッセージを送信するステップを含む。
【００１５】
第1の態様の第3の可能な実施方式と第4の可能な実施方式のうちのいずれかを参照すると、第5の可能な実施方式では、局によって、事前に設定された規則に従って、現在の重複サブチャネル上で伝送保護メッセージを送信するステップは、
局によって、リソース割り当て情報に従って、現在の重複サブチャネル上で伝送保護メッセージを送信する複数の局を取得するステップと、
局によって、ソート規則に従って複数の局をソートするステップであって、ここで、ソートは、複数の局によって、現在の重複サブチャネル上で伝送保護メッセージを送信する順序を決定するために使用され、且つ、複数の局はその局を含む、ステップと、
局によって、ソートに従って、局によって伝送保護メッセージを送信する順序を取得するステップと、
局によって、伝送保護メッセージを送信する順序に従って、対応する第1の送信時点を取得するステップと、
局によって、第1の送信時点で、現在の重複サブチャネル上で伝送保護メッセージを送信するステップとを含み、ここで、
ソート規則は事前に設定されたソート規則か、または、リソース割り当て情報において指示されたソート規則である。
【００１６】
第1の態様の第5の可能な実施方式を参照すると、第6の可能な実施方式では、事前に設定されたソート規則は、
局IDの降順でソートすること、
局IDの昇順でソートすること、または、
リソース割り当て情報における局の順序に従ってソートすることを含む。
【００１７】
第1の態様の第3の可能な実施方式と第4の可能な実施方式のうちのいずれかを参照すると、第7の可能な実施方式では、事前に設定された規則に従って、現在の重複サブチャネル上で伝送保護メッセージを送信するステップは、
リソース割り当て情報において指定された伝送保護メッセージ送信順序または第2の送信時点指示情報に従って、第2の送信時点を取得するステップと、
第2の送信時点で、現在の重複サブチャネル上で伝送保護メッセージを送信するステップとを含み、ここで、
第2の送信時点は、伝送保護メッセージを送信するために使用される時点であり、且つ、現在の重複サブチャネル上で伝送保護メッセージを送信する各局は、1つの第2の送信時点に対応している。
【００１８】
第1の態様または第1の態様の第1乃至第7の可能な実施方式のうちのいずれか1つを参照すると、第8の可能な実施方式では、局がアクセスポイントによって送信されたリソース割り当て情報を受信した後、且つ、伝送保護メッセージを送信するために局によって使用される少なくとも1つの重複サブチャネルが取得される前に、方法は、
局によって、リソース割り当て情報から伝送保護指示情報を取得するステップであって、ここで、伝送保護指示情報は、局が伝送保護メッセージを送信すべきかどうかを示し、または、局が伝送保護メッセージを送信することを許可されているかどうかを示す、ステップと、
伝送保護指示情報が、局が伝送保護メッセージを送信すべきであると示すとき、または、局が伝送保護メッセージを送信することを許可されていると示すとき、伝送保護メッセージを送信するために局によって使用される少なくとも1つの重複サブチャネルを取得するステップとをさらに含む。
【００１９】
第2の態様によると、本発明の実施形態は、データ伝送保護方法を提供し、且つ、方法は、
局によって、アクセスポイントによって送信されたリソース割り当て情報を受信するステップであって、ここで、リソース割り当て情報は、アクセスポイントによって、その局を含む少なくとも2つの局に割り当てられた伝送チャネルを含む、ステップと、
局によって、割り当てられた伝送チャネルと複数のサブチャネルとの間の相互重複の状態に従って、伝送保護メッセージを送信するために局によって使用される少なくとも1つの重複サブチャネルを取得するステップであって、ここで、アクセスポイントと局との間の動作帯は、複数のサブチャネルに分割され、且つ、重複サブチャネルは、局の伝送チャネルと重複するサブチャネルである、ステップと、
少なくとも1つの重複サブチャネル上で、伝送保護メッセージを送信するステップとを含み、ここで、
その上で局が伝送保護メッセージを送信する現在の重複サブチャネルが、伝送保護メッセージを送信するために別の局によってさらに使用される場合、現在の重複サブチャネル上で伝送保護メッセージを送信する複数の局は、現在の重複サブチャネル上で伝送保護メッセージを同時に送信し、ここで、複数の局はその局を含み、
同時に送信された伝送保護メッセージは同じであり、
伝送保護メッセージは、アクセスポイントから局へのダウンリンクデータ伝送を保護するために使用され、伝送保護メッセージは持続時間を含み、持続時間は、局に割り当てられた伝送チャネルのための局の排他時間を示すために使用される。
【００２０】
第2の態様の第1の可能な実施方式では、複数のサブチャネルの帯域幅は等しい。
【００２１】
第2の態様または第2の態様の第1の可能な実施方式を参照すると、第2の可能な実施方式では、伝送保護メッセージは、CTSフレームまたはACKフレームを送信可である。
【００２２】
第2の態様または第2の態様の第1乃至第2の可能な実施方式のうちのいずれか1つを参照すると、第3の可能な実施方式では、少なくとも1つの重複サブチャネル上で、伝送保護メッセージを送信するステップは、
リソース割り当て情報が受信された後、事前に設定された時間の長さが経過したとき、伝送保護メッセージを送信するステップか、または、
アクセスポイントへのアップリンクデータの送信が完了した後、事前に設定された時間の長さが経過したとき、伝送保護メッセージを送信するステップを含む。
【００２３】
第2の態様または第2の態様の第1乃至第2の可能な実施方式のうちのいずれか1つを参照すると、第4の可能な実施方式では、少なくとも1つの重複サブチャネル上で、伝送保護メッセージを送信するステップは、
リソース割り当て情報が受信された後、リソース割り当て情報において指定された第3の送信時点に従って、第3の送信時点で、伝送保護メッセージを送信するステップか、または、
アクセスポイントへのアップリンクデータの送信が完了した後、リソース割り当て情報において指定された第3の送信時点に従って、第3の送信時点で、伝送保護メッセージを送信するステップを含み、ここで、
第3の送信時点は、アクセスポイントによって局に割り当てられ、且つ、伝送保護メッセージを送信するために局によって使用される時点である。
【００２４】
第2の態様または第2の態様の第1乃至第4の可能な実施方式のうちのいずれか1つを参照すると、第5の可能な実施方式では、同時に送信された伝送保護メッセージは同じであることは、
同時に送信された伝送保護メッセージをスクランブルするために同じスクランブリングコードシーケンスが使用されることと、
同時に送信された伝送保護メッセージのために同じ変調およびコーディング体系が使用されることと、
同時に送信された伝送保護メッセージは同じMAC層内容を有することとを含む。
【００２５】
第2の態様または第2の態様の第1乃至第5の可能な実施方式のうちのいずれか1つを参照すると、第6の可能な実施方式では、局がアクセスポイントによって送信されたリソース割り当て情報を受信した後、且つ、伝送保護メッセージを送信するために局によって使用される少なくとも1つの重複サブチャネルが取得される前に、方法は、
局によって、リソース割り当て情報から伝送保護指示情報を取得するステップであって、ここで、伝送保護指示情報は、局が伝送保護メッセージを送信すべきかどうかを示し、または、局が伝送保護メッセージを送信することを許可されているかどうかを示す、ステップと、
伝送保護指示情報が、局が伝送保護メッセージを送信すべきであると示すとき、または、局が伝送保護メッセージを送信することを許可されていると示すとき、伝送保護メッセージを送信するために局によって使用される少なくとも1つの重複サブチャネルを取得するステップとをさらに含む。
【００２６】
第3の態様によると、本発明の実施形態は、データ伝送保護方法を提供し、且つ、方法は、
アクセスポイントによって、リソース割り当て情報を送信するステップであって、ここで、リソース割り当て情報は、アクセスポイントによって、その局を含む少なくとも2つの局に割り当てられた伝送チャネルを含み、その結果、リソース割り当て情報を受信した局は、リソース割り当て情報に従って、伝送保護メッセージを送信するために局によって使用される少なくとも1つの重複サブチャネルを取得し、少なくとも1つの重複サブチャネルにおける各重複サブチャネル上で、伝送保護メッセージを送信する、ステップと、
少なくとも2つの局が現在の重複サブチャネル上で伝送保護メッセージを送信する場合、少なくとも2つの局によって、伝送保護メッセージを順次送信するステップとを含み、ここで、
アクセスポイントと局との間の動作帯は、複数のサブチャネルに分割され、且つ、重複サブチャネルは、局に割り当てられた伝送チャネルと重複するサブチャネルであり、且つ、
伝送保護メッセージは、アクセスポイントから、伝送保護メッセージを送信する局へのダウンリンクデータを保護するために使用され、伝送保護メッセージは持続時間を含み、持続時間は、局に割り当てられた伝送チャネルのための、伝送保護メッセージを送信する局の排他時間を示すために使用される。
【００２７】
第3の態様の第1の可能な実施方式では、複数のサブチャネルの帯域幅は等しい。
【００２８】
第3の態様または第3の態様の第1の可能な実施方式を参照すると、第2の可能な実施方式では、伝送保護メッセージは、CTSフレームまたはACKフレームを送信可である。
【００２９】
第3の態様または第3の態様の第1乃至第2の可能な実施方式のうちのいずれか1つを参照すると、第3の可能な実施方式では、リソース割り当て情報の送信が完了した後、第1の時間の長さ以内に、アクセスポイントが、局によって送信された伝送保護メッセージを受信するか、または、動作帯がビジーであると検出した場合、アクセスポイントは、リソース割り当て情報の送信が終了した後、第2の時間の長さが経過したとき、ダウンリンクデータを局に送信し、または、
リソース割り当て情報の送信が完了した後、第1の時間の長さ以内に、動作帯がアイドルであると検出された場合、アクセスポイントは、リソース割り当て情報の送信が終了した後、第3の時間の長さが経過したとき、ダウンリンクデータを局に送信する。
【００３０】
第3の態様または第3の態様の第1乃至第2の可能な実施方式のうちのいずれか1つを参照すると、第4の可能な実施方式では、アクセスポイントがリソース割り当て情報の送信を完了した後、方法は、
アクセスポイントによって、局によって送信されたアップリンクデータを受信するステップと、
アクセスポイントがアップリンクデータの受信を完了した後、第1の時間の長さ以内に、局によって送信された伝送保護メッセージが受信されるか、または、動作帯がビジーであると検出された場合、アクセスポイントによって、アップリンクデータの受信が終了した後、第2の時間の長さが経過したとき、ダウンリンクデータを伝送するステップか、または、
アクセスポイントが局によって送信されたアップリンクデータの受信を完了した後、第1の時間の長さ以内に、動作帯がアイドルであると検出された場合、アクセスポイントによって、アップリンクデータ受信が終了した後、第3の時間の長さが経過したとき、ダウンリンクデータを伝送するステップをさらに含む。
【００３１】
第4の態様によると、本発明の実施形態は、データ伝送保護方法を提供し、且つ、方法は、
アクセスポイントによって、リソース割り当て情報を送信するステップであって、ここで、リソース割り当て情報は、アクセスポイントによって、その局を含む少なくとも2つの局に割り当てられた伝送チャネルを含み、その結果、リソース割り当て情報を受信した局は、リソース割り当て情報に従って、伝送保護メッセージを送信するために局によって使用される少なくとも1つの重複サブチャネルを取得し、少なくとも1つの重複サブチャネルにおける各重複サブチャネル上で、伝送保護メッセージを送信する、ステップと、
少なくとも2つの局が現在の重複サブチャネル上で伝送保護メッセージを送信する場合、少なくとも2つの局によって、伝送保護メッセージを同時に送信するステップであって、ここで、同時に送信された伝送保護メッセージは同じである、ステップとを含み、ここで、
アクセスポイントと局との間の動作帯は、複数のサブチャネルに分割され、且つ、重複サブチャネルは、局に割り当てられた伝送チャネルと重複するサブチャネルであり、且つ、
伝送保護メッセージは、アクセスポイントから、局へのダウンリンクデータを保護するために使用され、伝送保護メッセージは持続時間を含み、持続時間は、局に割り当てられた伝送チャネルのための局の排他時間を示すために使用される。
【００３２】
第4の態様の第1の可能な実施方式では、複数のサブチャネルの帯域幅は等しい。
【００３３】
第4の態様または第4の態様の第1の可能な実施方式を参照すると、第2の可能な実施方式では、伝送保護メッセージは、CTSフレームまたはACKフレームを送信可である。
【００３４】
第4の態様または第4の態様の第1乃至第2の可能な実施方式のうちのいずれか1つを参照すると、第3の可能な実施方式では、リソース割り当て情報の送信が完了した後、第1の時間の長さ以内に、アクセスポイントが、局によって送信された伝送保護メッセージを受信するか、または、動作帯がビジーであると検出した場合、アクセスポイントは、リソース割り当て情報の送信が終了した後、第2の時間の長さが経過したとき、ダウンリンクデータを局に送信し、または、
リソース割り当て情報の送信が完了した後、第1の時間の長さ以内に、動作帯がアイドルであると検出された場合、アクセスポイントは、リソース割り当て情報の送信が終了した後、第3の時間の長さが経過したとき、ダウンリンクデータを局に送信する。
【００３５】
第4の態様または第4の態様の第1乃至第2の可能な実施方式のうちのいずれか1つを参照すると、第4の可能な実施方式では、アクセスポイントがリソース割り当て情報の送信を完了した後、方法は、
アクセスポイントによって、局によって送信されたアップリンクデータを受信するステップと、
アクセスポイントがアップリンクデータの受信を完了した後、第1の時間の長さ以内に、局によって送信された伝送保護メッセージが受信されるか、または、動作帯がビジーであると検出された場合、アクセスポイントによって、アップリンクデータの受信が終了した後、第2の時間の長さが経過したとき、ダウンリンクデータを伝送するステップか、または、
アクセスポイントが局によって送信されたアップリンクデータの受信を完了した後、第1の時間の長さ以内に、動作帯がアイドルであると検出された場合、アクセスポイントによって、アップリンクデータ受信が終了した後、第3の時間の長さが経過したとき、ダウンリンクデータを伝送するステップをさらに含む。
【００３６】
第4の態様の第3の可能な実施方式と第4の可能な実施方式のうちのいずれかを参照すると、第5の可能な実施方式では、第1の時間の長さは、ポイント協調機能フレーム間間隔の時間の長さであり、第2の時間の長さは、2つの短フレーム間間隔と1つの伝送保護メッセージの伝送時間の長さとの時間の長さの合計であり、第3の時間の長さは、ポイント協調機能フレーム間間隔の時間の長さであり、ここで、
ポイント協調機能フレーム間間隔の時間の長さは、短フレーム間間隔の時間の長さよりも大きい。
【００３７】
第4の態様または第4の態様の第1の可能な実施方式乃至第5の可能な実施方式のうちのいずれか1つを参照すると、第6の可能な実施方式では、同時に送信された伝送保護メッセージは同じであることは、
同時に送信された伝送保護メッセージをスクランブルするために同じスクランブリングコードシーケンスが使用されることと、
同時に送信された伝送保護メッセージのために同じ変調およびコーディング体系が使用されることと、
同時に送信された伝送保護メッセージは同じMAC層内容を有することとを含む。
【００３８】
第5の態様によると、本発明の実施形態は、局に配置されるデータ伝送保護装置を提供し、且つ、装置は、
アクセスポイントによって送信されたリソース割り当て情報を受信するように構成された第1の受信ユニットであって、ここで、リソース割り当て情報は、アクセスポイントによって、その局を含む少なくとも2つの局に割り当てられた伝送チャネルを含む、第1の受信ユニット、および、割り当てられた伝送チャネルと複数のサブチャネルとの間の相互重複の状態に従って、伝送保護メッセージを送信するために局によって使用される少なくとも1つの重複サブチャネルを取得するように構成された第1の重複サブチャネル取得ユニットであって、ここで、アクセスポイントと局との間の動作帯は、複数のサブチャネルに分割され、且つ、重複サブチャネルは、局に割り当てられた伝送チャネルと重複するサブチャネルである、第1の重複サブチャネル取得ユニットと、
伝送保護メッセージを送信するために局によって使用される少なくとも1つの重複サブチャネルにおける各重複サブチャネルが、伝送保護メッセージを送信するためにその局によってのみ使用されるかどうかを判定するように構成された第1の判定ユニットと、
現在の重複サブチャネルが伝送保護メッセージを送信するためにその局によってのみ使用される場合、現在の重複サブチャネル上で伝送保護メッセージを送信するように構成された第1の送信ユニットと、
現在の重複サブチャネルが伝送保護メッセージを送信するために別の局によってさらに使用される場合、事前に設定された規則に従って、現在の重複サブチャネル上で伝送保護メッセージを送信するように構成された第2の送信ユニットとを含み、ここで、
現在の重複サブチャネルが、伝送保護メッセージを送信するために別の局によってさらに使用される場合、現在の重複サブチャネル上で伝送保護メッセージを送信する複数の局は、現在の重複サブチャネル上で伝送保護メッセージを順次送信し、ここで、複数の局はその局を含み、且つ、
伝送保護メッセージは、アクセスポイントから局へのダウンリンクデータ伝送を保護するために使用され、伝送保護メッセージは持続時間を含み、持続時間は、局に割り当てられた伝送チャネルのための局の排他時間を示すために使用される。
【００３９】
第5の態様の第1の可能な実施方式では、複数のサブチャネルの帯域幅は等しい。
【００４０】
第5の態様または第5の態様の第1の可能な実施方式を参照すると、第2の可能な実施方式では、伝送保護メッセージは、CTSフレームまたはACKフレームを送信可である。
【００４１】
第5の態様または第5の態様の第1乃至第2の可能な実施方式のうちのいずれか1つを参照すると、第3の可能な実施方式では、第1の送信ユニットは、具体的には、
現在の重複サブチャネルが伝送保護メッセージを送信するためにその局によってのみ使用される場合、リソース割り当て情報が受信された後、事前に設定された時間の長さが経過したとき、現在の重複サブチャネル上で伝送保護メッセージを送信するように構成され、または、
第2の送信ユニットは、具体的には、
現在の重複サブチャネルが伝送保護メッセージを送信するために別の局によってさらに使用される場合、リソース割り当て情報が受信された後、事前に設定された時間の長さが経過したとき、事前に設定された規則に従って、現在の重複サブチャネル上で伝送保護メッセージを送信するように構成される。
【００４２】
第5の態様または第5の態様の第1乃至第2の可能な実施方式のうちのいずれか1つを参照すると、第4の可能な実施方式では、第1の送信ユニットは、具体的には、
現在の重複サブチャネルが伝送保護メッセージを送信するためにその局によってのみ使用される場合、アクセスポイントへのアップリンクデータの送信が完了した後、事前に設定された時間の長さが経過したとき、現在の重複サブチャネル上で伝送保護メッセージを送信するように構成され、または、
第2の送信ユニットは、具体的には、
現在の重複サブチャネルが伝送保護メッセージを送信するために別の局によってさらに使用される場合、アクセスポイントへのアップリンクデータの送信が完了した後、事前に設定された時間の長さが経過したとき、事前に設定された規則に従って、現在の重複サブチャネル上で伝送保護メッセージを送信するように構成される。
【００４３】
第5の態様の第3の可能な実施方式と第4の可能な実施方式のうちのいずれかを参照すると、第5の可能な実施方式では、第2の送信ユニットは、
リソース割り当て情報に従って、現在の重複サブチャネル上で伝送保護メッセージを送信する複数の局を取得するように構成された局取得サブユニットと、
ソート規則に従って複数の局をソートするように構成されたソートサブユニットであって、ここで、ソートは、複数の局によって、現在の重複サブチャネル上で伝送保護メッセージを送信する順序を決定するために使用され、且つ、複数の局はその局を含む、ソートサブユニットと、
ソートに従って、局によって伝送保護メッセージを送信する順序を取得するように構成された順序取得サブユニットと、
伝送保護メッセージを送信する順序に従って、対応する第1の送信時点を取得するように構成された第1の送信時点取得サブユニットと、
第1の送信時点で、現在の重複サブチャネル上で伝送保護メッセージを送信するように構成された第1の送信サブユニットとを含み、ここで、
ソート規則は事前に設定されたソート規則か、または、リソース割り当て情報において指示されたソート規則である。
【００４４】
第5の態様の第5の可能な実施方式を参照すると、第6の可能な実施方式では、事前に設定されたソート規則は、
局IDの降順でソートすること、
局IDの昇順でソートすること、または、
リソース割り当て情報における局の順序に従ってソートすることを含む。
【００４５】
第5の態様の第3の可能な実施方式と第4の可能な実施方式のうちのいずれかを参照すると、第7の可能な実施方式では、第2の送信ユニットは、
リソース割り当て情報において指定された伝送保護メッセージ送信順序または第2の送信時点指示情報に従って、第2の送信時点を取得するように構成された第2の送信時点取得サブユニットと、
第2の送信時点で、現在の重複サブチャネル上で伝送保護メッセージを送信するように構成された第2の送信サブユニットとを含み、ここで、
第2の送信時点は、伝送保護メッセージを送信するために使用される時点であり、且つ、現在の重複サブチャネル上で伝送保護メッセージを送信する各局は、1つの第2の送信時点に対応している。
【００４６】
第5の態様または第5の態様の第1乃至第7の可能な実施方式のうちのいずれか1つを参照すると、第8の可能な実施方式では、装置は、リソース割り当て情報から伝送保護指示情報を取得するように構成された第1の伝送保護指示情報取得ユニットであって、ここで、伝送保護指示情報は、局が伝送保護メッセージを送信すべきかどうかを示し、または、局が伝送保護メッセージを送信することを許可されているかどうかを示す、第1の伝送保護指示情報取得ユニットをさらに含み、
第1の重複サブチャネル取得ユニットは、具体的には、伝送保護指示情報が、局が伝送保護メッセージを送信すべきであると示すとき、または、局が伝送保護メッセージを送信することを許可されていると示すとき、割り当てられた伝送チャネルと複数のサブチャネルとの間の相互重複の状態に従って、伝送保護メッセージを送信するために局によって使用される少なくとも1つの重複サブチャネルを取得するように構成される。
【００４７】
第6の態様によると、本発明の実施形態は、局に配置されるデータ伝送保護装置を提供し、且つ、装置は、
アクセスポイントによって送信されたリソース割り当て情報を受信するように構成された第2の受信ユニットであって、ここで、リソース割り当て情報は、アクセスポイントによって、その局を含む少なくとも2つの局に割り当てられた伝送チャネルを含む、第2の受信ユニットと、
割り当てられた伝送チャネルと複数のサブチャネルとの間の相互重複の状態に従って、伝送保護メッセージを送信するために局によって使用される少なくとも1つの重複サブチャネルを取得するように構成された第2の重複サブチャネル取得ユニットであって、ここで、アクセスポイントと局との間の動作帯は、複数のサブチャネルに分割され、且つ、重複サブチャネルは、局に割り当てられた伝送チャネルと重複するサブチャネルである、第2の重複サブチャネル取得ユニットと、
少なくとも1つの重複サブチャネル上で、伝送保護メッセージを送信するように構成された第3の送信ユニットとを含み、ここで、
その上で局が伝送保護メッセージを送信する現在の重複サブチャネルが、伝送保護メッセージを送信するために別の局によってさらに使用される場合、現在の重複サブチャネル上で伝送保護メッセージを送信する複数の局は、現在の重複サブチャネル上で伝送保護メッセージを同時に送信し、ここで、複数の局はその局を含み、
同時に送信された伝送保護メッセージは同じであり、
伝送保護メッセージは、アクセスポイントから局へのダウンリンクデータ伝送を保護するために使用され、伝送保護メッセージは持続時間を含み、持続時間は、局に割り当てられた伝送チャネルのための局の排他時間を示すために使用される。
【００４８】
第6の態様の第1の可能な実施方式では、複数のサブチャネルの帯域幅は等しい。
【００４９】
第6の態様または第6の態様の第1の可能な実施方式を参照すると、第2の可能な実施方式では、伝送保護メッセージは、CTSフレームまたはACKフレームを送信可である。
【００５０】
第6の態様または第6の態様の第1乃至第2の可能な実施方式のうちのいずれか1つを参照すると、第3の可能な実施方式では、第3の送信ユニットは、具体的には、リソース割り当て情報が受信された後、事前に設定された時間の長さが経過したとき、少なくとも1つの重複サブチャネル上で、伝送保護メッセージを送信するように構成され、または、
第3の送信ユニットは、具体的には、アクセスポイントへのアップリンクデータ伝送の送信が完了した後、事前に設定された時間の長さが経過したとき、少なくとも1つの重複サブチャネル上で、伝送保護メッセージを送信するように構成される。
【００５１】
第6の態様または第6の態様の第1乃至第2の可能な実施方式のうちのいずれか1つを参照すると、第4の可能な実施方式では、第3の送信ユニットは、具体的には、リソース割り当て情報が受信された後、リソース割り当て情報において指定された第3の送信時点に従って、第3の送信時点で、伝送保護メッセージを送信するように構成され、または、
第3の送信ユニットは、具体的には、アクセスポイントへのアップリンクデータの送信が完了した後、リソース割り当て情報において指定された第3の送信時点に従って、第3の送信時点で、伝送保護メッセージを送信するように構成され、ここで、
第3の送信時点は、アクセスポイントによって局に割り当てられ、且つ、伝送保護メッセージを送信するために局によって使用される時点である。
【００５２】
第6の態様または第6の態様の第1乃至第2の可能な実施方式のうちのいずれか1つを参照すると、第5の可能な実施方式では、同時に送信された伝送保護メッセージは同じであることは、
同時に送信された伝送保護メッセージをスクランブルするために同じスクランブリングコードシーケンスが使用されることと、
同時に送信された伝送保護メッセージのために同じ変調およびコーディング体系が使用されることと、
同時に送信された伝送保護メッセージは同じMAC層内容を有することとを含む。
【００５３】
第6の態様または第6の態様の第1乃至第5の可能な実施方式のうちのいずれか1つを参照すると、第6の可能な実施方式では、装置は、リソース割り当て情報から伝送保護指示情報を取得するように構成される第2の伝送保護指示情報取得ユニットであって、ここで、伝送保護指示情報は、局が伝送保護メッセージを送信すべきかどうかを示し、または、局が伝送保護メッセージを送信することを許可されているかどうかを示す、第2の伝送保護指示情報取得ユニットをさらに含み、
第2の重複サブチャネル取得ユニットは、具体的には、伝送保護指示情報が、局が伝送保護メッセージを送信すべきであると示すとき、または、局が伝送保護メッセージを送信することを許可されていると示すとき、割り当てられた伝送チャネルと複数のサブチャネルとの間の相互重複の状態に従って、伝送保護メッセージを送信するために局によって使用される少なくとも1つの重複サブチャネルを取得するように構成される。
【００５４】
第7の態様によると、本発明の実施形態は、アクセスポイントに配置されるデータ伝送保護装置を提供し、且つ、装置は、
リソース割り当て情報を局に送信するように構成された第1のリソース割り当て情報送信ユニットであって、ここで、リソース割り当て情報は、アクセスポイントによって、その局を含む少なくとも2つの局に割り当てられた伝送チャネルを含み、その結果、リソース割り当て情報を受信した局は、リソース割り当て情報に従って、伝送保護メッセージを送信するために局によって使用される少なくとも1つの重複サブチャネルを取得し、少なくとも1つの重複サブチャネルにおける各重複サブチャネル上で、伝送保護メッセージを送信する、第1のリソース割り当て情報送信ユニットを含み、ここで、
少なくとも2つの局が現在の重複サブチャネル上で伝送保護メッセージを送信する場合、少なくとも2つの局は、伝送保護メッセージを順次送信し、
アクセスポイントと局との間の動作帯は、複数のサブチャネルに分割され、且つ、重複サブチャネルは、局に割り当てられた伝送チャネルと重複するサブチャネルであり、且つ、
伝送保護メッセージは、アクセスポイントから、伝送保護メッセージを送信する局へのダウンリンクデータを保護するために使用され、伝送保護メッセージは持続時間を含み、持続時間は、局に割り当てられた伝送チャネルのための、伝送保護メッセージを送信する局の排他時間を示すために使用される。
【００５５】
第7の態様の第1の可能な実施方式では、複数のサブチャネルの帯域幅は等しい。
【００５６】
第7の態様または第7の態様の第1の可能な実施方式を参照すると、第2の可能な実施方式では、伝送保護メッセージは、CTSフレームまたはACKフレームを送信可である。
【００５７】
第7の態様または第7の態様の第1乃至第2の可能な実施方式のうちのいずれか1つを参照すると、第3の可能な実施方式では、装置は、第1のリソース割り当て情報送信ユニットがリソース割り当て情報の送信を完了した後、第1の時間の長さ以内に、アクセスポイントが、局によって送信された伝送保護メッセージを受信するか、または、動作帯がビジーであると検出した場合、リソース割り当て情報の送信が終了した後、第2の時間の長さが経過したとき、ダウンリンクデータを局に送信するように構成された第1のダウンリンクデータ送信ユニットをさらに含み、または、
第1のダウンリンクデータ送信ユニットは、第1のリソース割り当て情報送信ユニットがリソース割り当て情報の送信を完了した後、第1の時間の長さ以内に、動作帯がアイドルであると検出された場合、リソース割り当て情報の送信が終了した後、第3の時間の長さが経過したとき、ダウンリンクデータを局に送信するようにさらに構成される。
【００５８】
第7の態様または第7の態様の第1乃至第2の可能な実施方式のうちのいずれか1つを参照すると、第4の可能な実施方式では、装置は、アクセスポイントがリソース割り当て情報の送信を完了した後、局によって送信されたアップリンクデータを受信し、アップリンクデータの受信が完了した後、第1の時間の長さ以内に、局によって送信された伝送保護メッセージが受信されるか、または、動作帯がビジーであると検出された場合、アップリンクデータの受信が終了した後、第2の時間の長さが経過したとき、ダウンリンクデータを伝送するように構成された第2のダウンリンクデータ送信ユニットをさらに含み、または、
第2のダウンリンクデータ送信ユニットは、局によって送信されたアップリンクデータの受信が完了した後、第1の時間の長さ以内に、動作帯がアイドルであると検出された場合、アップリンクデータ受信が終了した後、第3の時間の長さが経過したとき、ダウンリンクデータを伝送するようにさらに構成される。
【００５９】
第8の態様によると、本発明の実施形態は、アクセスポイントに配置されるデータ伝送保護装置を提供し、且つ、装置は、
リソース割り当て情報を送信するように構成された第2のリソース割り当て情報送信ユニットであって、ここで、リソース割り当て情報は、アクセスポイントによって、その局を含む少なくとも2つの局に割り当てられた伝送チャネルを含み、その結果、リソース割り当て情報を受信した局は、リソース割り当て情報に従って、伝送保護メッセージを送信するために局によって使用される少なくとも1つの重複サブチャネルを取得し、少なくとも1つの重複サブチャネルにおける各重複サブチャネル上で、伝送保護メッセージを送信する、第2のリソース割り当て情報送信ユニットを含み、ここで、
少なくとも2つの局が現在の重複サブチャネル上で伝送保護メッセージを送信する場合、少なくとも2つの局は、伝送保護メッセージを同時に送信し、ここで、同時に送信された伝送保護メッセージは同じであり、
アクセスポイントと局との間の動作帯は、複数のサブチャネルに分割され、且つ、重複サブチャネルは、局に割り当てられた伝送チャネルと重複するサブチャネルであり、
伝送保護メッセージは、アクセスポイントから、局へのダウンリンクデータを保護するために使用され、伝送保護メッセージは持続時間を含み、持続時間は、局に割り当てられた伝送チャネルのための局の排他時間を示すために使用される。
【００６０】
第8の態様の第1の可能な実施方式では、複数のサブチャネルの帯域幅は等しい。
【００６１】
第8の態様または第8の態様の第1の可能な実施方式を参照すると、第2の可能な実施方式では、伝送保護メッセージは、CTSフレームまたはACKフレームを送信可である。
【００６２】
第8の態様または第8の態様の第1乃至第2の可能な実施方式のうちのいずれか1つを参照すると、第3の可能な実施方式では、装置は、第2のリソース割り当て情報送信ユニットがリソース割り当て情報の送信を完了した後、第1の時間の長さ以内に、アクセスポイントが、局によって送信された伝送保護メッセージを受信するか、または、動作帯がビジーであると検出した場合、リソース割り当て情報の送信が終了した後、第2の時間の長さが経過したとき、ダウンリンクデータを局に送信するように構成された第3のダウンリンクデータ送信ユニットをさらに含み、または、
第3のダウンリンクデータ送信ユニットは、リソース割り当て情報の送信が完了した後、第1の時間の長さ以内に、動作帯がアイドルであると検出された場合、アクセスポイントによって、リソース割り当て情報の送信が終了した後、第3の時間の長さが経過したとき、ダウンリンクデータを局に送信するようにさらに構成される。
【００６３】
第8の態様または第8の態様の第1乃至第2の可能な実施方式のうちのいずれか1つを参照すると、第4の可能な実施方式では、装置は、第2のリソース割り当て情報送信ユニットがリソース割り当て情報の送信を完了した後、局によって送信されたアップリンクデータを受信するように構成された第4のダウンリンクデータ送信ユニットをさらに含み、
第4のダウンリンクデータ送信ユニットは、アップリンクデータの受信が完了した後、第1の時間の長さ以内に、局によって送信された伝送保護メッセージが受信されるか、または、動作帯がビジーであると検出された場合、アップリンクデータの受信が終了した後、第2の時間の長さが経過したとき、ダウンリンクデータを伝送するようにさらに構成され、または、
第4のダウンリンクデータ送信ユニットは、局によって送信されたアップリンクデータの受信が完了した後、第1の時間の長さ以内に、動作帯がアイドルであると検出された場合、アップリンクデータ受信が終了した後、第3の時間の長さが経過したとき、ダウンリンクデータを伝送するようにさらに構成される。
【００６４】
第9の態様によると、本発明の実施形態は、局を提供し、局は、
アクセスポイントによって送信されたリソース割り当て情報を受信するように構成された受信機であって、ここで、リソース割り当て情報は、アクセスポイントによって、その局を含む少なくとも2つの局に割り当てられた伝送チャネルを含む、受信機と、
割り当てられた伝送チャネルと複数のサブチャネルとの間の相互重複の状態に従って、伝送保護メッセージを送信するために局によって使用される少なくとも1つの重複サブチャネルを取得するように構成されたプロセッサであって、ここで、アクセスポイントと局との間の動作帯は、複数のサブチャネルに分割され、且つ、重複サブチャネルは、局に割り当てられた伝送チャネルと重複するサブチャネルである、プロセッサと、
現在の重複サブチャネルが伝送保護メッセージを送信するためにその局によってのみ使用される場合、現在の重複サブチャネル上で伝送保護メッセージを送信するように構成された送信機とを含み、ここで、
プロセッサは、伝送保護メッセージを送信するために局によって使用される少なくとも1つの重複サブチャネルにおける各重複サブチャネルが、伝送保護メッセージを送信するためにその局によってのみ使用されるかどうかを判定するようにさらに構成され、
送信機は、現在の重複サブチャネルが伝送保護メッセージを送信するために別の局によってさらに使用される場合、事前に設定された規則に従って、現在の重複サブチャネル上で伝送保護メッセージを送信するようにさらに構成され、ここで、
現在の重複サブチャネルが、伝送保護メッセージを送信するために別の局によってさらに使用される場合、現在の重複サブチャネル上で伝送保護メッセージを送信する複数の局は、現在の重複サブチャネル上で伝送保護メッセージを順次送信し、ここで、複数の局はその局を含み、且つ、
伝送保護メッセージは、アクセスポイントから局へのダウンリンクデータ伝送を保護するために使用され、伝送保護メッセージは持続時間を含み、持続時間は、局に割り当てられた伝送チャネルのための局の排他時間を示すために使用される。
【００６５】
第9の態様の第1の可能な実施方式では、送信機は、具体的には、
現在の重複サブチャネルが伝送保護メッセージを送信するためにその局によってのみ使用される場合、リソース割り当て情報が受信された後、事前に設定された時間の長さが経過したとき、現在の重複サブチャネル上で伝送保護メッセージを送信するように構成され、または、
送信機は、具体的には、現在の重複サブチャネルが伝送保護メッセージを送信するために別の局によってさらに使用される場合、リソース割り当て情報が受信された後、事前に設定された時間の長さが経過したとき、事前に設定された規則に従って、現在の重複サブチャネル上で伝送保護メッセージを送信するように構成される。
【００６６】
第9の態様を参照すると、第2の可能な実施方式では、送信機は、具体的には、現在の重複サブチャネルが伝送保護メッセージを送信するためにその局によってのみ使用される場合、アクセスポイントへのアップリンクデータの送信が完了した後、事前に設定された時間の長さが経過したとき、現在の重複サブチャネル上で伝送保護メッセージを送信するように構成され、または、
送信機は、具体的には、現在の重複サブチャネルが伝送保護メッセージを送信するために別の局によってさらに使用される場合、アクセスポイントへのアップリンクデータの送信が完了した後、事前に設定された時間の長さが経過したとき、事前に設定された規則に従って、現在の重複サブチャネル上で伝送保護メッセージを送信するように構成される。
【００６７】
第10の態様によると、本発明の実施形態は、局を提供し、且つ、局は、
アクセスポイントによって送信されたリソース割り当て情報を受信するように構成された受信機であって、ここで、リソース割り当て情報は、アクセスポイントによって、その局を含む少なくとも2つの局に割り当てられた伝送チャネルを含む、受信機と、
割り当てられた伝送チャネルと複数のサブチャネルとの間の相互重複の状態に従って、伝送保護メッセージを送信するために局によって使用される少なくとも1つの重複サブチャネルを取得するように構成されたプロセッサであって、ここで、アクセスポイントと局との間の動作帯は、複数のサブチャネルに分割され、且つ、重複サブチャネルは、局に割り当てられた伝送チャネルと重複するサブチャネルである、プロセッサと、
少なくとも1つの重複サブチャネル上で、伝送保護メッセージを送信するように構成された送信機とを含み、ここで、
その上で局が伝送保護メッセージを送信する現在の重複サブチャネルが、伝送保護メッセージを送信するために別の局によってさらに使用される場合、現在の重複サブチャネル上で伝送保護メッセージを送信する複数の局は、現在の重複サブチャネル上で伝送保護メッセージを同時に送信し、ここで、複数の局はその局を含み、
同時に送信された伝送保護メッセージは同じであり、
伝送保護メッセージは、アクセスポイントから局へのダウンリンクデータ伝送を保護するために使用され、伝送保護メッセージは持続時間を含み、持続時間は、局に割り当てられた伝送チャネルのための局の排他時間を示すために使用される。
【００６８】
第11の態様によると、本発明の実施形態は、アクセスポイントを提供し、且つ、アクセスポイントは、
リソース割り当て情報を生成するように構成されたプロセッサと、
リソース割り当て情報を送信するように構成された送信機であって、ここで、リソース割り当て情報は、アクセスポイントによって、その局を含む少なくとも2つの局に割り当てられた伝送チャネルを含み、その結果、リソース割り当て情報を受信した局は、リソース割り当て情報に従って、伝送保護メッセージを送信するために局によって使用される少なくとも1つの重複サブチャネルを取得し、少なくとも1つの重複サブチャネルにおける各重複サブチャネル上で、伝送保護メッセージを送信する、送信機と、
少なくとも2つの局が現在の重複サブチャネル上で伝送保護メッセージを送信する場合、少なくとも2つの局によって順次送信された伝送保護メッセージを受信するように構成された受信機とを含み、ここで、
アクセスポイントと局との間の動作帯は、複数のサブチャネルに分割され、且つ、重複サブチャネルは、局に割り当てられた伝送チャネルと重複するサブチャネルであり、且つ、
伝送保護メッセージは、アクセスポイントから、伝送保護メッセージを送信する局へのダウンリンクデータを保護するために使用され、伝送保護メッセージは持続時間を含み、持続時間は、局に割り当てられた伝送チャネルのための、伝送保護メッセージを送信する局の排他時間を示すために使用される。
【００６９】
第11の態様の第1の可能な実施方式では、送信機は、リソース割り当て情報の送信が完了した後、第1の時間の長さ以内に、アクセスポイントが、局によって送信された伝送保護メッセージを受信するか、または、動作帯がビジーであると検出した場合、リソース割り当て情報の送信が終了した後、第2の時間の長さが経過したとき、ダウンリンクデータを局に送信するようにさらに構成され、または、
送信機は、リソース割り当て情報の送信が完了した後、第1の時間の長さ以内に、動作帯がアイドルであると検出された場合、リソース割り当て情報の送信が終了した後、第3の時間の長さが経過したとき、ダウンリンクデータを局に送信するようにさらに構成される。
【００７０】
第11の態様を参照すると、第11の態様の第2の可能な実施方式では、受信機は、リソース割り当て情報の送信が完了した後、局によって送信されたアップリンクデータを受信するようにさらに構成され、
送信機は、アップリンクデータの受信が完了した後、第1の時間の長さ以内に、局によって送信された伝送保護メッセージが受信されるか、または、動作帯がビジーであると検出された場合、アップリンクデータの受信が終了した後、第2の時間の長さが経過したとき、ダウンリンクデータを伝送するようにさらに構成され、または、
送信機は、局によって送信されたアップリンクデータの受信が完了した後、第1の時間の長さ以内に、動作帯がアイドルであると検出された場合、アップリンクデータ受信が終了した後、第3の時間の長さが経過したとき、ダウンリンクデータを伝送するようにさらに構成される。
【００７１】
第12の態様によると、本発明の実施形態は、アクセスポイントを提供し、且つ、アクセスポイントは、
リソース割り当て情報を生成するように構成されたプロセッサと、
リソース割り当て情報を送信するように構成された送信機であって、ここで、リソース割り当て情報は、アクセスポイントによって、その局を含む少なくとも2つの局に割り当てられた伝送チャネルを含み、その結果、リソース割り当て情報を受信した局は、リソース割り当て情報に従って、伝送保護メッセージを送信するために局によって使用される少なくとも1つの重複サブチャネルを取得し、少なくとも1つの重複サブチャネルにおける各重複サブチャネル上で、伝送保護メッセージを送信する、送信機と、
少なくとも2つの局が現在の重複サブチャネル上で伝送保護メッセージを送信する場合、少なくとも2つの局によって同時に送信された伝送保護メッセージを受信するように構成された受信機であって、ここで、同時に送信された伝送保護メッセージは同じである、受信機とを含み、ここで、
アクセスポイントと局との間の動作帯は、複数のサブチャネルに分割され、且つ、重複サブチャネルは、局に割り当てられた伝送チャネルと重複するサブチャネルであり、且つ、
伝送保護メッセージは、アクセスポイントから、局へのダウンリンクデータを保護するために使用され、伝送保護メッセージは持続時間を含み、持続時間は、局に割り当てられた伝送チャネルのための局の排他時間を示すために使用される。
【００７２】
第12の態様の第1の可能な実施方式では、送信機は、リソース割り当て情報の送信が完了した後、第1の時間の長さ以内に、アクセスポイントが、局によって送信された伝送保護メッセージを受信するか、または、動作帯がビジーであると検出した場合、リソース割り当て情報の送信が終了した後、第2の時間の長さが経過したとき、ダウンリンクデータを局に送信するようにさらに構成され、または、
送信機は、リソース割り当て情報の送信が完了した後、第1の時間の長さ以内に、動作帯がアイドルであると検出された場合、リソース割り当て情報の送信が終了した後、第3の時間の長さが経過したとき、ダウンリンクデータを局に送信するようにさらに構成される。
【００７３】
第12の態様を参照すると、第12の態様の第2の可能な実施方式では、受信機は、リソース割り当て情報の送信が完了した後、局によって送信されたアップリンクデータを受信するようにさらに構成され、且つ、
送信機は、アップリンクデータの受信が完了した後、第1の時間の長さ以内に、局によって送信された伝送保護メッセージが受信されるか、または、動作帯がビジーであると検出された場合、アップリンクデータの受信が終了した後、第2の時間の長さが経過したとき、ダウンリンクデータを伝送するようにさらに構成され、または、
送信機は、局によって送信されたアップリンクデータの受信が完了した後、第1の時間の長さ以内に、動作帯がアイドルであると検出された場合、アップリンクデータ受信が終了した後、第3の時間の長さが経過したとき、ダウンリンクデータを伝送するようにさらに構成される。
【００７４】
本発明の実施形態は、データ伝送保護方法および装置を提供する。局は、アクセスポイントによって送信されたリソース割り当て情報を受信し、ここで、リソース割り当て情報は、アクセスポイントによって局に割り当てられた伝送チャネルを含み、局は、割り当てられた伝送チャネルと複数のサブチャネルとの間の相互重複の状態に従って、伝送保護メッセージを送信するために局によって使用される少なくとも1つの重複サブチャネルを取得し、少なくとも1つの重複サブチャネル上で、伝送保護メッセージを送信し、ここで、伝送保護メッセージは持続時間を含み、持続時間は、局に割り当てられた伝送チャネルのための局の排他時間を示し、その結果、アクセスポイントから局へのデータ伝送は保護され、別のサードパーティ局は、伝送保護メッセージにおける持続時間に従って、別のサードパーティ局の持続時間を設定する。従って、APからSTAに実行される必要があるデータ伝送のための時間および周波数帯は避けられ、さらに、APからSTAに送信されるデータ伝送は保護され、データ伝送の信頼性は改善される。
【図面の簡単な説明】
【００７５】
本発明の実施形態における技術的解決手段をより明確に説明するために、以下では、実施形態を説明するために必要とされる添付図面を簡潔に説明する。明らかに、以下の説明における添付図面は、単に、本発明のいくつかの実施形態を示し、且つ、当業者は、創造的努力無しに、これらの添付図面から他の図面をさらに導出することができる。
【００７６】
【図１】図1は、本発明の実施形態に係る、データ伝送保護方法のフローチャートである。
【図２】図2は、本発明の実施形態に係る、伝送チャネル上のデータ伝送の概略図である。
【図３】図3は、本発明の実施形態に係る、伝送チャネルとサブチャネルとの間の重複の概略図である。
【図４ａ】図4(a)は、本発明の実施形態に係る、STAによってCTSフレームを送信することの概略図である。
【図４ｂ】図4(b)は、本発明の実施形態に係る、STAによってCTSフレームを送信することの概略図である。
【図５】図5は、本発明の実施形態に係る、STAによって伝送保護メッセージを送信することの概略図である。
【図６】図6は、本発明の実施形態に係る、STAによって伝送保護メッセージを送信することの概略図である。
【図７】図7は、本発明の実施形態に係る、STAによって伝送保護メッセージを送信することの概略図である。
【図８】図8は、本発明の実施形態に係る、STAによって伝送保護メッセージを送信することの概略図である。
【図９】図9は、本発明の実施形態に係る、STAによって伝送保護メッセージを送信することの概略図である。
【図１０】図10は、本発明の実施形態に係る、STAによって伝送保護メッセージを送信することの概略図である。
【図１１】図11は、本発明の実施形態に係る、STAによって伝送保護メッセージを送信することの概略図である。
【図１２】図12は、本発明の実施形態に係る、STAによって伝送保護メッセージを送信することの概略図である。
【図１３】図13は、本発明の実施形態に係る、STAによって伝送保護メッセージを送信することの概略図である。
【図１４】図14は、本発明の実施形態に係る、STAの概略図である。
【図１５】図15は、本発明の実施形態に係る、APの概略図である。
【図１６】図16は、本発明の実施形態に係る、データ伝送保護方法のフローチャートである。
【発明を実施するための形態】
【００７７】
以下では、本発明の実施形態における添付図面を参照して、本発明の実施形態における技術的解決手段を明確に説明する。明らかに、説明される実施形態は、本発明の実施形態の単に一部であるが全てではない。創造的努力無しに、本発明の実施形態に基づいて当業者によって得られる全ての他の実施形態は、本発明の保護範囲に包含されるべきである。
【００７８】
本発明を包括的に理解するために、以下の詳細な説明では、多くの具体的な詳細が言及されるが、当業者は、本発明はこれらの具体的な詳細無しに実施され得ることを理解すべきである。他の実施形態では、周知の方法、プロセス、構成要素および回路の詳細な説明は詳細に説明されず、その結果、実施形態は、不必要に不鮮明にされること無く説明される。
【００７９】
本発明の実施形態は、データ伝送保護方法および装置を提供するとともに、APからSTAへのダウンリンクデータ伝送を保護することができる。
【００８０】
実施形態1
【００８１】
図1は、本発明の実施形態に係る、データ伝送保護方法のフローチャートである。図1に示されるように、方法は、STAによって使用され、且つ、方法は以下を含む：
【００８２】
ステップ101：局は、アクセスポイントによって送信されたリソース割り当て情報を受信し、ここで、リソース割り当て情報は、アクセスポイントによって、その局を含む少なくとも2つの局に割り当てられた伝送チャネルを含む。
【００８３】
ステップ102：局は、割り当てられた伝送チャネルと複数のサブチャネルとの間の相互重複の状態に従って、伝送保護メッセージを送信するために局によって使用される少なくとも1つの重複サブチャネルを取得し、ここで、アクセスポイントと局との間の動作帯は、複数のサブチャネルに分割され、且つ、重複サブチャネルは、局に割り当てられた伝送チャネルと重複するサブチャネルである。
【００８４】
ステップ103：伝送保護メッセージを送信するために局によって使用される少なくとも1つの重複サブチャネルにおける各重複サブチャネルが、伝送保護メッセージを送信するためにその局によってのみ使用されるかどうかを判定する。
【００８５】
ステップ104：現在の重複サブチャネルが伝送保護メッセージを送信するためにその局によってのみ使用される場合、局は、現在の重複サブチャネル上で伝送保護メッセージを送信する。
【００８６】
ステップ105：現在の重複サブチャネルが伝送保護メッセージを送信するために別の局によってさらに使用される場合、局は、事前に設定された規則に従って、現在の重複サブチャネル上で伝送保護メッセージを送信する。
【００８７】
現在の重複サブチャネルが、伝送保護メッセージを送信するために別の局によってさらに使用される場合、現在の重複サブチャネル上で伝送保護メッセージを送信する複数の局は、現在の重複サブチャネル上で伝送保護メッセージを順次送信し、ここで、複数の局はその局を含む。
【００８８】
伝送保護メッセージは、アクセスポイントから局へのダウンリンクデータ伝送を保護するために使用され、伝送保護メッセージは持続時間を含み、持続時間は、局に割り当てられた伝送チャネルのための局の排他時間を示すために使用される。
【００８９】
本発明の実施形態は、データ伝送保護方法および装置を提供する。局は、アクセスポイントによって送信されたリソース割り当て情報を受信し、ここで、リソース割り当て情報は、アクセスポイントによって局に割り当てられた伝送チャネルを含み、局は、割り当てられた伝送チャネルと複数のサブチャネルとの間の相互重複の状態に従って、伝送保護メッセージを送信するために局によって使用される少なくとも1つの重複サブチャネルを取得し、少なくとも1つの重複サブチャネル上で、伝送保護メッセージを送信し、ここで、伝送保護メッセージは持続時間を含み、持続時間は、局に割り当てられた伝送チャネルのための局の排他時間を示し、その結果、アクセスポイントから局へのデータ伝送は保護され、別のサードパーティ局は、伝送保護メッセージにおける持続時間に従って、別のサードパーティ局の持続時間を設定する。従って、APからSTAに実行される必要があるデータ伝送のための時間および周波数帯は避けられ、さらに、APからSTAに送信されるデータ伝送は保護され、データ伝送の信頼性は改善される。
【００９０】
例えば、伝送されるデータ量、チャネル条件等、各局によって占有される帯域幅のサイズを決定するための多くの要因が存在する。帯域幅を各局に割り当てる方法は、本発明の焦点ではなく、ここでは詳細に説明されない。
【００９１】
“リソース割り当て情報は、アクセスポイントによって、その局を含む少なくとも2つの局に割り当てられた伝送チャネルを含む”ことは、2つの基本シナリオを含み、OFDMAのみが使用されるシナリオでは、リソース割り当て情報は複数の伝送チャネルを含み、且つ、各伝送チャネルは1つの局に対応しており、MU-MIMOのみが使用されるシナリオでは、リソース割り当て情報はただ一つの伝送チャネルを含み、且つ、伝送チャネルは複数の局に対応しており、すなわち、複数の局は、同じ伝送チャネルを使用することによって伝送を実行する。加えて、伝送チャネルが周波数領域で複数のブロックに分割され、且つ、OFDMAまたはMU-MIMOのいずれかがブロックにおいて使用され、すなわち、OFDMAとMU-MIMOの両方が通信システム内で使用されてよい、ハイブリッドシナリオもまた生じ得る。この場合、リソース割り当て情報は、各ブロックに対する伝送チャネル割り当てを含み、且つ、各ブロックに対する伝送チャネル割り当てでは、OFDMAが使用されるかMU-MIMOが使用されるかについては、基本シナリオのための規則に従う。任意のスケジュールされた局は、確かに、ブロック内に配置され、且つ、任意のブロックに対するリソース割り当ては、確かに、1つの局に対応している。
【００９２】
本発明の本実施形態におけるプロトコルは802.11プロトコルである。本発明の本実施形態では、複数のサブチャネルの帯域幅は等しくてよい。例えば、各サブチャネルの帯域幅は20 MHZであってよい。20-MHZのサブチャネルは、既存のデバイス（ここで、既存のデバイスは、本発明の本実施形態における解決手段をサポートする次の新しいデバイスと比較したレガシーデバイスである）によってサポートされる周波数帯である。従って、本発明の本実施形態は、レガシーデバイスによってサポートされるプロトコルと互換性があることができ、その結果、システムアップグレードコストは低減されることができる。
【００９３】
複数のスケジュールされた局とアクセスポイントとの間の周波数帯は同じである。例えば、802.11acプロトコルでは、アクセスポイントと局との間の動作帯は5 GHzであり、周波数帯は、複数の20-MHZのサブチャネルに分割され、各サブチャネルは、決定された中心周波数を有する。動作帯およびサブチャネル分割は、アクセスポイントと局の両方が従う必要があるプロトコルで指定される。ネットワークが従うプロトコルは、局がネットワークにアクセスするときに、アクセスポイントから習得されることができる。
【００９４】
本発明の別の実施形態では、複数のサブチャネルの帯域幅は等しくなくてよい。例えば、アクセスポイントと局との間の動作帯は40 MHZであるとともに、その帯域幅がそれぞれ10 MHZ、20 MHZおよび10 MHZである3つのサブチャネルに分割されてよい。
【００９５】
本発明の本実施形態では、伝送保護メッセージは、CTSフレームまたはACKフレームを送信可である。2つのタイプのフレームは、既存のデバイス（ここで、既存のデバイスは、本発明の本実施形態における解決手段をサポートする次の新しいデバイスと比較したレガシーデバイスである）によってサポートされることができるフレームである。従って、本発明の本実施形態は、レガシーデバイスによってサポートされるプロトコルと互換性があることができ、その結果、システムアップグレードコストは低減されることができる。
【００９６】
本発明の本実施形態では、全てのサブチャネルは同じ帯域幅を有してよく、例えば、全て20-MHZのサブチャネルである。この場合、既存のデバイスは、互換性があることができ、且つ、本発明の本実施形態の適応性は改善されることができる。加えて、レガシーデバイスは、既存の伝送システムがアップグレードされているとき、置き換えられる必要がなく、従って、システムアップグレードコストは比較的低い。さらに、伝送保護メッセージがCTSフレームまたはACKフレームであるとき、本発明の本実施形態の適応性はさらに改善されることができ、その結果、既存のデバイスによってサポートされるプロトコルはより良く互換性がある。
【００９７】
本発明の各実施形態では、重複は、全カバレッジまたは部分カバレッジを指し、または、全カバレッジと部分カバレッジの組合せであってよい。図3は、本発明の実施形態に係る、複数のサブチャネルとSTAの伝送チャネルとの間の重複の概略図である。図3に示されるように、動作帯はサブチャネル320、サブチャネル321およびサブチャネル322に分割される。STA 1の伝送チャネルは伝送チャネル310であり、STA 2の伝送チャネルは伝送チャネル311であり、STA 3の伝送チャネルは伝送チャネル312であり、STA 4の伝送チャネルは伝送チャネル313である。
【００９８】
図3に示されるように、サブチャネル320は、STA 1の伝送チャネル310全体をカバーし、サブチャネル321は、STA 2の伝送チャネル311全体とSTA 3の伝送チャネル312の一部をカバーし、これは、略して、サブチャネル321は伝送チャネル311と伝送チャネル312をカバーすることであってよく、サブチャネル322は、STA 3の伝送チャネル312の一部とSTA 4の伝送チャネル313全体をカバーし、これは、略して、サブチャネル322は伝送チャネル312と伝送チャネル313をカバーすることであってよい。
【００９９】
STA 1の伝送チャネル310は、サブチャネル320の一部をカバーし、STA 2の伝送チャネル311は、サブチャネル321の一部をカバーし、STA 3の伝送チャネル312は、サブチャネル321の一部とサブチャネル322の一部をカバーし、STA 4の伝送チャネル313はサブチャネル322の一部をカバーする。
【０１００】
重複は相互的であり、すなわち、任意のSTA、例えば、STA 3について、STA 3の伝送チャネル312は、サブチャネル321とサブチャネル322をカバーし、且つ、STA 3の伝送チャネル312はまた、伝送チャネルのサブチャネル321とサブチャネル322によってカバーされる。
【０１０１】
本発明の本実施形態では、STAからAPに送信されるデータは、アップリンクデータまたはアップリンクデータ伝送と呼ばれてよく、APからSTAに送信されるデータは、ダウンリンクデータまたはダウンリンクデータ伝送と呼ばれてよい。
【０１０２】
以下では、持続時間を使用することによって、データ伝送を保護する原理を簡潔に説明する。図2は、本発明の実施形態に係る、伝送チャネル上のデータ伝送の概略図である。APおよびSTAは図2に示されていない。図2に示されるように、APは、リソース割り当て情報201をSTAに送信し、且つ、STAは、ブロードキャスト方式で、伝送保護メッセージを送信する。本実施形態では、伝送保護メッセージは、CTSフレーム202であり、且つ、CTSフレーム202は持続時間203を搬送する。持続時間203以内には、データ伝送204を保護するために、APからSTAへのデータ204のみが伝送チャネル上で送信される。
【０１０３】
本発明の本実施形態では、リソース割り当て情報は、後続のデータ伝送をトリガするために使用されるトリガ（Trigger）フレームであってよい。
【０１０４】
確かに、伝送チャネル上では、APからSTAへのダウンリンクデータ204のみが送信されてよく、または、STAからAPへのアップリンクデータ205のみが送信されてよい。
【０１０５】
図2における持続時間203は、開始時点、終了時点および持続時間の時間の長さを示す。実際、持続時間は数値のみであり、且つ、持続時間の終了時点を測定するためにNAV（Network Allocation Vector, ネットワーク分配ベクトル）が使用される。NAVはバックオフタイマと同等であり、且つ、NAVの初期値は持続時間である。NAVの値が0になるとき、STAの排他時間が終了したと示す。従って、図2における持続時間203はまた、持続時間に対応しているNAVとみなされてよい。
【０１０６】
本発明の本実施形態では、STAによって送信されるCTSフレームの機能は、APからSTAへのダウンリンクデータ伝送を保護することである。従って、リソース割り当て情報が伝送された後、STAからAPへのアップリンクデータのみが伝送される必要がある場合、データ伝送は保護される必要はない。APからSTAに伝送されるダウンリンクデータとSTAからAPに伝送されるアップリンクデータの両方があり、且つ、STAからAPへのデータ伝送が終了した後、APがインスタント確認メッセージをSTAにフィードバックする必要がない場合、伝送保護が必要とされ、且つ、伝送保護は、APからSTAへのデータ伝送が終了するまでのみ続く必要があり、例えば、図2に示される持続時間203の間続き、且つ、過度の保護を回避するために、STAからAPへのデータ伝送は保護される必要はない。APからSTAに伝送されるデータとSTAからAPに伝送されるデータの両方があり、且つ、STAからAPへのデータ伝送が終了した後、APがインスタント確認メッセージをSTAにフィードバックする必要がある場合、この場合、伝送保護は、インスタント確認メッセージBA 210の送信が完了するまで終了する必要があり、例えば、図2に示される持続時間211の間続き、その結果、APからSTAへのインスタント確認メッセージBA 210 もまた保護される。
【０１０７】
結論として、各STAによって送信された伝送保護メッセージにおける持続時間は、STAの具体的なスケジューリング状態に従って決定されてよい。異なるSTAによって送信されるCTSフレームにおける持続時間は同じであっても異なってもよく、その結果、伝送は柔軟に保護される。
【０１０８】
本発明の本実施形態では、CTSフレームは、ACKフレームと置き換えられてよい。本発明の本実施形態では、あるいは、伝送保護メッセージは、既存のデバイスによって理解および復号されることができる別のフレームであってよい。後続の実施形態においては、説明のための例としてCTSフレームが使用される。
【０１０９】
本発明の本実施形態では、少なくとも1つの重複サブチャネル上で伝送保護メッセージを送信するための好ましい解決手段は、全ての重複サブチャネル上で伝送保護メッセージを送信することである。
【０１１０】
本発明の本実施形態における伝送保護方法では、STAは、ブロードキャスト方式で、複数の重複サブチャネル上で、伝送保護メッセージを順次送信し、その結果、別のサードパーティSTAは、伝送保護メッセージにおける持続時間に従って、別のサードパーティSTAの持続時間を設定する。従って、APからSTAに実行される必要があるデータ伝送のための時間および周波数帯は避けられ、さらに、APからSTAに送信されるデータ伝送は保護され、データ伝送の信頼性は改善される。
【０１１１】
実施形態2
【０１１２】
現在の重複サブチャネルが伝送保護メッセージを送信するためにその局によってのみ使用される場合、局は、現在の重複サブチャネル上で伝送保護メッセージを送信するステップ104は、
局がリソース割り当て情報を受信した後、事前に設定された時間の長さが経過したとき、局は、現在の重複サブチャネル上で伝送保護メッセージを送信することを含む。
【０１１３】
現在の重複サブチャネルが伝送保護メッセージを送信するために別の局によってさらに使用される場合、局は、事前に設定された規則に従って、現在の重複サブチャネル上で伝送保護メッセージを送信するステップ105は、
局がリソース割り当て情報を受信した後、事前に設定された時間の長さが経過したとき、局は、事前に設定された規則に従って、現在の重複サブチャネル上で伝送保護メッセージを送信することを含む。
【０１１４】
図4(a)および図4(b)は、本発明の実施形態に係る、STAによってCTSフレームを送信することの概略図である。図4(a)および図4(b)に示されるシナリオでは、STAの伝送チャネルは、2つのサブチャネルと1つのサブチャネルの一部とをカバーし、且つ、ただ一つのSTAが、各サブチャネル上でCTSフレームを送信する。
【０１１５】
図4(a)においては、STAの伝送チャネル410は、サブチャネル420の一部をカバーするとともに、2つのサブチャネル全体をさらにカバーする。2つの完全にカバーされたサブチャネルは、それぞれ、サブチャネル421とサブチャネル422である。サブチャネル420、421および422上で、STAのみがCTSフレームを送信する。図4(a)は、APからSTAへのダウンリンクデータ伝送のみを示す。リソース割り当て情報を受信した後、STAは、CTSフレーム430、CTSフレーム431およびCTSフレーム432をそれぞれサブチャネル420、サブチャネル421およびサブチャネル422上で送信する。異なるサブチャネル上で送信されたCTSフレーム430、CTSフレーム431およびCTSフレーム432は同じであり、且つ、同じ持続時間440を含む。APからSTAへのデータ伝送は、持続時間に従って保護されることができる。
【０１１６】
図4(b)に示されるように、STAの伝送チャネル411は、サブチャネル420の一部をカバーするとともに、2つのサブチャネル全体をさらにカバーする。2つの完全にカバーされたサブチャネルは、それぞれ、サブチャネル421とサブチャネル422である。サブチャネル420、421および422上で、STAのみがCTSフレームを送信する。STAとAPとの間には、STAからAPにのみ伝送されるデータがあり、しかし、APからSTAへのインスタント確認メッセージがある。
【０１１７】
この場合、リソース割り当て情報の後、STAは、CTSフレーム430、CTSフレーム431およびCTSフレーム432をそれぞれサブチャネル420、サブチャネル421およびサブチャネル422上で送信する。異なるサブチャネル上で送信されたCTSフレーム430、CTSフレーム431およびCTSフレーム432は同じであり、且つ、同じ持続時間441を含む。
【０１１８】
STAの伝送チャネルが複数のサブチャネルまたは複数のサブチャネルの一部をカバーするとき、STAは、各サブチャネル上でCTSフレームを送信する。CTSフレームは、持続時間を含むとともに、各サブチャネル上で、APからSTAに伝送されるデータを保護するために使用されることができる。
【０１１９】
図4(a)および図4(b)に示されるシナリオは、単に、CTSフレームが送信される位置を説明するために使用され、複数のSTAがサブチャネル上でCTSフレームを送信する場合を含まない。
【０１２０】
実施形態3
【０１２１】
現在の重複サブチャネルが伝送保護メッセージを送信するためにその局によってのみ使用される場合、局は、現在の重複サブチャネル上で伝送保護メッセージを送信するステップ104は、
局がアクセスポイントへのアップリンクデータの送信を完了した後、事前に設定された時間の長さが経過したとき、局は、現在の重複サブチャネル上で伝送保護メッセージを送信することを含む。
【０１２２】
現在の重複サブチャネルが伝送保護メッセージを送信するために別の局によってさらに使用される場合、局は、事前に設定された規則に従って、現在の重複サブチャネル上で伝送保護メッセージを送信するステップ105は、
局がアクセスポイントへのアップリンクデータの送信を完了した後、事前に設定された時間の長さが経過したとき、局は、事前に設定された規則に従って、現在の重複サブチャネル上で伝送保護メッセージを送信することを含む。
【０１２３】
STAとAPとの間に、STAからAPにのみ伝送されるデータがあり、しかし、APからSTAへのインスタント確認メッセージがある場合、この場合、APからSTAへのインスタント確認メッセージは保護される必要がある。APからSTAへのインスタント確認メッセージの伝送を保護するために、STAによって送信される伝送保護メッセージは、STAからAPへのアップリンクデータ伝送に時間順で続いてよい。
【０１２４】
実施形態2では、STAによって送信される伝送保護メッセージは、リソース割り当て情報に続き、且つ、実施形態3では、STAとAPとの間に、STAからAPにのみ伝送されるデータがあり、しかし、APからSTAへのインスタント確認メッセージがある。この場合、STAによって送信される伝送保護メッセージは、APからSTAへのインスタント確認メッセージの伝送を保護するために、図4(b)に示されるように、リソース割り当て情報に時間順で続いてよく、または、図5に示されるように、STAからAPへのアップリンクデータ伝送に時間順で続いてよい。
【０１２５】
図5は、本発明の実施形態に係る、STAによってCTSフレームを送信することの概略図である。図5に示される適用シナリオでは、サブチャネルとSTAの伝送チャネルとの間の重複の状態は、図4(a)と図4(b)に示される。STAとAPとの間には、STAからAPにのみ伝送されるデータがあり、しかし、APからSTAへのインスタント確認メッセージがある。
【０１２６】
この場合、STAによって送信されるCTSフレーム530、531および532は、STAからAPへのアップリンクデータ伝送に続き、且つ、CTSフレーム530、531および532は同じ持続時間540を含む。
【０１２７】
実施形態4
【０１２８】
局は、事前に設定された規則に従って、現在の重複サブチャネル上で伝送保護メッセージを送信するステップ105は、
局は、リソース割り当て情報に従って、現在の重複サブチャネル上で伝送保護メッセージを送信する複数の局を取得することと、
局は、ソート規則に従って複数の局をソートし、ここで、ソートは、複数の局によって、現在の重複サブチャネル上で伝送保護メッセージを送信する順序を決定するために使用され、且つ、複数の局はその局を含むことと、
局は、ソートに従って、局によって伝送保護メッセージを送信する順序を取得することと、
局は、伝送保護メッセージを送信する順序に従って、対応する第1の送信時点を取得することと、
局は、第1の送信時点で、現在の重複サブチャネル上で伝送保護メッセージを送信することとを含む。
【０１２９】
ソート規則は事前に設定されたソート規則か、または、リソース割り当て情報において指示されたソート規則である。
【０１３０】
事前に設定されたソート規則は、
局IDの降順でソートすること、
局IDの昇順でソートすること、または、
リソース割り当て情報における局の順序に従ってソートすることを含んでよい。
【０１３１】
図6は、本発明の実施形態に係る、STAによって伝送保護メッセージを送信することの概略図である。図6に示されるシナリオでは、伝送保護メッセージはCTSフレームであり、且つ、CTSフレームは、リソース割り当て情報が受信された後に送信される。図6に示されるシナリオでは、サブチャネル610は複数のSTAの伝送チャネルをカバーし、ここで、サブチャネル610は、STA 1の伝送チャネル620の一部をカバーするとともに、STA 2の伝送チャネル621全体とSTA 3の伝送チャネル622全体をカバーする。3つのSTAのIDは、それぞれ1、2および3であり、且つ、3つのSTAの対応する伝送チャネルは、それぞれ、伝送チャネル620、伝送チャネル621および伝送チャネル622である。STA 1の伝送チャネル620はまた、サブチャネル611の一部をカバーする。
【０１３２】
シナリオでは、送信規則は、局IDの昇順でソートすることである。STA 1は、リソース割り当て情報から、それぞれ1、2および3である、サブチャネル610によってカバーされた複数のSTAのIDを取得するとともに、昇順でソートした後、STA 1がCTSフレームを初めに送信すると習得する。
【０１３３】
サブチャネル610上で、チャネル上のフレーム間のフレーム間間隔が事前に設定されてよい。例えば、第1のCTSフレームは、リソース割り当て情報の受信よりも事前に設定された時間の長さ遅い時点T1で送信され、第2のCTSフレームは、時点T1よりも時間の長さa遅い時点T2で送信され、第3のCTSフレームは、時点T2よりも時間の長さa遅い時点T3で送信される。従って、CTSフレーム送信時点は、CTSフレームを送信するためのSTAのランク付けを習得することによって習得されてよい。
【０１３４】
本発明の本実施形態では、事前に設定された時間の長さは、短フレーム間間隔であってよく、且つ、時間の長さaは、短フレーム間間隔とCTS伝送の時間の長さとの合計であってよい。短フレーム間間隔の時間の長さは、プロトコルで指定される。伝送保護メッセージを搬送するフレームは一般に固定長を有するとともに、特定の変調およびコーディング体系で送信され、従って、フレームの伝送の時間の長さは固定である。例えば、CTSフレームは、44マイクロ秒の伝送の時間の長さが必要とされる最低次の変調およびコーディング体系で、20-MHZのサブチャネル上で送信される。
【０１３５】
図6に示されるように、STA 1は、時点T1でCTSフレーム630を送信する。同様に、STA 2は、時点T2でCTSフレーム631を送信し、且つ、STA 3は、時点T3でCTSフレーム632を送信する。CTSフレーム630は持続時間640を含み、CTSフレーム631は持続時間641を含み、CTSフレーム632は持続時間642を含む。
【０１３６】
本発明の本実施形態における伝送保護方法では、サブチャネルが複数のSTAの伝送チャネルをカバーするとき、すなわち、複数のSTAが同じサブチャネル上でCTSフレームを送信するとき、STAは、特定の順序に従って、CTSフレームを順次送信して、伝送保護を実施し、このことは、同じAPが複数のSTAをスケジュールするとき、伝送保護のために、複数のSTAによってCTSフレームをどのように送信するかという課題を解決し、それによって、APから複数のSTAへの後続のダウンリンクデータ伝送を保護し、伝送の信頼性を改善する。
【０１３７】
実施形態5
【０１３８】
事前に設定された規則に従って、現在の重複サブチャネル上で伝送保護メッセージを送信するステップ105は、
リソース割り当て情報において指定された伝送保護メッセージ送信順序または第2の送信時点指示情報に従って、第2の送信時点を取得することと、
第2の送信時点で、現在の重複サブチャネル上で伝送保護メッセージを送信することとを含んでよい。
【０１３９】
第2の送信時点は、伝送保護メッセージを送信するために使用される時点であり、且つ、現在の重複サブチャネル上で伝送保護メッセージを送信する各局は、1つの第2の送信時点に対応している。
【０１４０】
図7は、本発明の実施形態に係る、STAによって伝送保護メッセージを送信することの概略図である。図7に示されるシナリオでは、伝送保護メッセージはCTSフレームである。サブチャネル710は、複数のSTAの伝送チャネルをカバーし、ここで、複数のSTAは、それぞれ、STA 1、STA 2およびSTA 3であり、且つ、カバーされた複数の伝送チャネルは、それぞれ、伝送チャネル720、伝送チャネル721および伝送チャネル722である。
【０１４１】
各STAがいくつかのSTAのみのスケジューリング情報を受信することができるとき、例えば、STAがそのSTAのみのスケジューリング情報を受信するように設定されているとき、APによって各STAに送信されるリソース割り当て情報は、CTSフレームを送信するための、STAの送信ランク付けを含んでよい。
【０１４２】
図7に示されるように、APによって指定された送信順序は、STA 1、STA 2、STA 3である。CTSフレーム送信間隔は事前に設定され、例えば、第1のCTSフレームは、リソース割り当て情報の受信よりも事前に設定された時間の長さ遅い時点T1で送信され、第2のCTSフレームは、時点T1で送信されたCTSフレームの送信の終了よりも時間の長さb遅い時点T2で送信され、第3のCTSフレームは、時点T2で送信されたCTSフレームの送信の終了よりも時間の長さb遅い時点T3で送信される。従って、CTSフレーム送信時点は、CTSフレームを送信するためのSTAのランク付けを習得することによって習得されてよい。事前に設定された時間の長さと時間の長さbの両方は、短フレーム間間隔であってよい。
【０１４３】
本実施形態では、STA 1は、時点T1でCTSフレーム730を送信し、STA 2は、時点T2でCTSフレーム731を送信し、STA 3は、時点T3でCTSフレーム732を送信する。CTSフレーム730は持続時間740を含み、CTSフレーム731は持続時間741を含み、CTSフレーム732は持続時間742を含む。異なるSTAによって送信されるダウンリンクデータは、異なる持続時間を使用することによって保護される。
【０１４４】
本実施形態では、あるいは、APは、各STAによってCTSフレームを送信するための時点を直接指定してよく、例えば、時点T1でCTSフレームを送信するようにSTA 1を指定してよく、時点T2でCTSフレームを送信するようにSTA 2を指定してよく、時点T3でCTSフレームを送信するようにSTA 3を指定してよい。
【０１４５】
本発明の本実施形態では、APは、STAによってCTSフレームを送信する順序を指定し、または、各STAによって伝送保護メッセージを送信するための第2の送信時点を指定し、このことは、STAが過度な冗長情報、例えば、別のSTAの送信時点を受信することを防ぐとともに、STAが全てのSTAのスケジューリング情報を受信することができないときに、CTSフレームをどのように送信するかという課題もまた解決することができる。従って、APによって複数のSTAに順次送信されたデータは保護されることができ、且つ、データ伝送の信頼性は改善されることができる。
【０１４６】
図8は、本発明の実施形態に係る、STAによって伝送保護メッセージを送信することの概略図である。図8に示される適用シナリオでは、STAからAPに送信されるアップリンクデータ伝送と、APによってSTAに送信されるインスタント確認メッセージとがあり、且つ、APからSTAへのインスタント確認メッセージのみが保護される必要がある。この場合、STAは、STAからAPに送信されたアップリンクデータ伝送の後、CTSフレームを送信してよい。
【０１４７】
各STAによってCTSフレームを送信するための時点は、局のアップリンク伝送時間の長さと伝送保護メッセージの指定された送信順序とに従って、決定されてよい。例えば、第1のSTAは、第1のSTAによるAPへのアップリンクデータの送信の完了よりも事前に設定された時間の長さ遅い時点T1'でCTSフレームを送信し、且つ、第2のSTAは、時点T1'で送信されたCTSフレームの送信の完了よりも時間の長さc遅い、時点T2'でCTSフレームを送信する。
【０１４８】
事前に設定された時間の長さと時間の長さcの両方は、短フレーム間間隔であってよい。
【０１４９】
実施形態6
【０１５０】
本発明の本実施形態は、データ伝送保護方法をさらに提供する。図16に示されるように、方法は以下を含む：
【０１５１】
ステップ1601：局は、アクセスポイントによって送信されたリソース割り当て情報を受信し、ここで、リソース割り当て情報は、アクセスポイントによって局に割り当てられた伝送チャネルを含み、且つ、伝送チャネルは、アクセスポイントによって局に割り当てられた周波数帯である。
【０１５２】
ステップ1602：局は、割り当てられた伝送チャネルと複数のサブチャネルとの間の相互重複の状態に従って、伝送保護メッセージを送信するために局によって使用される少なくとも1つの重複サブチャネルを取得し、ここで、アクセスポイントと局との間の動作帯は、複数のサブチャネルに分割され、且つ、重複サブチャネルは、局の伝送チャネルと重複するサブチャネルである。
【０１５３】
ステップ1603：少なくとも1つの重複サブチャネル上で、伝送保護メッセージを送信する。
【０１５４】
その上で局が伝送保護メッセージを送信する現在の重複サブチャネルが、伝送保護メッセージを送信するために別の局によってさらに使用される場合、現在の重複サブチャネル上で伝送保護メッセージを送信する複数の局は、現在の重複サブチャネル上で伝送保護メッセージを同時に送信し、ここで、複数の局はその局を含む。
【０１５５】
同時に送信された伝送保護メッセージは同じである。
【０１５６】
伝送保護メッセージは、アクセスポイントから局へのダウンリンクデータ伝送を保護するために使用され、伝送保護メッセージは持続時間を含み、持続時間は、局に割り当てられた伝送チャネルのための局の排他時間を示すために使用される。
【０１５７】
さらに、複数のサブチャネルの帯域幅は等しくてよい。
【０１５８】
さらに、伝送保護メッセージは、CTSフレームまたはACKフレームを送信可であってよい。
【０１５９】
任意で、少なくとも1つの重複サブチャネル上で、伝送保護メッセージを送信するステップ1603は、
リソース割り当て情報が受信された後、事前に設定された時間の長さが経過したとき、伝送保護メッセージを送信することか、または、
アクセスポイントへのアップリンクデータ伝送の送信が完了した後、事前に設定された時間の長さが経過したとき、伝送保護メッセージを送信することを含む。
【０１６０】
任意で、本発明の本実施形態では、少なくとも1つの重複サブチャネル上で、伝送保護メッセージを送信するステップ1603は、
リソース割り当て情報が受信された後、リソース割り当て情報において指定された第3の送信時点に従って、第3の送信時点で、伝送保護メッセージを送信することか、または、
アクセスポイントへのアップリンクデータの送信が完了した後、リソース割り当て情報において指定された第3の送信時点に従って、第3の送信時点で、伝送保護メッセージを送信することを含む。
【０１６１】
第3の送信時点は、アクセスポイントによって局に割り当てられ、且つ、伝送保護メッセージを送信するために局によって使用される時点である。
【０１６２】
本実施形態では、複数のSTAが1つのサブチャネル上でCTSフレームを送信する必要がある場合、複数のSTAは、伝送保護メッセージを同時に送信し、且つ、同時に送信された伝送保護メッセージは同じである。
【０１６３】
さらに、同時に送信された伝送保護メッセージは同じであることは、
同時に送信された伝送保護メッセージをスクランブルするために同じスクランブリングコードシーケンスが使用されることと、
同時に送信された伝送保護メッセージのために同じ変調およびコーディング体系が使用されることと、
同時に送信された伝送保護メッセージは同じMAC層内容を有することとを含んでよい。
【０１６４】
複数の局のスクランブリングコードシーケンスが同じであるために、簡単な実施方法は、複数の局が、同じスクランブリングコードジェネレータ初期状態値を使用することである。例えば、複数の局は、同じ事前に定義されたスクランブリングコードジェネレータ初期状態値を使用し、リソース割り当て情報を搬送するフレームのものと同じスクランブリングコードシーケンスを使用し、同じ規則に基づいて、AP識別子からマッピングすることによって取得されるシーケンスを使用し、同じ規則に基づいて、現在の持続時間からマッピングすることによって取得されるシーケンスを使用し、または、同じ規則に基づいて、AP識別子または現在の持続時間からマッピングすることによって取得されるシーケンスを使用する。現在の持続時間は、リソース割り当て情報を搬送するフレームで搬送される持続時間か、または、CTSフレームで搬送されるべき持続時間である。
【０１６５】
CTSフレームが同じMAC層内容を有することは、伝送保護メッセージが同じ値を有するRAフィールドを含み、且つ、同じ持続時間を含むことであってよい。例えば、RAフィールドは、APのアドレスである。
【０１６６】
事前に設定された時間の長さは、短フレーム間間隔であってよい。
【０１６７】
比較的大量のSTAがスケジュールされるとき、大量の伝送保護メッセージが送信される。異なる時間で伝送保護メッセージを送信することは、極度に高いオーバヘッドをもたらす。加えて、1つのサブチャネルが複数のSTAの伝送チャネルをカバーし、且つ、STAが伝送保護メッセージを送信するための比較的低いランク付けを有する場合、STAによるリソース割り当て情報の受信とSTAによる伝送保護メッセージの送信との間に比較的長い間隔があり、且つ、その間隔の間、STAは、別の局から情報を受信してよく、例えば、別のOBSS STAからCTSフレームを受信してよい。この場合、STAによる伝送保護メッセージのさらなる送信が、OBSS STAによる伝送への干渉を引き起こし得る。同じサブチャネルが、複数のSTAの伝送チャネルをカバーするとき、複数のSTAは、伝送保護メッセージを同時に送信し、このことは、前述の課題を解決することができ、その結果、システムのオーバヘッドは低減され、且つ、潜在的な干渉は低減される。
【０１６８】
MAC層内容が同じであり、且つ、スクランブリングコードシーケンスが同じである一方で、同時に送信された伝送保護メッセージの重畳された物理波形が復号されることができることを保証するために、変調およびコーディング体系が同じである必要がさらにある。変調およびコーディング体系は、変調体系とチャネルコーディング体系の2つの態様を含む。好ましい変調およびコーディング体系は、BPSK（Binary Phase Shift Keying, バイナリ位相シフトキーイング）が変調体系として使用され、且つ、そのビットレートが1/2であるBCC（Binary Convolutional Code, バイナリ畳み込み符号）がチャネルコーディング体系で使用されることである。
【０１６９】
図9は、本発明の実施形態に係る、STAによって伝送保護メッセージを送信することの概略図である。図9に示されるシナリオでは、伝送保護メッセージはCTSフレームである。サブチャネル910は複数のSTAの伝送チャネルをカバーし、ここで、複数のSTAは、それぞれ、STA 1、STA 2およびSTA 3であり、且つ、カバーされた複数の伝送チャネルは、それぞれ、伝送チャネル920、伝送チャネル921および伝送チャネル922である。サブチャネル911は、STA 4とSTA 5の伝送チャネルをカバーする。
【０１７０】
STA 1、STA 2およびSTA 3がリソース割り当て情報を受信した後、事前に設定された時間の長さが経過したとき、STA 1、STA 2およびSTA 3はCTSフレーム930を送信する。
【０１７１】
全てのSTAが同じ時点でリソース割り当て情報を受信し、且つ、事前に設定されたフレーム間間隔の時間もまた同じであるため、複数のSTAは同じ時点でCTSフレームを送信し、すなわち、複数のSTAは、CTSフレームを同時に送信する。
【０１７２】
実際、CTSフレーム930は、複数の同じCTSフレームの重畳によって取得される。
【０１７３】
第3の送信時点もまた、リソース割り当て情報において指定されてよく、その結果、STAは、リソース割り当て情報を受信した後、第3の送信時点でCTSフレームを送信する。
【０１７４】
複数のCTSフレームの重畳によって取得される信号が正しく復号されることができることを保証するために、本実施形態では、重複サブチャネル上で複数の局によって送信される伝送保護メッセージは、同じフレームMAC層内容を有するとともに、同じスクランブリングコードシーケンスを使用することによってスクランブルされる。
【０１７５】
現在の規則によると、伝送フレームのdata部分を送信するとき、各STAは、スクランブリングコードジェネレータ初期状態（7-bitシーケンス）値をランダムに選択して、スクランブリングコードシーケンスを生成し、次いで、スクランブリングコードシーケンスを使用することによってデータをスクランブルする。結果として、2つのCTSフレームは、例え2つのCTSフレームが完全に同じ内容を含んでいても、物理波形において完全に異なり得る。STAによってランダムに選択されたスクランブリングコードジェネレータ初期状態値は異なるため、スクランブリングコードシーケンスは異なるとともに、同じデータをスクランブルすることによって取得される結果もまた異なる。従って、異なるSTAによって送信されるCTSが、物理波形において重畳されることができることを保証するために、その伝送チャネルが同じサブチャネルによってカバーされる複数のSTAは一般に、同じスクランブリングコードジェネレータ初期状態値を使用する。例えば、全てのSTAは、リソース割り当て情報のものと同じスクランブリングコードジェネレータ初期状態値を使用する。しかしながら、リソース割り当て情報はNDPフレームであり得るため、すなわち、data部分とスクランブリングコードジェネレータ初期状態値のどちらも含まないため、STAは、STAによってCTSを生成するためのスクランブリングコードジェネレータ初期状態値として別の値を選択してよい。例は以下のようになる。
【０１７６】
事前に定義された7-bitスクランブリングコードジェネレータ初期状態値が使用される。
【０１７７】
APは、トリガフレーム内で7-bitスクランブリングコードジェネレータ初期状態値を明示的に示す。
【０１７８】
APのMACアドレス内で、7個のbit、例えば、7個の最下位bitが使用される。
【０１７９】
トリガフレームHEW-SIG-AまたはHEW-SIG-BのCRC内の7個のbitが使用される。
【０１８０】
同じスクランブリングコードシーケンスが、同じサブチャネル上でのみ、複数のCTSのために使用される必要があり、且つ、異なるサブチャネル上では、CTSのために、異なるスクランブリングコードシーケンスが使用されてよいことは特に留意されるべきである。例えば、異なるスクランブリングコードシーケンスは、図9における2つのサブチャネル910と911上で、CTSのために使用されることができる。しかしながら、全てのサブチャネル上で同じスクランブリングコードシーケンスが使用されることは簡単であり、好ましい実施でもある。
【０１８１】
加えて、現在の標準における実施方法によると、局が、複数のサブチャネルを使用することによって送信を実行するとき、時間領域信号のピーク対平均電力比を低減するとともに、別のデバイスによる受信を容易にするために、各サブチャネル上のサブキャリアの位相は、異なるエクステントの位相回転を有してよい。本発明では、この規則はまた、CTS送信中従われる必要があり、すなわち、STAは、APによってスケジュールされた帯域幅全体に含まれる全てのサブチャネルに対して事前に決定された規則に従って、全てのサブチャネルの位相回転を決定し、且つ、CTS送信中、その位相回転を使用する。複数のSTAは同じ位相回転規則に従うため、同じサブチャネル上の複数のCTSの位相回転は同じであり、且つ、複数のCTSの重畳によって取得される信号は依然として復号されることができる。
【０１８２】
本発明の本実施形態における方法では、複数のSTAはCTSフレームを同時に送信し、このことは、システムのオーバヘッドを低減するとともに干渉を低減することができる。
【０１８３】
本発明の本実施形態は、複数の具体的な実施方式を提供する。実際の適用では、初期化中に具体的な実施方式が設定され、従って、動作中、方式をさらに示す必要はない。
【０１８４】
図9に示される実施形態では、STAは、リソース割り当て情報を受信した後、CTSフレームを送信する。実際、STAとAPとの間で、STAからAPにのみ伝送されるデータがあり、しかし、APからSTAへのインスタント確認メッセージがある。あるいは、STAは、APへのアップリンクデータ伝送の送信を完了した後、CTSフレームを送信してよい。詳細については、図5および図8に示される実施形態に対して参照が行われることができる。
【０１８５】
実施形態7
【０１８６】
ステップ101の後、ステップ102の前に、すなわち、局が、アクセスポイントによって送信されたリソース割り当て情報を受信した後、且つ、伝送保護メッセージを送信するために局によって使用される少なくとも1つの重複サブチャネルが取得される前に、方法は、
局によって、リソース割り当て情報から伝送保護指示情報を取得するステップであって、ここで、伝送保護指示情報は、局が伝送保護メッセージを送信すべきかどうかを示し、または、局が伝送保護メッセージを送信することを許可されているかどうかを示す、ステップと、
伝送保護指示情報が、局が伝送保護メッセージを送信すべきであると示すとき、または、局が伝送保護メッセージを送信することを許可されていると示すとき、伝送保護メッセージを送信するために局によって使用される少なくとも1つの重複サブチャネルを取得するステップとをさらに含んでよい。
【０１８７】
APによってスケジュールされる全てのSTAがダウンリンク伝送保護を必要とするわけではない。例えば、APに極度に近いSTAは、伝送保護を必要としない。従って、リソース割り当て情報は、伝送保護を実行するかどうかを指示する指示情報を搬送してよい。本実施形態は、本発明の全ての実施形態に適用されることができる。
【０１８８】
リソース割り当て情報で搬送され、且つ、伝送保護メッセージが使用される必要があるかどうかを指示する指示情報について、以下の解決手段があってよい：
【０１８９】
解決手段1：APは、リソース割り当て情報における1-bit指示を使用し、且つ、指示は、全てのスケジュールされたSTAに対して伝送保護が実行されるか、または、スケジュールされたSTAのいずれに対しても伝送保護が実行されないことを意味する。
【０１９０】
解決手段2：APは、リソース割り当て情報において、各STAに対して伝送保護を実行するかどうかを指示し、例えば、ビットマップ（bitmap）を使用することによって指示を実行してよい。
【０１９１】
解決手段2は、より多くのオーバヘッドを必要とするがより柔軟性があり、CTSの量を有効に低減することができ、遅延広がりの影響をさらに低減することができる。
【０１９２】
解決手段3：APによって送信されるリソース割り当て情報は、伝送保護が必要とされるかどうかを明白に指示せず、各STAは、STAの状態に従って、伝送保護が実行されるべきであるかどうかを判定する。この解決手段は、CTSが同時に送信される場合にのみ適用可能である。
【０１９３】
具体的な実施方法は、APがリソース割り当て情報を送信した後、PIFS（Point Coordination Function Interframe Space, ポイント協調機能フレーム間間隔）時間内に、APは、STAによって送信されたCTSフレームを受信するか、チャネルがビジーであると検出した場合、APは、少なくとも1つのSTAは伝送保護を必要とすると考え、且つ、APは、triggerフレームの送信の終了よりも2つのSIFSおよび1つのCTSの伝送時間の長さ遅い時点でデータの伝送を開始し、そうでなければ（APが、PIFS時間内に、チャネルが常にアイドルであると検出した場合）、APは、triggerフレームの送信の終了よりもPIFS時間遅い時点でデータの伝送を開始することである。STAの観点から、STAが伝送保護を必要とする場合、STAは、リソース割り当て情報の受信よりもSIFS遅い時点でCTSを送信する。PIFSはSIFSよりも大きい。確かに、triggerフレームの終了に加えて、アップリンクデータの終了は、時間の開始時点として使用されてよい。
【０１９４】
解決手段4： APは、リソース割り当て情報における1-bit指示を使用し、且つ、指示は、伝送保護は許可されるが、各STAは、STAの状態に従って、伝送保護が実行されるべきかどうかを判定し、または、伝送保護は許可されないことを意味する。
【０１９５】
具体的な実施方法は、指示ビットが0に設定されたとき、伝送保護は、スケジュールされたSTAのために許可されず、指示ビットが1に設定されたとき、APがリソース割り当て情報を送信した後、PIFS（Point Coordination Function Interframe Space, ポイント協調機能フレーム間間隔）時間内に、APは、STAによって送信されたCTSフレームを受信するか、チャネルがビジーであると検出した場合、APは、少なくとも1つのSTAは伝送保護を必要とすると考え、且つ、APは、triggerフレームの送信の終了よりも2つのSIFSおよび1つのCTSの伝送時間の長さ遅い時点でデータの伝送を開始し、そうでなければ（APが、PIFS時間内に、チャネルが常にアイドルであると検出した場合）、APは、triggerフレームの送信の終了よりもPIFS時間遅い時点でデータの伝送を開始することである。STAの観点から、受信された指示ビットが1に設定され、且つ、伝送保護がSTAに対して実行される必要がある場合、STAは、リソース割り当て情報の受信よりもSIFS遅い時点でCTSを送信する。PIFSはSIFSよりも大きい。確かに、triggerフレームの終了に加えて、アップリンクデータの終了は、時間の開始時点として使用されてよい。
【０１９６】
解決手段5：APは、triggerフレームを使用することによって、伝送保護を実行するかどうかを暗に指示する。この方法では、triggerフレームのいくつかの既存のフィールドは一般に、再利用される必要があり、且つ、この方法の最終的な効果は、解決手段1または解決手段4の最終的な効果と同様である。
【０１９７】
例では、解決手段4は、暗示的な指示によって実施される。具体的な実施方法は、triggerフレームのL-SIG（Legacy SIGNAL, レガシー信号）フィールドにおけるlengthフィールドが0に設定されたとき、APは、スケジュールされたSTAに対して伝送保護が実行されることを許可したと示し、triggerフレームのL-SIGフィールドにおけるlengthフィールドの値が0よりも大きいとき、APは、スケジュールされたSTAに対して伝送保護が実行されることを許可しないと示すことである。
【０１９８】
伝送保護を実行するかどうかを指示する指示情報に従って、伝送保護を実行するかどうかが判定され、このことは、過度な保護を回避することができ、システムリソースを低減することもまたできる。
【０１９９】
実施形態8
【０２００】
本発明の本実施形態はデータ伝送保護方法をさらに提供する。方法は、
アクセスポイントによって、リソース割り当て情報を送信するステップであって、ここで、リソース割り当て情報は、少なくとも2つの局に割り当てられた伝送チャネルに関する情報を含み、その結果、リソース割り当て情報を受信した局は、リソース割り当て情報に従って、伝送保護メッセージを送信するために局によって使用される少なくとも1つの重複サブチャネルを取得し、少なくとも1つの重複サブチャネルにおける各重複サブチャネル上で、伝送保護メッセージを送信する、ステップと、
少なくとも2つの局が現在の重複サブチャネル上で伝送保護メッセージを送信する場合、少なくとも2つの局によって、伝送保護メッセージを順次送信するステップとを含む。
【０２０１】
アクセスポイントと局との間の動作帯は、複数のサブチャネルに分割され、且つ、重複サブチャネルは、局の伝送チャネルと重複するサブチャネルである。
【０２０２】
伝送保護メッセージは、アクセスポイントから、伝送保護メッセージを送信する局へのダウンリンクデータを保護するために使用され、伝送保護メッセージは持続時間を含み、持続時間は、局に割り当てられた伝送チャネルのための、伝送保護メッセージを送信する局の排他時間を示すために使用される。
【０２０３】
任意で、本発明の本実施形態では、リソース割り当て情報の送信が完了した後、第1の時間の長さ以内に、局によって送信された伝送保護メッセージが受信されるか、または、動作帯がビジーであると検出された場合、アクセスポイントは、リソース割り当て情報の送信が終了した後、第2の時間の長さが経過したとき、ダウンリンクデータを伝送し、または、
リソース割り当て情報の送信が完了した後、第1の時間の長さ以内に、動作帯がアイドルであると検出された場合、アクセスポイントは、リソース割り当て情報の送信が終了した後、第3の時間の長さが経過したとき、ダウンリンクデータを伝送する。
【０２０４】
任意で、本発明の本実施形態では、局によって送信されたアップリンクデータの受信が完了した後、第1の時間の長さ以内に、局によって送信された伝送保護メッセージが受信されるか、または、動作帯がビジーであると検出された場合、アップリンクデータ受信が終了した後、第2の時間の長さが経過したとき、ダウンリンクデータが伝送されるか、または、
局によって送信されたアップリンクデータの受信が完了した後、第1の時間の長さ以内に、動作帯がアイドルであると検出された場合、アップリンクデータ受信が終了した後、第3の時間の長さが経過したとき、ダウンリンクデータが伝送される。
【０２０５】
任意で、本実施形態では、第1の時間の長さは、分散フレーム間間隔の時間の長さであってよく、第2の時間の長さは、2つの短フレーム間間隔と1つの伝送保護メッセージの伝送時間の長さとの時間の長さの合計であってよく、第3の時間の長さは、分散フレーム間間隔の時間の長さであってよい。
【０２０６】
分散フレーム間間隔の時間の長さは、短フレーム間間隔の時間の長さよりも大きい。
【０２０７】
任意で、本実施形態では、第1の時間の長さは、ポイント協調機能フレーム間間隔の時間の長さであってよく、第2の時間の長さは、2つの短フレーム間間隔と1つの伝送保護メッセージの伝送時間の長さとの時間の合計であってよく、第3の時間の長さは、ポイント協調機能フレーム間間隔の時間の長さであってよい。
【０２０８】
ポイント協調機能フレーム間間隔の時間の長さは、短フレーム間間隔の時間の長さよりも大きい。
【０２０９】
本発明の実施形態はデータ伝送保護方法をさらに提供する。方法は、
アクセスポイントによって、リソース割り当て情報を送信するステップであって、ここで、リソース割り当て情報は、少なくとも2つの局に割り当てられた伝送チャネルに関する情報を含み、その結果、リソース割り当て情報を受信した局は、リソース割り当て情報に従って、伝送保護メッセージを送信するために局によって使用される少なくとも1つの重複サブチャネルを取得し、少なくとも1つの重複サブチャネルにおける各重複サブチャネル上で、伝送保護メッセージを送信する、ステップと、
少なくとも2つの局が現在の重複サブチャネル上で伝送保護メッセージを送信する場合、少なくとも2つの局によって、伝送保護メッセージを同時に送信するステップであって、ここで、同時に送信された伝送保護メッセージは同じである、ステップとを含む。
【０２１０】
アクセスポイントと局との間の動作帯は、複数のサブチャネルに分割され、且つ、重複サブチャネルは、局の伝送チャネルと重複するサブチャネルである。
【０２１１】
伝送保護メッセージは、アクセスポイントから、局へのダウンリンクデータを保護するために使用され、伝送保護メッセージは持続時間を含み、持続時間は、局に割り当てられた伝送チャネルのための局の排他時間を示すために使用される。
【０２１２】
実施形態9
【０２１３】
図10は、本発明の実施形態に係る、適用シナリオの概略図である。図10に示されるように、チャネルは、固定の帯域幅を有する複数のサブチャネルに分割され、且つ、各サブチャネルの帯域幅は20 MHZである。図10は、一部のサブチャネルのみを示す。チャネル上には、APからSTAに伝送されるダウンリンクデータ、STAからAPに伝送されるアップリンクデータおよびAPからSTAへのインスタント確認メッセージがあり、且つ、各サブチャネル上のCTSフレームは順次送信される。
【０２１４】
サブチャネル1010上では、アップリンクデータは、STA 1およびSTA 2によってAPに別々に伝送されるデータを含み、且つ、ダウンリンクデータは、APによって、STA 1およびSTA 3に別々に伝送されるデータを含む。APは、STAにインスタント確認メッセージをフィードバックする必要があるため、STA 1、STA 2およびSTA 3の全ては、CTSフレームを送信する必要がある。
【０２１５】
STA 1、STA 2およびSTA 3によってそれぞれ送信されるCTS 1、CTS 2およびCTS 3は、STA IDの昇順で、サブチャネル1010上で順次送信される必要がある。
【０２１６】
同様に、STA 3、STA 4、STA 5およびSTA 6によってそれぞれ送信されるCTS 3、CTS 4、CTS 5およびCTS 6は、サブチャネル1020上で順次送信される必要がある。
【０２１７】
実施形態10
【０２１８】
図11は、本発明の実施形態に係る、適用シナリオの概略図である。図11に示されるように、チャネルは、複数のサブチャネルに分割され、且つ、各サブチャネルの帯域幅は20 MHZである。図11は、一部のサブチャネルのみを示す。チャネル上には、APからSTAに伝送されるダウンリンクデータ、STAからAPに伝送されるアップリンクデータおよびAPからSTAへのインスタント確認メッセージがあり、且つ、各サブチャネル上のCTSフレームは同時に送信される。
【０２１９】
サブチャネル1110上では、アップリンクデータは、STA 1およびSTA 2によってAPに別々に伝送されるデータを含み、且つ、ダウンリンクデータは、APによって、STA 1およびSTA 3に別々に伝送されるデータを含む。インスタント確認メッセージはフィードバックされる必要があるため、STA 1、STA 2およびSTA 3の全ては、CTSフレームを送信する必要があり、且つ、全てのSTAはCTSフレームを同時に送信する。CTS 123は、STA 1、STA 2およびSTA 3によって送信されるCTSフレームの重畳によって取得される。
【０２２０】
同様に、サブチャネル1120上で、CTS 3456は、STA 3、STA 4、STA 5およびSTA 6によって送信されるCTSフレームの重畳によって取得される。
【０２２１】
実施形態11
【０２２２】
本発明における伝送保護方法は、OFDMAシステムに適用可能であるだけでなく、MU MIMOシステムにもまた適用可能である。本実施形態では、伝送保護メッセージはCTSフレームである。
【０２２３】
図12は、本発明の実施形態に係る、STAによって伝送保護メッセージを送信することの概略図である。図12に示される適用シナリオは、MU MIMOシステムである。
【０２２４】
図12に示されるように、リソース割り当て情報は、複数のSTAのMIMO伝送のためのスケジューリングのために使用される。MU MIMOシステムでは、全てのSTAは同じ周波数帯上でデータを受信し、従って、帯域幅全体はまた、データ保護フレームの伝送のために占有される。図12に示されるように、スケジュールされたSTA 1、STA 2、STA 3およびSTA 4は、伝送チャネル全体の全てのサブチャネル上で、伝送保護メッセージを送信する。複数のSTAは、送信規則に従ってソートされてよく、または、APは、送信順序を指定してよい。図12に示される適用シナリオでは、STA 1、STA 2、STA 3およびSTA 4は、各サブチャネル上でCTS 1、CTS 2、CTS 3およびCTS 4を順次送信する。
【０２２５】
同様に、本発明における伝送保護方法は、MU MIMOシステムに適用され、且つ、複数のSTAはまた、伝送保護メッセージを同時に送信してよい。図13は、本発明の実施形態に係る、STAによって伝送保護メッセージを送信することの概略図である。図13に示されるように、STA 1、STA 2、STA 3およびSTA 4は、各サブチャネル上で、CTS 1234を同時に送信する。
【０２２６】
本発明の本実施形態における伝送保護方法はまた、MU MIMOシステムで伝送保護を実施することができることがわかる。
【０２２７】
実施形態12
【０２２８】
本発明の本実施形態はSTAを提供し、且つ、STAは、STAが伝送保護メッセージを順次送信する前述の実施形態における任意の実施形態で提供されるデータ伝送保護方法におけるSTAによって実行される機能を実行するように構成される。図14を参照すると、STAは、受信機1401、プロセッサ1402および送信機1403を含む（1つまたは複数のプロセッサがあってよく、1つのプロセッサが本実施形態における例として使用され、プロセッサを含む別の実施形態は、ここでの説明を参照して理解されることができる）。
【０２２９】
受信機1401は、アクセスポイントによって送信されたリソース割り当て情報を受信するように構成され、ここで、リソース割り当て情報は、アクセスポイントによって局に割り当てられた伝送チャネルを含み、且つ、伝送チャネルは、アクセスポイントによって局に割り当てられた周波数帯である。
【０２３０】
プロセッサ1402は、割り当てられた伝送チャネルと複数のサブチャネルとの間の相互重複の状態に従って、伝送保護メッセージを送信するために局によって使用される少なくとも1つの重複サブチャネルを取得するように構成され、ここで、アクセスポイントと局との間の動作帯は、複数のサブチャネルに分割され、且つ、重複サブチャネルは、局の伝送チャネルと重複するサブチャネルである。
【０２３１】
プロセッサ1402は、伝送保護メッセージを送信するために局によって使用される少なくとも1つの重複サブチャネルにおける各重複サブチャネルが、伝送保護メッセージを送信するためにその局によってのみ使用されるかどうかを判定するようにさらに構成される。
【０２３２】
送信機1403は、現在の重複サブチャネルが伝送保護メッセージを送信するためにその局によってのみ使用される場合、現在の重複サブチャネル上で伝送保護メッセージを送信するように構成される。
【０２３３】
送信機1403は、現在の重複サブチャネルが伝送保護メッセージを送信するために別の局によってさらに使用される場合、事前に設定された規則に従って、現在の重複サブチャネル上で伝送保護メッセージを送信するようにさらに構成される。
【０２３４】
現在の重複サブチャネルが、伝送保護メッセージを送信するために別の局によってさらに使用される場合、現在の重複サブチャネル上で伝送保護メッセージを送信する複数の局は、現在の重複サブチャネル上で伝送保護メッセージを順次送信し、ここで、複数の局はその局を含む。
【０２３５】
伝送保護メッセージは、アクセスポイントから局へのダウンリンクデータ伝送を保護するために使用され、伝送保護メッセージは持続時間を含み、持続時間は、局に割り当てられた伝送チャネルのための局の排他時間を示すために使用される。
【０２３６】
任意で、送信機1403は、リソース割り当て情報が受信された後、事前に設定された時間の長さが経過したとき、現在の重複サブチャネル上で伝送保護メッセージを送信するようにさらに構成される。
【０２３７】
送信機1403は、リソース割り当て情報が受信された後、事前に設定された時間の長さが経過したとき、事前に設定された規則に従って、現在の重複サブチャネル上で伝送保護メッセージを送信するようにさらに構成される。
【０２３８】
任意で、送信機1403は、アクセスポイントへのアップリンクデータの送信が完了した後、事前に設定された時間の長さが経過したとき、現在の重複サブチャネル上で伝送保護メッセージを送信するようにさらに構成される。
【０２３９】
送信機1403は、アクセスポイントへのアップリンクデータの送信が完了した後、事前に設定された時間の長さが経過したとき、事前に設定された規則に従って、現在の重複サブチャネル上で伝送保護メッセージを送信するようにさらに構成される。
【０２４０】
本発明の各実施形態は局を提供し、その結果、アクセスポイントから局へのデータ伝送は保護されることができ、別のサードパーティ局は、伝送保護メッセージにおける持続時間に従って、別のサードパーティ局の持続時間を設定することができる。従って、APからSTAに実行される必要があるデータ伝送のための時間および周波数帯は避けられ、さらに、APからSTAに送信されるデータ伝送は保護され、データ伝送の信頼性は改善される。
【０２４１】
実施形態13
【０２４２】
本発明の本実施形態はSTAをさらに提供し、且つ、STAは、STAが伝送保護メッセージを同時に送信する前述の実施形態における任意の実施形態で提供されるデータ伝送保護方法におけるSTAによって実行される機能を実行するように構成される。
【０２４３】
STAは、
アクセスポイントによって送信されたリソース割り当て情報を受信するように構成された受信機であって、ここで、リソース割り当て情報は、アクセスポイントによって局に割り当てられた伝送チャネルを含み、且つ、伝送チャネルは、アクセスポイントによって局に割り当てられた周波数帯である、受信機と、
割り当てられた伝送チャネルと複数のサブチャネルとの間の相互重複の状態に従って、伝送保護メッセージを送信するために局によって使用される少なくとも1つの重複サブチャネルを取得するように構成されたプロセッサであって、ここで、アクセスポイントと局との間の動作帯は、複数のサブチャネルに分割され、且つ、重複サブチャネルは、局の伝送チャネルと重複するサブチャネルである、プロセッサと、
少なくとも1つの重複サブチャネル上で、伝送保護メッセージを送信するように構成された送信機とを含む。
【０２４４】
その上で局が伝送保護メッセージを送信する現在の重複サブチャネルが、伝送保護メッセージを送信するために別の局によってさらに使用される場合、現在の重複サブチャネル上で伝送保護メッセージを送信する複数の局は、現在の重複サブチャネル上で伝送保護メッセージを同時に送信し、ここで、複数の局はその局を含む。
【０２４５】
同時に送信された伝送保護メッセージは同じである。
【０２４６】
伝送保護メッセージは、アクセスポイントから局へのダウンリンクデータ伝送を保護するために使用され、伝送保護メッセージは持続時間を含み、持続時間は、局に割り当てられた伝送チャネルのための局の排他時間を示すために使用される。
【０２４７】
本発明の各実施形態は局を提供し、その結果、アクセスポイントから局へのデータ伝送は保護されることができ、別のサードパーティ局は、伝送保護メッセージにおける持続時間に従って、別のサードパーティ局の持続時間を設定することができる。従って、APからSTAに実行される必要があるデータ伝送のための時間および周波数帯は避けられ、さらに、APからSTAに送信されるデータ伝送は保護され、データ伝送の信頼性は改善される。
【０２４８】
実施形態14
【０２４９】
本発明の本実施形態はAPを提供し、且つ、APは、前述の対応する実施形態における任意の実施形態で提供されるデータ伝送保護方法におけるAPによって実行される機能を実行するように構成される。図15を参照すると、APは、受信機1501、プロセッサ1502および送信機1503を含む。
【０２５０】
プロセッサ1502は、リソース割り当て情報を生成するように構成される。
【０２５１】
送信機1503は、リソース割り当て情報を送信するように構成され、ここで、リソース割り当て情報は、少なくとも2つの局に割り当てられた伝送チャネルに関する情報を含み、その結果、リソース割り当て情報を受信した局は、リソース割り当て情報に従って、伝送保護メッセージを送信するために局によって使用される少なくとも1つの重複サブチャネルを取得し、少なくとも1つの重複サブチャネルにおける各重複サブチャネル上で、伝送保護メッセージを送信する。
【０２５２】
受信機1501は、少なくとも2つの局が現在の重複サブチャネル上で伝送保護メッセージを送信する場合、少なくとも2つの局によって順次送信された伝送保護メッセージを受信するように構成される。
【０２５３】
アクセスポイントと局との間の動作帯は、複数のサブチャネルに分割され、且つ、重複サブチャネルは、局の伝送チャネルと重複するサブチャネルである。
【０２５４】
伝送保護メッセージは、アクセスポイントから、伝送保護メッセージを送信する局へのダウンリンクデータを保護するために使用され、伝送保護メッセージは持続時間を含み、持続時間は、局に割り当てられた伝送チャネルのための、伝送保護メッセージを送信する局の排他時間を示すために使用される。
【０２５５】
任意で、送信機1503は、リソース割り当て情報の送信が完了した後、第1の時間の長さ以内に、アクセスポイントが、局によって送信された伝送保護メッセージを受信するか、または、動作帯がビジーであると検出した場合、リソース割り当て情報の送信が終了した後、第2の時間の長さが経過したとき、ダウンリンクデータを局に送信するようにさらに構成される。
【０２５６】
送信機1503は、リソース割り当て情報の送信が完了した後、第1の時間の長さ以内に、動作帯がアイドルであると検出された場合、リソース割り当て情報の送信が終了した後、第3の時間の長さが経過したとき、ダウンリンクデータを局に送信するようにさらに構成される。
【０２５７】
任意で、受信機1501は、リソース割り当て情報の送信が完了した後、局によって送信されたアップリンクデータを受信するようにさらに構成される。
【０２５８】
送信機1503は、アップリンクデータの受信が完了した後、第1の時間の長さ以内に、局によって送信された伝送保護メッセージが受信されるか、または、動作帯がビジーであると検出された場合、アップリンクデータの受信が終了した後、第2の時間の長さが経過したとき、ダウンリンクデータを伝送するようにさらに構成される。
【０２５９】
送信機1503は、局によって送信されたアップリンクデータの受信が完了した後、第1の時間の長さ以内に、動作帯がアイドルであると検出された場合、アップリンクデータ受信が終了した後、第3の時間の長さが経過したとき、ダウンリンクデータを伝送するようにさらに構成される。
【０２６０】
本発明の各実施形態はアクセスポイントを提供し、その結果、アクセスポイントから局へのデータ伝送は保護されることができ、別のサードパーティ局は、伝送保護メッセージにおける持続時間に従って、別のサードパーティ局の持続時間を設定することができる。従って、APからSTAに実行される必要があるデータ伝送のための時間および周波数帯は避けられ、さらに、APからSTAに送信されるデータ伝送は保護され、データ伝送の信頼性は改善される。
【０２６１】
実施形態15
【０２６２】
本発明の本実施形態はAPを提供し、且つ、APは、前述の対応する実施形態における任意の実施形態で提供されるデータ伝送保護方法におけるAPによって実行される機能を実行するように構成される。APは、
リソース割り当て情報を生成するように構成されたプロセッサと、
リソース割り当て情報を送信するように構成された送信機であって、ここで、リソース割り当て情報は、少なくとも2つの局に割り当てられた伝送チャネルに関する情報を含み、その結果、リソース割り当て情報を受信した局は、リソース割り当て情報に従って、伝送保護メッセージを送信するために局によって使用される少なくとも1つの重複サブチャネルを取得し、少なくとも1つの重複サブチャネルにおける各重複サブチャネル上で、伝送保護メッセージを送信する、送信機と、
少なくとも2つの局が現在の重複サブチャネル上で伝送保護メッセージを送信する場合、少なくとも2つの局によって同時に送信された伝送保護メッセージを受信するように構成された受信機であって、ここで、同時に送信された伝送保護メッセージは同じである、受信機とを含む。
【０２６３】
アクセスポイントと局との間の動作帯は、複数のサブチャネルに分割され、且つ、重複サブチャネルは、局の伝送チャネルと重複するサブチャネルである。
【０２６４】
伝送保護メッセージは、アクセスポイントから局へのダウンリンクデータを保護するために使用され、伝送保護メッセージは持続時間を含み、持続時間は、局に割り当てられた伝送チャネルのための局の排他時間を示すために使用される。
【０２６５】
任意で、送信機は、リソース割り当て情報の送信が完了した後、第1の時間の長さ以内に、アクセスポイントが、局によって送信された伝送保護メッセージを受信するか、または、動作帯がビジーであると検出した場合、リソース割り当て情報の送信が終了した後、第2の時間の長さが経過したとき、ダウンリンクデータを局に送信するようにさらに構成される。
【０２６６】
送信機は、リソース割り当て情報の送信が完了した後、第1の時間の長さ以内に、動作帯がアイドルであると検出された場合、リソース割り当て情報の送信が終了した後、第3の時間の長さが経過したとき、ダウンリンクデータを局に送信するようにさらに構成される。
【０２６７】
任意で、受信機は、リソース割り当て情報の送信が完了した後、局によって送信されたアップリンクデータを受信するようにさらに構成される。
【０２６８】
送信機は、アップリンクデータの受信が完了した後、第1の時間の長さ以内に、局によって送信された伝送保護メッセージが受信されるか、または、動作帯がビジーであると検出された場合、アップリンクデータの受信が終了した後、第2の時間の長さが経過したとき、ダウンリンクデータを伝送するようにさらに構成される。
【０２６９】
送信機は、局によって送信されたアップリンクデータの受信が完了した後、第1の時間の長さ以内に、動作帯がアイドルであると検出された場合、アップリンクデータ受信が終了した後、第3の時間の長さが経過したとき、ダウンリンクデータを伝送するようにさらに構成される。
【０２７０】
前述の実施形態では、各実施形態における説明において焦点がある。実施形態で詳細に説明されない部分については、他の実施形態における関連する説明に対して参照が行われてよい。
【０２７１】
本発明の各実施形態はアクセスポイントを提供し、その結果、アクセスポイントから局へのデータ伝送は保護されることができ、別のサードパーティ局は、伝送保護メッセージにおける持続時間に従って、別のサードパーティ局の持続時間を設定することができる。従って、APからSTAに実行される必要があるデータ伝送のための時間および周波数帯は避けられ、さらに、APからSTAに送信されるデータ伝送は保護され、データ伝送の信頼性は改善される。
【０２７２】
本発明の実施形態は、データ伝送保護方法および装置、局およびアクセスポイントを提供する。局は、アクセスポイントによって送信されたリソース割り当て情報を受信し、ここで、リソース割り当て情報は、アクセスポイントによって局に割り当てられた伝送チャネルを含み、局は、割り当てられた伝送チャネルと複数のサブチャネルとの間の相互重複の状態に従って、伝送保護メッセージを送信するために局によって使用される少なくとも1つの重複サブチャネルを取得し、少なくとも1つの重複サブチャネル上で、伝送保護メッセージを送信し、ここで、伝送保護メッセージは持続時間を含み、持続時間は、局に割り当てられた伝送チャネルのための局の排他時間を示し、その結果、アクセスポイントから局へのデータ伝送は保護され、別のサードパーティ局は、伝送保護メッセージにおける持続時間に従って、別のサードパーティ局の持続時間を設定する。従って、APからSTAに実行される必要があるデータ伝送のための時間および周波数帯は避けられ、さらに、APからSTAに送信されるデータ伝送は保護され、データ伝送の信頼性は改善される。
【０２７３】
本発明で提供される全ての実施形態では、各実施形態における説明において焦点がある。実施形態で詳細に説明されない部分については、他の実施形態における関連する説明に対して参照が行われてよい。
【０２７４】
本発明の全ての実施形態では、リソース割り当て情報に含まれるとともに、アクセスポイントによって局に割り当てられるチャネルリソースによって指示される伝送チャネルは、データ伝送のために局によって順次使用されるデータ伝送チャネルであってよく、例えば、2 MHZの最小単位で割り当てられるデータ伝送チャネルであってよい。この場合、局はデータ伝送チャネルに従って、伝送保護メッセージを送信するために使用される1つまたは複数の重複サブチャネル（CTSフレーム等）を逆に推測する必要がある。1つまたは複数の重複サブチャネルは、例えば、その上にデータ伝送チャネルが配置される1つまたは複数の20-MHZチャネルである。あるいは、リソース割り当て情報に含まれるとともに、アクセスポイントによって局に割り当てられるチャネルリソースによって指示される伝送チャネルは、APによって指定されるとともに、伝送保護メッセージを送信するために特に使用されるサブチャネルであってよく、すなわち、伝送チャネルは、サブチャネル帯域幅の最小単位で指示される。例えば、APが局に40-MHZチャネル上で伝送保護メッセージを送信するように命令する場合、局は、40-MHZチャネルに含まれる2つの20-MHZサブチャネル上で伝送保護メッセージを同時に送信する。
【０２７５】
装置の実施形態は方法の実施形態に基本的に対応しているため、関連する部分については、方法の実施形態に対して参照が行われてよい。前述の説明された装置の実施形態は、単に例示的なものである。別々の部分として説明されたユニットは、物理的に分離していてもしていなくてもよく、且つ、ユニットとして表示される部分は、物理的なユニットであってもなくてもよく、すなわち、1つの位置に配置されてよく、または、複数のネットワークユニット上で分配されてよい。いくつかのまたは全てのモジュールは、実施形態の解決手段の目的を達成するための実際のニーズに従って選択されてよい。当業者は、創造的努力無しに、本発明の実施形態を理解および実施することができる。
【０２７６】
本発明は、例えばプログラムモジュール等の、コンピュータによって実行される実行可能なコンピュータ命令の一般的な文脈で説明されることができる。一般に、プログラムモジュールは、特定のタスクを実行するためのまたは特定の抽象データ型を実施するためのルーチン、プログラム、オブジェクト、コンポーネント、データ構造等を含む。本発明はまた、タスクが、通信ネットワークを使用することによって接続されている遠隔処理デバイスによって実行される分散コンピューティング環境で実施されてもよい。分散コンピューティング環境では、プログラムモジュールは、記憶デバイスを含むローカルおよび遠隔両方のコンピュータ記憶メディア内に配置されてよい。
【０２７７】
当業者は、前述の方法の実施形態のステップの全てまたは一部は、関連ハードウェアに命令するプログラムによって実施されてよいことを理解することができる。プログラムは、コンピュータ可読記憶媒体内に記憶されてよい。ここでの記憶媒体は、ROM、RAM、磁気ディスク、光ディスク等を含む。
【０２７８】
当業者は、本発明の全ての実施形態で説明される方法は、特定の順序に従って現れる複数の操作またはステップを含むが、方法は、より多くのまたはより少ない操作またはステップを含んでよく、ここで、これらの操作またはステップは、順序に従って実行されるか、または、並行に実行されてよく、且つ、順序は必ずしも厳密な順序ではないことを理解することができる。
【０２７９】
本明細書では、第1および第2等の関連用語は、あるエンティティまたは操作を別のエンティティまたは操作と区別するためのみに使用され、且つ、これらのエンティティまたは操作間に任意の実際の関係または順序が存在することを必ずしも必要とする、または暗示するものではないことはさらに留意されるべきである。さらに、「含む（include）」、「含む（comprise）」またはそれらの任意の他の変形の用語は、非排他的な包含をカバーするように意図され、その結果、要素のリストを含むプロセス、方法、物品またはデバイスはそれらの要素を含むだけでなく、明示的に列挙されていない他の要素も含み、または、このようなプロセス、方法、物品またはデバイスに固有の要素も含む。「…を含む」に続く要素は、さらなる制約無しに、その要素を含むプロセス、方法、物品またはデバイスにおける追加の同一要素の存在を排除しない。
【０２８０】
前述の説明は、本発明の単に例示的な実施形態であるが、本発明の保護範囲を限定するように意図されない。本発明の原理および実施方式を説明するために具体的な例が本明細書内で使用される。前述の実施形態の説明は、本発明の方法およびコアなアイデアの理解を助けるように単に意図される。加えて、当業者は、本発明のアイデアに従って、具体的な実施方式および適用範囲に関して修正を行うことができる。従って、本明細書の内容は、本発明への限定として解釈されるべきでない。本発明の原理を逸脱すること無しに行われる任意の修正、同等置換または改良は、本発明の保護範囲に包含されるべきである。
【符号の説明】
【０２８１】
201  リソース割り当てフレーム
203  持続時間
204  APからSTAへのデータ
205  STAからAPへのデータ
210  APからSTAへのBA
211  持続時間
540  持続時間
640  持続時間
641  持続時間
642  持続時間
740  持続時間
741  持続時間
742  持続時間
940  持続時間
1401  受信機
1402  プロセッサ
1403  送信機
1501  受信機
1502  プロセッサ
1503  送信機
【手続補正３】
【補正対象書類名】図面
【補正対象項目名】図７
【補正方法】変更
【補正の内容】
【図７】
2018501730.tif 000020
【国際調査報告】
2018501730.tif 000021
2018501730.tif 000022
2018501730.tif 000023
2018501730.tif 000024